(57)【要約】【課題】無線通信システムにおいてデータを送受信するための方法及びこれを支援する装置を提案する。【解決手段】無線通信システムにおいて端末がＰＤＳＣＨを受信する方法において、前記方法は、基地局から、ｎ番目の送信時間単位における前記ＰＤＳＣＨをスケジューリングするための下向きリンク制御情報（ＤＣＩ）を受信するステップと、前記ＤＣＩに基づいて、前記ＰＤＳＣＨの受信可否を決定するステップとを含み、前記ＤＣＩは、前記ｎ番目の送信時間単位に前記ＰＤＳＣＨのためのＤＭＲＳ（ｄｅｍｏｄｕｌａｔｉｏｎ  ｒｅｆｅｒｅｎｃｅ  ｓｉｇｎａｌ）が存在するか否かを表す情報を含むことができる。【選択図】図２１
2020534742.tif 000002
【特許請求の範囲】
【請求項１】
無線通信システムにおいて端末（ｕｓｅｒ  ｅｑｕｉｐｍｅｎｔ）がＰＤＳＣＨ（ｐｈｙｓｉｃａｌ  ｄｏｗｎｌｉｎｋ  ｓｈａｒｅｄ  ｃｈａｎｎｅｌ）を受信する方法において、
基地局から、ｎ番目の送信時間単位（ｔｒａｎｓｍｉｓｓｉｏｎ  ｔｉｍｅ  ｕｎｉｔ）における前記ＰＤＳＣＨをスケジューリングするための下向きリンク制御情報（ｄｏｗｎｌｉｎｋ  ｃｏｎｔｒｏｌ  ｉｎｆｏｒｍａｔｉｏｎ、ＤＣＩ）を受信するステップと、
前記ＤＣＩに基づいて、前記ＰＤＳＣＨの受信可否を決定するステップと、
を含み、
前記ＤＣＩは、前記ｎ番目の送信時間単位に前記ＰＤＳＣＨのためのＤＭＲＳ（ｄｅｍｏｄｕｌａｔｉｏｎ  ｒｅｆｅｒｅｎｃｅ  ｓｉｇｎａｌ）が存在するか否かを表す情報を含むことを特徴とする方法。
【請求項２】
基地局から、ｎ−１番目の送信時間単位における他の（ａｎｏｔｈｅｒ）ＰＤＳＣＨをスケジューリングするための他の（ａｎｏｔｈｅｒ）ＤＣＩを受信するステップをさらに含み、
前記他のＤＣＩは、前記ｎ−１番目の送信時間単位に前記他のＰＤＳＣＨのためのＤＭＲＳが存在するか否かを表す情報を含み、
前記ＰＤＳＣＨの受信可否は、前記ＤＣＩ及び前記他のＤＣＩに基づいて決定される請求項1に記載の方法。
【請求項３】
（ｉ）前記ｎ番目の送信時間単位で前記ＰＤＳＣＨのためのＤＭＲＳの不在（ａｂｓｅｎｃｅ）が前記ＤＣＩにより設定され、（ii）前記ｎ−１番目の送信時間単位で前記他のＰＤＳＣＨのためのＤＭＲＳの不在が前記他のＤＣＩにより設定される場合、
前記ＰＤＳＣＨは、前記端末により受信されないことを特徴とする請求項２に記載の方法。
【請求項４】
前記ＰＤＳＣＨが受信されなかった場合、予め定義された規則にしたがって前記ＰＤＳＣＨに対するＨＡＲＱ−ＡＣＫ情報を報告するステップをさらに含むことを特徴とする請求項３に記載の方法。
【請求項５】
基地局から、ｎ−１番目の送信時間単位で他の（ａｎｏｔｈｅｒ）ＰＤＳＣＨのスケジューリングのための他のＤＣＩを受信するステップをさらに含み、
前記ＤＣＩは、前記ｎ番目の送信時間単位における前記ＰＤＳＣＨのための資源割当情報を含み、
前記他のＤＣＩは、前記ｎ−１番目の送信時間単位における前記他のＰＤＳＣＨのための資源割当情報を含み、
前記ＰＤＳＣＨの受信可否は、前記ＤＣＩ及び前記他のＤＣＩに基づいて決定される請求項１に記載の方法。
【請求項６】
（ｉ）前記ｎ番目の送信時間単位で前記ＰＤＳＣＨのためのＤＭＲＳの不在（ａｂｓｅｎｃｅ）が前記ＤＣＩにより設定され、（ii）前記ｎ番目の送信時間単位における前記ＰＤＳＣＨのための資源割当情報が前記ｎ−１番目の送信時間単位における前記他のＰＤＳＣＨのための資源割当情報を含まない場合、
前記ＰＤＳＣＨは、前記端末により受信されないことを特徴とする請求項５に記載の方法。
【請求項７】
前記ＰＤＳＣＨが受信されなかった場合、予め定義された規則にしたがって前記ＰＤＳＣＨに対するＨＡＲＱ−ＡＣＫ情報を報告するステップをさらに含むことを特徴とする請求項６に記載の方法。
【請求項８】
前記端末は、連続したサブフレームにわたって配置された送信時間単位でスケジューリングされるＰＤＳＣＨ間のＤＭＲＳ共有（ＤＭＲＳ  ｓｈａｒｉｎｇ）を支援しないことを特徴とする請求項１に記載の方法。
【請求項９】
（ｉ）前記１番目のサブスロットで前記ＰＤＳＣＨのためのＤＭＲＳの不在（ａｂｓｅｎｃｅ）が前記ＤＣＩにより設定され、（ii）前記ｎ番目の送信時間単位は、特定サブフレーム（ｓｕｂｆｒａｍｅ）内での１番目のサブスロット（ｓｕｂｓｌｏｔ）であれば、
前記ＰＤＳＣＨは、前記端末により受信されないことを特徴とする請求項８に記載の方法。
【請求項１０】
前記ＰＤＳＣＨが受信されなかった場合、予め定義された規則にしたがって前記ＰＤＳＣＨに対するＨＡＲＱ−ＡＣＫ情報を報告するステップをさらに含むことを特徴とする請求項９に記載の方法。
【請求項１１】
前記端末は、連続したサブフレームにわたって配置された送信時間単位でスケジューリングされる３−レイヤ（ｌａｙｅｒ）以上のＰＤＳＣＨに対するＤＭＲＳ受信（ＤＭＲＳ  ｒｅｃｅｐｔｉｏｎ）を支援しないことを特徴とする請求項１に記載の方法。
【請求項１２】
前記基地局から、ｎ−１番目の送信時間単位で３−レイヤ以上の他の（ａｎｏｔｈｅｒ）ＰＤＳＣＨのための他の（ａｎｏｔｈｅｒ）ＤＭＲＳを受信するステップをさらに含み、
（ｉ）前記ｎ−１番目の送信時間単位は、ｍ番目のサブフレーム（ｓｕｂｆｒａｍｅ）内での最後のサブスロット（ｓｕｂｓｌｏｔ）であり、（ii）前記ｎ番目の送信時間単位は、ｍ＋１番目のサブフレーム（ｓｕｂｆｒａｍｅ）内での１番目のサブスロット（ｓｕｂｓｌｏｔ）であり、（iii）前記ＰＤＳＣＨが３−レイヤ以上のＰＤＳＣＨである場合、
前記ＤＭＲＳは、前記端末により受信されないことを特徴とする請求項１１に記載の方法。
【請求項１３】
前記送信時間単位は、２つ以上のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル（ｓｙｍｂｏｌ）を含むサブスロット（ｓｕｂｓｌｏｔ）であることを特徴とする請求項１に記載の方法。
【請求項１４】
無線通信システムにおいてＰＤＳＣＨ（ｐｈｙｓｉｃａｌ  ｄｏｗｎｌｉｎｋ  ｓｈａｒｅｄ  ｃｈａｎｎｅｌ）を受信する端末（ｕｓｅｒ  ｅｑｕｉｐｍｅｎｔ）において、
無線信号を送受信するための送受信部と、
前記送受信部と機能的に連結されているプロセッサと、
を備え、
前記プロセッサは、
前記送受信部を利用して、基地局から、ｎ番目の送信時間単位（ｔｒａｎｓｍｉｓｓｉｏｎ  ｔｉｍｅ  ｕｎｉｔ）における前記ＰＤＳＣＨをスケジューリングするための下向きリンク制御情報（ｄｏｗｎｌｉｎｋ  ｃｏｎｔｒｏｌ  ｉｎｆｏｒｍａｔｉｏｎ、ＤＣＩ）を受信し、
前記ＤＣＩに基づいて、前記ＰＤＳＣＨの受信可否を決定するように制御し、
前記ＤＣＩは、前記ｎ番目の送信時間単位に前記ＰＤＳＣＨのためのＤＭＲＳ（ｄｅｍｏｄｕｌａｔｉｏｎ  ｒｅｆｅｒｅｎｃｅ  ｓｉｇｎａｌ）が存在するか否かを表す情報を含むことを特徴とする端末。
【請求項１５】
無線通信システムにおいてＰＤＳＣＨ（ｐｈｙｓｉｃａｌ  ｄｏｗｎｌｉｎｋ  ｓｈａｒｅｄ  ｃｈａｎｎｅｌ）を送信する基地局（ｂａｓｅ  ｓｔａｔｉｏｎ）において、
無線信号を送受信するための送受信部と、
前記送受信部と機能的に連結されているプロセッサと、
を備え、
前記プロセッサは、
前記送受信部を利用して、端末に、ｎ番目の送信時間単位（ｔｒａｎｓｍｉｓｓｉｏｎ  ｔｉｍｅ  ｕｎｉｔ）における前記ＰＤＳＣＨをスケジューリングするための下向きリンク制御情報（ｄｏｗｎｌｉｎｋ  ｃｏｎｔｒｏｌ  ｉｎｆｏｒｍａｔｉｏｎ、ＤＣＩ）を送信し、
前記ＤＣＩに基づいて、前記ＰＤＳＣＨの送信可否を決定するように制御し、
前記ＤＣＩは、前記ｎ番目の送信時間単位に前記ＰＤＳＣＨのためのＤＭＲＳ（ｄｅｍｏｄｕｌａｔｉｏｎ  ｒｅｆｅｒｅｎｃｅ  ｓｉｇｎａｌ）が存在するか否かを表す情報を含むことを特徴とする基地局。
【発明の詳細な説明】
【技術分野】
【０００１】
本明細書は、無線通信システムにおいてデータを送受信するための方法に関し、より詳細には、下向きリンクチャネル（ｄｏｗｎｌｉｎｋ  ｃｈａｎｎｅｌ）及び／又は上向きリンクチャネル（ｕｐｌｉｎｋ  ｃｈａｎｎｅｌ）を送受信する方法及びこれを支援する装置に関する。
【背景技術】
【０００２】
移動通信システムは、ユーザの活動性を保障しながら音声サービスを提供するために開発された。しかしながら、移動通信システムは、音声だけでなくデータサービスまで領域を拡張し、現在では、爆発的なトラフィックの増加によって資源の不足現象が引き起こされ、ユーザがより高速のサービスを要求するので、より発展した移動通信システムが要求されている。
【０００３】
次世代移動通信システムの要求条件は、大きく爆発的なデータトラフィックの収容、ユーザ当たりの送信率の画期的な増加、大幅増加した接続デバイス数の収容、非常に低いエンドツーエンド遅延（Ｅｎｄ−ｔｏ−Ｅｎｄ  Ｌａｔｅｎｃｙ）、高エネルギー効率をサポートできなければならない。このために、多重接続（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ−ｂａｎｄ  Ｆｕｌｌ  Ｄｕｐｌｅｘ）、非直交多重接続（ＮＯＭＡ：Ｎｏｎ−Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）サポート、端末ネットワーキング（Ｄｅｖｉｃｅ  Ｎｅｔｗｏｒｋｉｎｇ）等、様々な技術が研究されている。
【発明の概要】
【発明が解決しようとする課題】
【０００４】
本明細書は、下向きリンクチャネル及び／又は上向きリンクチャネルの送受信を行う方法を提供することに目的がある。
【０００５】
具体的に、本明細書は、下向きリンクチャネルの送受信と関連して、ＤＭＲＳ（ｄｅｍｏｄｕｌａｔｉｏｎ  ｒｅｆｅｒｅｎｃｅ  ｓｉｇｎａｌ）の共有（ｓｈａｒｉｎｇ）及び／又は繰り返し（ｒｅｐｅｔｉｔｉｏｎ）を考慮して、下向きリンクチャネルをスケジューリング（ｓｃｈｅｄｕｌｉｎｇ）及び／又は送受信する方法を提供することに目的がある。
【０００６】
本発明で解決しようとする技術的課題は、以上で言及した技術的課題に制限されず、言及しないまた別の技術的課題は、以下の記載から本発明が属する技術分野で通常の知識を有する者にとって明確に理解されるべきである。
【課題を解決するための手段】
【０００７】
本発明の実施形態に係る無線通信システムにおいて端末（ｕｓｅｒ  ｅｑｕｉｐｍｅｎｔ）がＰＤＳＣＨ（ｐｈｙｓｉｃａｌ  ｄｏｗｎｌｉｎｋ  ｓｈａｒｅｄ  ｃｈａｎｎｅｌ）を受信する方法において、前記方法は、基地局から、ｎ番目の送信時間単位（ｔｒａｎｓｍｉｓｓｉｏｎ  ｔｉｍｅ  ｕｎｉｔ）における前記ＰＤＳＣＨをスケジューリングするための下向きリンク制御情報（ｄｏｗｎｌｉｎｋ  ｃｏｎｔｒｏｌ  ｉｎｆｏｒｍａｔｉｏｎ、ＤＣＩ）を受信するステップと、前記ＤＣＩに基づいて、前記ＰＤＳＣＨの受信可否を決定するステップとを含み、前記ＤＣＩは、前記ｎ番目の送信時間単位に前記ＰＤＳＣＨのためのＤＭＲＳ（ｄｅｍｏｄｕｌａｔｉｏｎ  ｒｅｆｅｒｅｎｃｅ  ｓｉｇｎａｌ）が存在するか否かを表す情報を含むことができる。
【０００８】
また、本発明の実施形態に係る前記方法において、前記方法は、基地局から、ｎ−１番目の送信時間単位における他の（ａｎｏｔｈｅｒ）ＰＤＳＣＨをスケジューリングするための他の（ａｎｏｔｈｅｒ）ＤＣＩを受信するステップをさらに含み、前記他のＤＣＩは、前記ｎ−１番目の送信時間単位に前記他のＰＤＳＣＨのためのＤＭＲＳが存在するか否かを表す情報を含み、前記ＰＤＳＣＨの受信可否は、前記ＤＣＩ及び前記他のＤＣＩに基づいて決定されることができる。
【０００９】
また、本発明の実施形態に係る前記方法において、（ｉ）前記ｎ番目の送信時間単位で前記ＰＤＳＣＨのためのＤＭＲＳの不在（ａｂｓｅｎｃｅ）が前記ＤＣＩにより設定され、（ii）前記ｎ−１番目の送信時間単位で前記他のＰＤＳＣＨのためのＤＭＲＳの不在が前記他のＤＣＩにより設定される場合、前記ＰＤＳＣＨは、前記端末により受信されないことができる。
【００１０】
また、本発明の実施形態に係る前記方法において、前記方法は、前記ＰＤＳＣＨが受信されなかった場合、予め定義された規則にしたがって前記ＰＤＳＣＨに対するＨＡＲＱ−ＡＣＫ情報を報告するステップをさらに含むことができる。
【００１１】
また、本発明の実施形態に係る前記方法において、前記方法は、基地局から、ｎ−１番目の送信時間単位で他の（ａｎｏｔｈｅｒ）ＰＤＳＣＨのスケジューリングのための他のＤＣＩを受信するステップをさらに含み、前記ＤＣＩは、前記ｎ番目の送信時間単位における前記ＰＤＳＣＨのための資源割当情報を含み、前記他のＤＣＩは、前記ｎ−１番目の送信時間単位における前記他のＰＤＳＣＨのための資源割当情報を含み、前記ＰＤＳＣＨの受信可否は、前記ＤＣＩ及び前記他のＤＣＩに基づいて決定されることができる。
【００１２】
また、本発明の実施形態に係る前記方法において、（ｉ）前記ｎ番目の送信時間単位で前記ＰＤＳＣＨのためのＤＭＲＳの不在（ａｂｓｅｎｃｅ）が前記ＤＣＩにより設定され、（ii）前記ｎ番目の送信時間単位における前記ＰＤＳＣＨのための資源割当情報が前記ｎ−１番目の送信時間単位における前記他のＰＤＳＣＨのための資源割当情報を含まない場合、前記ＰＤＳＣＨは、前記端末により受信されないことができる。
【００１３】
また、本発明の実施形態に係る前記方法において、前記方法は、前記ＰＤＳＣＨが受信されなかった場合、予め定義された規則にしたがって前記ＰＤＳＣＨに対するＨＡＲＱ−ＡＣＫ情報を報告するステップをさらに含むことができる。
【００１４】
また、本発明の実施形態に係る前記方法において、前記端末は、連続したサブフレームにわたって配置された送信時間単位でスケジューリングされるＰＤＳＣＨ間のＤＭＲＳ共有（ＤＭＲＳ  ｓｈａｒｉｎｇ）を支援しないことができる。
【００１５】
また、本発明の実施形態に係る前記方法において、（ｉ）前記１番目のサブスロットで前記ＰＤＳＣＨのためのＤＭＲＳの不在（ａｂｓｅｎｃｅ）が前記ＤＣＩにより設定され、（ii）前記ｎ番目の送信時間単位は、特定サブフレーム（ｓｕｂｆｒａｍｅ）内での１番目のサブスロット（ｓｕｂｓｌｏｔ）であれば、前記ＰＤＳＣＨは、前記端末により受信されないことができる。
【００１６】
また、本発明の実施形態に係る前記方法において、前記方法は、前記ＰＤＳＣＨが受信されなかった場合、予め定義された規則にしたがって前記ＰＤＳＣＨに対するＨＡＲＱ−ＡＣＫ情報を報告するステップをさらに含むことができる。
【００１７】
また、本発明の実施形態に係る前記方法において、前記端末は、連続したサブフレームにわたって配置された送信時間単位でスケジューリングされる３−レイヤ（ｌａｙｅｒ）以上のＰＤＳＣＨに対するＤＭＲＳ受信（ＤＭＲＳ  ｒｅｃｅｐｔｉｏｎ）を支援しないことができる。
【００１８】
また、本発明の実施形態に係る前記方法において、前記方法は、前記基地局から、ｎ−１番目の送信時間単位で３−レイヤ以上の他の（ａｎｏｔｈｅｒ）ＰＤＳＣＨのための他の（ａｎｏｔｈｅｒ）ＤＭＲＳを受信するステップをさらに含み、（ｉ）前記ｎ−１番目の送信時間単位は、ｍ番目のサブフレーム（ｓｕｂｆｒａｍｅ）内での最後のサブスロット（ｓｕｂｓｌｏｔ）であり、（ii）前記ｎ番目の送信時間単位は、ｍ＋１番目のサブフレーム（ｓｕｂｆｒａｍｅ）内での１番目のサブスロット（ｓｕｂｓｌｏｔ）であり、（iii）前記ＰＤＳＣＨが３−レイヤ以上のＰＤＳＣＨである場合、前記ＤＭＲＳは、前記端末により受信されないことができる。
【００１９】
また、本発明の実施形態に係る前記方法において、前記送信時間単位は、２つ以上のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル（ｓｙｍｂｏｌ）を含むサブスロット（ｓｕｂｓｌｏｔ）でありうる。
【００２０】
本発明の実施形態に係る無線通信システムにおいてＰＤＳＣＨ（ｐｈｙｓｉｃａｌ  ｄｏｗｎｌｉｎｋ  ｓｈａｒｅｄ  ｃｈａｎｎｅｌ）を受信する端末（ｕｓｅｒ  ｅｑｕｉｐｍｅｎｔ）において、前記端末は、無線信号を送受信するための送受信部と、前記送受信部と機能的に連結されているプロセッサとを備え、前記プロセッサは、前記送受信部を利用して、基地局から、ｎ番目の送信時間単位（ｔｒａｎｓｍｉｓｓｉｏｎ  ｔｉｍｅ  ｕｎｉｔ）における前記ＰＤＳＣＨをスケジューリングするための下向きリンク制御情報（ｄｏｗｎｌｉｎｋ  ｃｏｎｔｒｏｌ  ｉｎｆｏｒｍａｔｉｏｎ、ＤＣＩ）を受信し、前記ＤＣＩに基づいて、前記ＰＤＳＣＨの受信可否を決定するように制御し、前記ＤＣＩは、前記ｎ番目の送信時間単位に前記ＰＤＳＣＨのためのＤＭＲＳ（ｄｅｍｏｄｕｌａｔｉｏｎ  ｒｅｆｅｒｅｎｃｅ  ｓｉｇｎａｌ）が存在するか否かを表す情報を含むことができる。
【００２１】
本発明の実施形態に係る無線通信システムにおいてＰＤＳＣＨ（ｐｈｙｓｉｃａｌ  ｄｏｗｎｌｉｎｋ  ｓｈａｒｅｄ  ｃｈａｎｎｅｌ）を送信する基地局（ｂａｓｅ  ｓｔａｔｉｏｎ）において、前記基地局は、無線信号を送受信するための送受信部と、前記送受信部と機能的に連結されているプロセッサとを備え、前記プロセッサは、前記送受信部を利用して、端末に、ｎ番目の送信時間単位（ｔｒａｎｓｍｉｓｓｉｏｎ  ｔｉｍｅ  ｕｎｉｔ）における前記ＰＤＳＣＨをスケジューリングするための下向きリンク制御情報（ｄｏｗｎｌｉｎｋ  ｃｏｎｔｒｏｌ  ｉｎｆｏｒｍａｔｉｏｎ、ＤＣＩ）を送信し、前記ＤＣＩに基づいて、前記ＰＤＳＣＨの送信可否を決定するように制御し、前記ＤＣＩは、前記ｎ番目の送信時間単位に前記ＰＤＳＣＨのためのＤＭＲＳ（ｄｅｍｏｄｕｌａｔｉｏｎ  ｒｅｆｅｒｅｎｃｅ  ｓｉｇｎａｌ）が存在するか否かを表す情報を含むことができる。
【発明の効果】
【００２２】
本明細書の実施形態によれば、ＤＭＲＳ共有（ＤＭＲＳ  ｓｈａｒｉｎｇ）と関連した端末の動作を明確化して、ＤＣＩなどにより指示されるＤＭＲＳ不在または存在の場合に発生され得る端末動作の曖昧性（ａｍｂｉｇｕｉｔｙ）が除去され得るという効果がある。
【００２３】
また、本明細書の実施形態によれば、ＤＭＲＳ繰り返し（ＤＭＲＳ  ｒｅｐｅｔｉｔｉｏｎ）と関連した端末の動作を明確化して、３−レイヤ以上のＰＤＳＣＨに対する動作を可能なようにしたり、及び／又はデータレート（ｄａｔａ  ｒａｔｅ）の減少を防止できるという効果がある。
【００２４】
本明細書において得ることができる効果は以上で言及した効果に制限されず、言及しないまた別の効果は以下の記載から本発明が属する技術分野で通常の知識を有する者に明確に理解できるはずである。
【図面の簡単な説明】
【００２５】
本発明に関する理解を助けるために詳細な説明の一部に含まれる添付図面は本発明に対する実施形態を提供し、詳細な説明と共に本発明の技術的特徴を説明する。
【００２６】
【図１】本発明が適用できる無線通信システムにおける無線フレームの構造を示す。
【図２】本発明が適用できる無線通信システムにおける１つの下向きリンクスロットに対する資源グリッド（ｒｅｓｏｕｒｃｅ  ｇｒｉｄ）を例示した図である。
【図３】本発明が適用できる無線通信システムにおける下向きリンクサブフレームの構造を示す。
【図４】本発明が適用できる無線通信システムにおける上向きリンクサブフレームの構造を示す。
【図５】本明細書において提案する方法が適用できるＮＲの全体的なシステム構造の一例を示す。
【図６】本明細書において提案する方法が適用できる無線通信システムにおける上向きリンクフレームと下向きリンクフレームとの間の関係を示す。
【図７】ＮＲシステムにおけるフレーム構造の一例を示す。
【図８】本明細書において提案する方法が適用できる無線通信システムで支援する資源グリッド（ｒｅｓｏｕｒｃｅ  ｇｒｉｄ）の一例を示す。
【図９】本明細書において提案する方法が適用できるアンテナポート及びヌメロロジー別資源グリッドの例を示す。
【図１０】本明細書において提案する方法が適用できる自己完結型（ｓｅｌｆ−ｃｏｎｔａｉｎｅｄ）構造の一例を示す。
【図１１】本発明が適用できる無線通信システムにおける物理上向きリンク制御チャネル（ｐｈｙｓｉｃａｌ  ｕｐｌｉｎｋ  ｃｏｎｔｒｏｌ  ｃｈａｎｎｅｌ、ＰＵＣＣＨ）のフォーマットが上向きリンク物理資源ブロックのＰＵＣＣＨ領域にマッピングされる形態の一例を示す。
【図１２】本発明が適用できる無線通信システムにおける一般ＣＰ（ｃｙｃｌｉｃ  ｐｒｅｆｉｘ）の場合のＣＱＩ（ｃｈａｎｎｅｌ  ｑｕａｌｉｔｙ  ｉｎｄｉｃａｔｏｒ）チャネルの構造を示す。
【図１３】本発明が適用できる無線通信システムにおける一般ＣＰの場合に、ＡＣＫ／ＮＡＣＫチャネルの構造を示す。
【図１４】本発明が適用できる無線通信システムにおけるＵＬ−ＳＣＨ（ｕｐｌｉｎｋ  ｓｈａｒｅｄ  ｃｈａｎｎｅｌ）の送信チャネルプロセッシングの一例を示す。
【図１５】本発明が適用できる無線通信システムにおける送信チャネル（ｔｒａｎｓｐｏｒｔ  ｃｈａｎｎｅｌ）である上向きリンク共有チャネルの信号処理過程の一例を示す。
【図１６】本発明が適用できる無線通信システムにおける１つのスロットの間に５個のＳＣ−ＦＤＭＡシンボルを生成して送信する一例を示す。
【図１７】一般ＣＰ（ｃｙｃｌｉｃ  ｐｒｅｆｉｘ）を有するＰＵＣＣＨフォーマット３に対するＡＣＫ／ＮＡＣＫチャネルの構造を示す。
【図１８】本明細書において提案する方法が適用され得るデータチャネルの受信可否を決定する端末の動作順序図の一例を示す。
【図１９】本明細書において提案する方法が適用され得るデータチャネルの受信可否を決定する端末の動作順序図を示す。
【図２０】本明細書において提案する方法が適用され得るデータチャネルの受信可否を決定する端末の動作順序図を示す。
【図２１】本明細書において提案する無線通信システムにおいてデータチャネル及び／又は復調参照信号の受信可否を決定する端末の動作順序図の一例を示す。
【図２２】本明細書において提案する無線通信システムにおいてデータチャネル及び／又は復調参照信号の送信可否を決定する基地局の動作順序図の一例を示す。
【図２３】本明細書において提案する方法が適用され得る無線通信装置のブロック構成図を例示する。
【図２４】本明細書において提案する方法が適用され得る無線通信装置のブロック構成図のさらに他の例示である。
【発明を実施するための形態】
【００２７】
以下、本発明にかかる好ましい実施の形態を添付された図面を参照して詳細に説明する。添付された図面と共に以下に開示する詳細な説明は、本発明の例示的な実施の形態を説明するためのものであり、本発明が実施されうる唯一の実施の形態を示すためのものではない。以下の詳細な説明は、本発明の完全な理解を提供するために具体的細部事項を含む。しかしながら、当業者は、本発明がこのような具体的細部事項がなくても実施できることを理解すべきである。
【００２８】
いくつかの場合、本発明の概念が曖昧になることを避けるために、公知の構造及び装置は省略されるか、または各構造及び装置の核心機能を中心にしたブロック図形式で示されることができる。
【００２９】
本明細書において、基地局は端末と直接的に通信を遂行するネットワークの終端ノード（ｔｅｒｍｉｎａｌ  ｎｏｄｅ）としての意味を有する。本文書で基地局により行われるものとして説明された特定動作は、場合によっては、基地局の上位ノード（ｕｐｐｅｒ  ｎｏｄｅ）により行われることもできる。即ち、基地局を含む複数のネットワークノード（ｎｅｔｗｏｒｋ  ｎｏｄｅｓ）からなるネットワークで端末との通信のために行われる様々な動作は基地局または基地局以外の他のネットワークノードにより行われることができることは自明である。「基地局（ＢＳ：Ｂａｓｅ  Ｓｔａｔｉｏｎ）」は固定局（ｆｉｘｅｄ  ｓｔａｔｉｏｎ）、Ｎｏｄｅ  Ｂ、ｅＮＢ（ｅｖｏｌｖｅｄ−Ｎｏｄｅ  Ｂ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）などの用語により代替できる。また、「端末（Ｔｅｒｍｉｎａｌ）」は固定されるか、または移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置などの用語に代替できる。
【００３０】
以下、下向きリンク（ＤＬ：ｄｏｗｎｌｉｎｋ）は基地局から端末への通信を意味し、上向きリンク（ＵＬ：ｕｐｌｉｎｋ）は端末から基地局への通信を意味する。下向きリンクで、送信機は基地局の一部であり、受信機は端末の一部でありうる。上向きリンクで、送信機は端末の一部であり、受信機は基地局の一部でありうる。
【００３１】
以下の説明において用いられる特定用語は、本発明の理解に役立つために提供されたものであり、このような特定用語の使用は、本発明の技術的思想から外れない範囲内で他の形態に変更されることができる。
【００３２】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ−ｏｒｔｈｏｇｏｎａｌ  ｍｕｌｔｉｐｌｅ  ａｃｃｅｓｓ）などのような様々な無線接続システムに用いられることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）またはＣＤＭＡ２０００のような無線技術（ｒａｄｉｏ  ｔｅｃｈｎｏｌｏｇｙ）により実現化されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術により実現化されることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ  ＵＴＲＡ）などのような無線技術により実現化されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡを使用するＥ−ＵＭＴＳ（ｅｖｏｌｖｅｄ  ＵＭＴＳ）の一部であり、下向きリンクにおいてＯＦＤＭＡを採用し、上向きリンクにおいてＳＣ−ＦＤＭＡを採用する。ＬＴＥ−Ａ（ａｄｖａｎｃｅｄ）は、３ＧＰＰ  ＬＴＥの進化である。
【００３３】
本発明の実施形態は、無線アクセスシステムであるＩＥＥＥ  ８０２、３ＧＰＰ及び３ＧＰＰ２のうち、少なくとも１つに開示された標準文書により裏付けられることができる。即ち、本発明の実施形態のうち、本発明の技術的思想を明確にあらわすために、説明しないステップまたは部分は、前記文書により裏付けられることができる。また、本文書に開示しているすべての用語は、前記標準文書により説明されることができる。
【００３４】
説明を明確にするために、３ＧＰＰ  ＬＴＥ／ＬＴＥ−Ａ／ＮＲシステムを中心に述べるが、本発明の技術的特徴がこれに制限されるわけではない。
【００３５】
システム一般
【００３６】
図１は、本発明が適用できる無線通信システムにおける無線フレームの構造を示す。
【００３７】
３ＧＰＰ  ＬＴＥ／ＬＴＥ−ＡではＦＤＤ（Ｆｒｅｑｕｅｎｃｙ  Ｄｉｖｉｓｉｏｎ  Ｄｕｐｌｅｘ）に適用可能なタイプ１の無線フレーム（ｒａｄｉｏ  ｆｒａｍｅ）の構造とＴＤＤ（Ｔｉｍｅ  Ｄｉｖｉｓｉｏｎ  Ｄｕｐｌｅｘ）に適用可能なタイプ２の無線フレームの構造を支援する。
【００３８】
図１で、無線フレームの時間領域でのサイズはＴ＿ｓ＝１／（１５０００＊２０４８）の時間単位の倍数で表現される。下向きリンク及び上向きリンク送信はＴ＿ｆ＝３０７２００＊Ｔ＿ｓ＝１０ｍｓの区間を有する無線フレームで構成される。
【００３９】
図１の（ａ）は、タイプ１の無線フレームの構造を例示する。タイプ１の無線フレームは、全二重（ｆｕｌｌ  ｄｕｐｌｅｘ）及び半二重（ｈａｌｆ  ｄｕｐｌｅｘ）ＦＤＤに全て適用できる。
【００４０】
無線フレーム（ｒａｄｉｏ  ｆｒａｍｅ）は１０個のサブフレーム（ｓｕｂｆｒａｍｅ）から構成される。１つの無線フレームはＴ＿ｓｌｏｔ＝１５３６０＊Ｔ＿ｓ＝０．５ｍｓ長さの２０個のスロットから構成され、各スロットは０から１９までのインデックスが与えられる。１つのサブフレームは時間領域（ｔｉｍｅ  ｄｏｍａｉｎ）で連続的な２つのスロット（ｓｌｏｔ）から構成され、サブフレームｉはスロット２ｉ及びスロット２ｉ＋１で構成される。１つのサブフレームを送信するのにかかる時間をＴＴＩ（ｔｒａｎｓｍｉｓｓｉｏｎ  ｔｉｍｅ  ｉｎｔｅｒｖａｌ）という。例えば、１つのサブフレームの長さは１ｍｓであり、１つのスロットの長さは０．５ｍｓでありうる。
【００４１】
ＦＤＤで上向きリンク送信及び下向きリンク送信は、周波数ドメインで区分される。全二重ＦＤＤに制限がないのに対し、半二重ＦＤＤ動作で端末は同時に送信及び受信をすることができない。
【００４２】
１つのスロットは時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域で複数の資源ブロック（ＲＢ：Ｒｅｓｏｕｒｃｅ  Ｂｌｏｃｋ）を含む。３ＧＰＰ  ＬＴＥは下向きリンクでＯＦＤＭＡを使用するのでＯＦＤＭシンボルは１つのシンボル区間（ｓｙｍｂｏｌ  ｐｅｒｉｏｄ）を表現するためのものである。ＯＦＤＭシンボルは１つのＳＣ−ＦＤＭＡシンボルまたはシンボル区間ということができる。資源ブロック（ｒｅｓｏｕｒｃｅ  ｂｌｏｃｋ）は資源割り当て単位であり、１つのスロットで複数の連続的な副搬送波（ｓｕｂｃａｒｒｉｅｒ）を含む。
【００４３】
図１の（ｂ）は、タイプ２フレーム構造（ｆｒａｍｅ  ｓｔｒｕｃｔｕｒｅ  ｔｙｐｅ２）を示す。
【００４４】
タイプ２の無線フレームは、各１５３６００＊Ｔ＿ｓ＝５ｍｓの長さの２つのハーフフレーム（ｈａｌｆ  ｆｒａｍｅ）から構成される。各ハーフフレームは３０７２０＊Ｔ＿ｓ＝１ｍｓ長さの５個のサブフレームから構成される。
【００４５】
ＴＤＤシステムのタイプ２のフレーム構造で上向きリンク−下向きリンク構成（ｕｐｌｉｎｋ−ｄｏｗｎｌｉｎｋ  ｃｏｎｆｉｇｕｒａｔｉｏｎ）は全てのサブフレームに対して上向きリンクと下向きリンクが割り当て（または、予約）されるかを示す規則である。
【００４６】
表１は、上向きリンク−下向きリンク構成を示す。
【００４７】
【表１】
2020534742.tif 000003
【００４８】
表１を参照すると、無線フレームの各サブフレーム別に、‘Ｄ’は下向きリンク送信のためのサブフレームを示し、‘Ｕ’は上向きリンク送信のためのサブフレームを示し、‘Ｓ’はＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）の３種類のフィールドから構成されるスペシャルサブフレーム（ｓｐｅｃｉａｌ  ｓｕｂｆｒａｍｅ）を示す。ＤｗＰＴＳは、端末での初期セル探索、同期化、またはチャネル推定に使われる。ＵｐＰＴＳは、基地局でのチャネル推定と端末の上向きリンク送信同期を合せるのに使われる。ＧＰは、上向きリンクと下向きリンクの間に下向きリンク信号の多重経路遅延によって上向きリンクで生じる干渉を除去するための区間である。
【００４９】
各サブフレームｉは、各Ｔ＿ｓｌｏｔ＝１５３６０＊Ｔ＿ｓ＝０．５ｍｓ長さのスロット２ｉ及びスロット２ｉ＋１で構成される。
【００５０】
上向きリンク−下向きリンク構成は７種類に区分されることができ、各構成別に下向きリンクサブフレーム、スペシャルサブフレーム、上向きリンクサブフレームの位置及び／又は個数が異なる。
【００５１】
下向きリンクから上向きリンクに変更される時点、または上向きリンクから下向きリンクに切り換えられる時点を切換時点（ｓｗｉｔｃｈｉｎｇ  ｐｏｉｎｔ）という。切換時点の周期性（Ｓｗｉｔｃｈ−ｐｏｉｎｔ  ｐｅｒｉｏｄｉｃｉｔｙ）は上向きリンクサブフレームと下向きリンクサブフレームが切り換えられる様相が同一に繰り返される周期を意味し、５ｍｓまたは１０ｍｓが全て支援される。５ｍｓ下向きリンク−上向きリンク切換時点の周期を有する場合には、スペシャルサブフレーム（Ｓ）はハーフ−フレーム毎に存在し、５ｍｓの下向きリンク−上向きリンク切換時点の周期を有する場合には最初のハーフ−フレームのみに存在する。
【００５２】
全ての構成において、０番、５番サブフレーム、及びＤｗＰＴＳは、下向きリンク送信のみのための区間である。ＵｐＰＴＳ及びサブフレームサブフレームに直ぐ繋がるサブフレームは常に上向きリンク送信のための区間である。
【００５３】
このような上向きリンク−下向きリンク構成は、システム情報として基地局と端末が全て知っていることができる。基地局は上向きリンク−下向きリンク構成情報が変わる度に構成情報のインデックスのみを送信することによって、無線フレームの上向きリンク−下向きリンク割り当て状態の変更を端末に知らせることができる。また、構成情報は一種の下向きリンク制御情報として他のスケジューリング情報と同様にＰＤＣＣＨ（Ｐｈｙｓｉｃａｌ  Ｄｏｗｎｌｉｎｋ  Ｃｏｎｔｒｏｌ  Ｃｈａｎｎｅｌ）を通じて送信されることができ、放送情報としてブロードキャストチャネル（ｂｒｏａｄｃａｓｔ  ｃｈａｎｎｅｌ）を介してセル内の全ての端末に共通に送信されることもできる。
【００５４】
表２は、スペシャルサブフレームの構成（ＤｗＰＴＳ／ＧＰ／ＵｐＰＴＳの長さ）を示す。
【００５５】
【表２】
2020534742.tif 000004
【００５６】
図１の例示に従う無線フレームの構造は１つの例示に過ぎず、無線フレームに含まれる副搬送波の数またはサブフレームに含まれるスロットの数、スロットに含まれるＯＦＤＭシンボルの数は様々に変更できる。
【００５７】
図２は、本発明が適用できる無線通信システムにおける１つの下向きリンクスロットに対する資源グリッド（ｒｅｓｏｕｒｃｅ  ｇｒｉｄ）を例示した図である。
【００５８】
図２を参照すると、１つの下向きリンクスロットは時間領域で複数のＯＦＤＭシンボルを含む。ここで、１つの下向きリンクスロットは７個のＯＦＤＭシンボルを含み、１つの資源ブロックは周波数領域で１２個の副搬送波を含むことを例示的に記述するが、これに限定されるものではない。
【００５９】
資源グリッド上で各要素（ｅｌｅｍｅｎｔ）を資源要素（ｒｅｓｏｕｒｃｅ  ｅｌｅｍｅｎｔ）といい、１つの資源ブロック（ＲＢ：ｒｅｓｏｕｒｃｅ  ｂｌｏｃｋ）は１２×７個の資源要素を含む。下向きリンクスロットに含まれる資源ブロックの数ＮＤＬは下向きリンク送信帯域幅（ｂａｎｄｗｉｄｔｈ）に従属する。
【００６０】
上向きリンクスロットの構造は下向きリンクスロットの構造と同一でありうる。
【００６１】
図３は、本発明が適用できる無線通信システムにおける下向きリンクサブフレームの構造を示す。
【００６２】
図３を参照すると、サブフレーム内の一番目のスロットで前の最大３個のＯＦＤＭシンボルは制御チャネルが割り当てられる制御領域（ｃｏｎｔｒｏｌ  ｒｅｇｉｏｎ）であり、残りのＯＦＤＭシンボルはＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域（ｄａｔａ  ｒｅｇｉｏｎ）である。３ＧＰＰ  ＬＴＥで使われる下向きリンク制御チャネルの一例として、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００６３】
ＰＣＦＩＣＨは、サブフレームの一番目のＯＦＤＭシンボルで送信され、サブフレーム内に制御チャネルの送信のために使われるＯＦＤＭシンボルの数（即ち、制御領域のサイズ）に関する情報を運ぶ。ＰＨＩＣＨは上向きリンクに対する応答チャネルであり、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号を運ぶ。ＰＤＣＣＨを介して送信される制御情報を下向きリンク制御情報（ＤＣＩ：ｄｏｗｎｌｉｎｋ  ｃｏｎｔｒｏｌ  ｉｎｆｏｒｍａｔｉｏｎ）という。下向きリンク制御情報は、上向きリンク資源割り当て情報、下向きリンク資源割り当て情報、または任意の端末グループに対する上向きリンク送信（Ｔｘ）パワー制御命令を含む。
【００６４】
ＰＤＣＣＨはＤＬ−ＳＣＨ（Ｄｏｗｎｌｉｎｋ  Ｓｈａｒｅｄ  Ｃｈａｎｎｅｌ）の資源割り当て及び送信フォーマット（これを下向きリンクグラントともいう。）、ＵＬ−ＳＣＨ（Ｕｐｌｉｎｋ  Ｓｈａｒｅｄ  Ｃｈａｎｎｅｌ）の資源割り当て情報（これを上向きリンクグラントともいう。）、ＰＣＨ（Ｐａｇｉｎｇ  Ｃｈａｎｎｅｌ）でのページング（ｐａｇｉｎｇ）情報、ＤＬ−ＳＣＨでのシステム情報、ＰＤＳＣＨで送信されるランダムアクセス応答（ｒａｎｄｏｍ  ａｃｃｅｓｓ  ｒｅｓｐｏｎｓｅ）のような上位層（ｕｐｐｅｒ−ｌａｙｅｒ）制御メッセージに対する資源割り当て、任意の端末グループ内の個別端末に対する送信パワー制御命令の集合、ＶｏＩＰ（Ｖｏｉｃｅ  ｏｖｅｒ  ＩＰ）の活性化などを運ぶことができる。複数のＰＤＣＣＨは制御領域内で送信されることができ、端末は複数のＰＤＣＣＨをモニタリングすることができる。ＰＤＣＣＨは１つまたは複数の連続的なＣＣＥ（ｃｏｎｔｒｏｌ  ｃｈａｎｎｅｌ  ｅｌｅｍｅｎｔｓ）の集合で構成される。ＣＣＥは無線チャネルの状態に従う符号化率（ｃｏｄｉｎｇ  ｒａｔｅ）をＰＤＣＣＨに提供するために使われる論理的割り当て単位である。ＣＣＥは複数の資源要素グループ（ｒｅｓｏｕｒｃｅ  ｅｌｅｍｅｎｔ  ｇｒｏｕｐ）に対応する。ＰＤＣＣＨのフォーマット及び使用可能なＰＤＣＣＨのビット数はＣＣＥの数とＣＣＥにより提供される符号化率の間の関連関係によって決定される。
【００６５】
基地局は端末に送信しようとするＤＣＩによってＰＤＣＣＨのフォーマットを決定し、制御情報にＣＲＣ（Ｃｙｃｌｉｃ  Ｒｅｄｕｎｄａｎｃｙ  Ｃｈｅｃｋ）を付ける。ＣＲＣにはＰＤＣＣＨの所有者（ｏｗｎｅｒ）や用途によって固有の識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）という。）がマスキングされる。特定の端末のためのＰＤＣＣＨであれば、端末固有の識別子、例えばＣ−ＲＮＴＩ（Ｃｅｌｌ−ＲＮＴＩ）がＣＲＣにマスキングできる。または、ページングメッセージのためのＰＤＣＣＨであれば、ページング指示識別子、例えばＰ−ＲＮＴＩ（Ｐａｇｉｎｇ−ＲＮＴＩ）がＣＲＣにマスキングできる。システム情報、より具体的にシステム情報ブロック（ＳＩＢ：ｓｙｓｔｅｍ  ｉｎｆｏｒｍａｔｉｏｎ  ｂｌｏｃｋ）のためのＰＤＣＣＨであれば、システム情報識別子、ＳＩ−ＲＮＴＩ（ｓｙｓｔｅｍ  ｉｎｆｏｒｍａｔｉｏｎ  ＲＮＴＩ）がＣＲＣにマスキングできる。端末のランダムアクセスプリアンブルの送信に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングできる。
【００６６】
ＥＰＤＣＣＨ（ｅｎｈａｎｃｅｄ  ＰＤＣＣＨ）は、端末特定（ＵＥ−ｓｐｅｃｉｆｉｃ）のシグナリングを運ぶ。ＥＰＤＣＣＨは、端末特定的に設定された物理資源ブロック（ＰＲＢ：ｐｈｙｓｉｃａｌ  ｒｅｓｏｕｒｃｅ  ｂｌｏｃｋ）に位置する。言い換えると、前述したように、ＰＤＣＣＨはサブフレーム内の一番目のスロットで以前の最大３個のＯＦＤＭシンボルで送信されることができるが、ＥＰＤＣＣＨはＰＤＣＣＨ以外の資源領域で送信されることができる。サブフレーム内ＥＰＤＣＣＨが開始される時点（即ち、シンボル）は、上位層のシグナリング（例えば、ＲＲＣシグナリング等）を介して端末に設定されることができる。
【００６７】
ＥＰＤＣＣＨは、ＤＬ−ＳＣＨと関連した送信フォーマット、資源割り当て及びＨＡＲＱ情報、ＵＬ−ＳＣＨと関連した送信フォーマット、資源割り当て及びＨＡＲＱ情報、ＳＬ−ＳＣＨ（Ｓｉｄｅｌｉｎｋ  Ｓｈａｒｅｄ  Ｃｈａｎｎｅｌ）及びＰＳＣＣＨ（Ｐｈｙｓｉｃａｌ  Ｓｉｄｅｌｉｎｋ  Ｃｏｎｔｒｏｌ  Ｃｈａｎｎｅｌ）と関連した資源割り当て情報等を運ぶことができる。多重のＥＰＤＣＣＨが支援されることができ、端末はＥＰＣＣＨのセットをモニタリングすることができる。
【００６８】
ＥＰＤＣＣＨは、１つまたそれ以上の連続した進歩したＣＣＥ（ＥＣＣＥ：ｅｎｈａｎｃｅｄ  ＣＣＥ）を用いて送信されることができ、各ＥＰＤＣＣＨフォーマット別に単一のＥＰＤＣＣＨ当たりのＥＣＣＥの個数が決められることができる。
【００６９】
各ＥＣＣＥは、複数の資源要素グループ（ＥＲＥＧ：ｅｎｈａｎｃｅｄ  ｒｅｓｏｕｒｃｅ  ｅｌｅｍｅｎｔ  ｇｒｏｕｐ）で構成されることができる。ＥＲＥＧは、ＥＣＣＥのＲＥへのマッピングを定義するために使用される。ＰＲＢ対別に１６個のＥＲＥＧが存在する。各ＰＲＢ対内でＤＭＲＳを運ぶＲＥを除き、全てのＲＥは、周波数が増加する順にその次の時間が増加する順に０乃至１５までの番号が付与される。
【００７０】
端末は、複数のＥＰＤＣＣＨをモニタリングすることができる。例えば、端末がＥＰＤＣＣＨ送信をモニタリングする１つのＰＲＢ対内の１つ又は二つのＥＰＤＣＣＨセットが設定されることができる。
【００７１】
互いに異なる個数のＥＣＣＥが併合されることによって、ＥＰＣＣＨのための互いに異なる符号化率（ｃｏｄｉｎｇ  ｒａｔｅ）が実現できる。ＥＰＣＣＨは、地域的送信（ｌｏｃａｌｉｚｅｄ  ｔｒａｎｓｍｉｓｓｉｏｎ）又は分散的送信（ｄｉｓｔｒｉｂｕｔｅｄ  ｔｒａｎｓｍｉｓｓｉｏｎ）を使用することができ、これによってＰＲＢ内ＲＥにＥＣＣＥのマッピングが変わり得る。
【００７２】
図４は、本発明が適用できる無線通信システムにおける上向きリンクサブフレームの構造を示す。
【００７３】
図４を参照すると、上向きリンクサブフレームは周波数領域で制御領域とデータ領域とに分けられる。制御領域には上向きリンク制御情報を運ぶＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。データ領域はユーザデータを運ぶＰＵＳＣＨ（Ｐｈｙｓｉｃａｌ  Ｕｐｌｉｎｋ  Ｓｈａｒｅｄ  Ｃｈａｎｎｅｌ）が割り当てられる。単一搬送波の特性を維持するために１つの端末はＰＵＣＣＨとＰＵＳＣＨを同時に送信しない。
【００７４】
１つの端末に対するＰＵＣＣＨにはサブフレーム内に資源ブロック（ＲＢ：Ｒｅｓｏｕｒｃｅ  Ｂｌｏｃｋ）対が割り当てられる。ＲＢ対に属するＲＢは２つのスロットの各々で互いに異なる副搬送波を占める。これをＰＵＣＣＨに割り当てられたＲＢ対はスロット境界（ｓｌｏｔ  ｂｏｕｎｄａｒｙ）で周波数跳躍（ｆｒｅｑｕｅｎｃｙ  ｈｏｐｐｉｎｇ）されるという。
【００７５】
また、以下、本明細書において提案する発明は、ＬＴＥ／ＬＴＥ−Ａシステム（又は、装置）だけでなく、５Ｇ  ＮＲシステム（又は、装置）にも適用できる。
【００７６】
以下、図５乃至図１０を参考し、５Ｇ  ＮＲシステムの通信について説明する。
【００７７】
５Ｇ  ＮＲシステムは、使用シナリオ（ｕｓａｇｅ  ｓｃｅｎａｒｉｏ）（例：サービス類型）によってｅＭＢＢ（ｅｎｈａｎｃｅｄ  Ｍｏｂｉｌｅ  Ｂｒｏａｄｂａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎｓ）、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ）、Ｖ２Ｘ（ｖｅｈｉｃｌｅ−ｔｏ−ｅｖｅｒｙｔｈｉｎｇ）を定義する。
【００７８】
また、５Ｇ  ＮＲの規格（ｓｔａｎｄａｒｄ）は、ＮＲシステムとＬＴＥシステム間の共存（ｃｏ−ｅｘｉｓｔｅｎｃｅ）によって、スタンドアローン（ＳＡ）と非スタンドアローン（ＮＳＡ）とに区分する。
【００７９】
また、５Ｇ  ＮＲシステムは、様々なサブキャリア間隔（ｓｕｂｃａｒｒｉｅｒ  ｓｐａｃｉｎｇ）を支援し、下向きリンクでＣＰ−ＯＦＤＭを、上向きリンクでＣＰ−ＯＦＤＭ及びＤＦＴ−ｓ−ＯＦＤＭ（ＳＣ−ＯＦＤＭ）を支援する。
【００８０】
本発明の実施形態は、無線接続システムであるＩＥＥＥ  ８０２、３ＧＰＰ及び３ＧＰＰ２の少なくとも１つに開示された標準文書によって裏付けられることができる。即ち、本発明の実施形態のうち、本発明の技術的思想を明確に示すために、説明しない段階又は部分は、前記文書によって裏付けられることができる。また、本文書で開示している全ての用語は、前記標準文書によって説明されることができる。
【００８１】
スマートフォン（ｓｍａｒｔｐｈｏｎｅ）及びＩｏＴ（Ｉｎｔｅｒｎｅｔ  Ｏｆ  Ｔｈｉｎｇｓ）端末の普及が速く拡散されるにしたがって、通信網を介してやり取りする情報の量が増加している。これによって、次世代無線アクセス技術では、既存の通信システム（又は既存の無線アクセス技術（ｒａｄｉｏ  ａｃｃｅｓｓ  ｔｅｃｈｎｏｌｏｇｙ））より、さらに多くのユーザにさらに早いサービスを提供する環境（例：向上した移動広帯域通信（ｅｎｈａｎｃｅｄ  ｍｏｂｉｌｅ  ｂｒｏａｄｂａｎｄ  ｃｏｍｍｕｎｉｃａｔｉｏｎ））が考慮される必要がある。
【００８２】
このため、複数の機器及び物（ｏｂｊｅｃｔ）を連結してサービスを提供するＭＴＣ（Ｍａｃｈｉｎｅ  Ｔｙｐｅ  Ｃｏｍｍｕｎｉｃａｔｉｏｎ）を考慮する通信システムのデザインが議論されている。また、通信の信頼性（ｒｅｌｉａｂｉｌｉｔｙ）及び／又は遅延（ｌａｔｅｎｃｙ）に敏感なサービス（ｓｅｒｖｉｃｅ）及び／又は端末（ｔｅｒｍｉｎａｌ）等を考慮する通信システム（例：ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）のデザインも議論されている。
【００８３】
以下、本明細書において、説明の都合のために、前記次世代無線アクセス技術は、ＮＲ（Ｎｅｗ  ＲＡＴ、Ｒａｄｉｏ  Ａｃｃｅｓｓ  Ｔｅｃｈｎｏｌｏｇｙ）と称され、前記ＮＲが適用される無線通信システムはＮＲシステムと称される。
【００８４】
ＮＲシステムに関する用語の定義
【００８５】
ｅＬＴＥ  ｅＮＢ：ｅＬＴＥ  ｅＮＢは、ＥＰＣ及びＮＧＣに対する連結を支援するｅＮＢの進化（ｅｖｏｌｕｔｉｏｎ）である。
【００８６】
ｇＮＢ：ＮＧＣとの連結だけでなく、ＮＲを支援するノード。
【００８７】
新しいＲＡＮ：ＮＲ又はＥ−ＵＴＲＡを支援するか、ＮＧＣと相互作用する無線アクセスネットワーク。
【００８８】
ネットワークスライス（ｎｅｔｗｏｒｋ  ｓｌｉｃｅ）：ネットワークスライスは、終端間の範囲と共に特定の要求事項を要求する特定の市場シナリオに対して最適化されたソリューションを提供するようにオペレータによって定義されたネットワーク。
【００８９】
ネットワーク機能（ｎｅｔｗｏｒｋ  ｆｕｎｃｔｉｏｎ）：ネットワーク機能は、よく定義された外部のインターフェースと、よく定義された機能的動作を有するネットワークインフラ内での論理的ノード。
【００９０】
ＮＧ−Ｃ：新しいＲＡＮとＮＧＣ間のＮＧ２リファレンスポイント（ｒｅｆｅｒｅｎｃｅ  ｐｏｉｎｔ）に使用されるコントロールプレーンインターフェース。
【００９１】
ＮＧ−Ｕ：新しいＲＡＮとＮＧＣ間のＮＧ３リファレンスポイント（ｒｅｆｅｒｅｎｃｅ  ｐｏｉｎｔ）に使用されるユーザプレーンインターフェース。
【００９２】
非独立型（Ｎｏｎ−ｓｔａｎｄａｌｏｎｅ）ＮＲ：ｇＮＢがＬＴＥ  ｅＮＢをＥＰＣにコントロールプレーンの連結のためのアンカーとして要求するか、又はｅＬＴＥ  ｅＮＢをＮＧＣにコントロールプレーンの連結のためのアンカーとして要求する配置構成。
【００９３】
非独立型Ｅ−ＵＴＲＡ：ｅＬＴＥ  ｅＮＢがＮＧＣにコントロールプレーンの連結のためのアンカーとしてｇＮＢを要求する配置構成。
【００９４】
ユーザプレーンゲートウェイ：ＮＧ−Ｕインターフェースの終端点。
【００９５】
図５は、本明細書において提案する方法が適用できるＮＲの全体的なシステム構造の一例を示す。
【００９６】
図５を参照すると、ＮＧ-ＲＡＮはＮＧ-ＲＡユーザプレーン（新しいＡＳ  ｓｕｂｌａｙｅｒ／ＰＤＣＰ／ＲＬＣ／ＭＡＣ／ＰＨＹ）及びＵＥ（Ｕｓｅｒ  Ｅｑｕｉｐｍｅｎｔ）に対するコントロールプレーン（ＲＲＣ）プロトコル終端を提供するｇＮＢで構成される。
【００９７】
前記ｇＮＢは、Ｘｎインターフェースを介して相互連結される。
【００９８】
前記ｇＮＢは、また、ＮＧインターフェースを介してＮＧＣに連結される。
【００９９】
より具体的には、前記ｇＮＢはＮ２インターフェースを介してＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）に、Ｎ３インターフェースを介してＵＰＦ（Ｕｓｅｒ  Ｐｌａｎｅ  Ｆｕｎｃｔｉｏｎ）に連結される。
【０１００】
ＮＲ（Ｎｅｗ  Ｒａｔ）ヌメロロジー（Ｎｕｍｅｒｏｌｏｇｙ）及びフレーム（ｆｒａｍｅ）構造
【０１０１】
ＮＲシステムでは、複数のヌメロロジー（ｎｕｍｅｒｏｌｏｇｙ）が支援できる。ここで、ヌメロロジーはサブキャリア間隔（ｓｕｂｃａｒｒｉｅｒ  ｓｐａｃｉｎｇ）とＣＰ（Ｃｙｃｌｉｃ  Ｐｒｅｆｉｘ）のオーバーヘッドにより定義されることができる。このとき、複数のサブキャリア間隔は基本サブキャリア間隔を整数Ｎ（または、μ）にスケーリング（ｓｃａｌｉｎｇ）することにより誘導できる。また、非常に高い搬送波周波数で非常に低いサブキャリア間隔を用いないと仮定されても、用いられるヌメロロジーは周波数帯域と独立に選択されることができる。
【０１０２】
また、ＮＲシステムでは複数のヌメロロジーに従う様々なフレーム構造が支援できる。
【０１０３】
以下、ＮＲシステムで考慮されることができるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）ヌメロロジー及びフレーム構造を見る。
【０１０４】
ＮＲシステムで支援される複数のＯＦＤＭヌメロロジーは、表３のように定義されることができる。
【０１０５】
【表３】
2020534742.tif 000005
【０１０６】
ＮＲシステムにおけるフレーム構造（ｆｒａｍｅ  ｓｔｒｕｃｔｕｒｅ）と関連して、時間領域の様々なフィールドのサイズは
2020534742.tif 000006
の時間単位の倍数で表現される。ここで、
2020534742.tif 000007
であり、
2020534742.tif 000008
である。下向きリンク（ｄｏｗｎｌｉｎｋ）及び上向きリンク（ｕｐｌｉｎｋ）送信は
2020534742.tif 000009
の区間を有する無線フレーム（ｒａｄｉｏ  ｆｒａｍｅ）で構成される。ここで、無線フレームは各々
2020534742.tif 000010
の区間を有する１０個のサブフレーム（ｓｕｂｆｒａｍｅ）で構成される。この場合、上向きリンクに対する１セットのフレーム及び下向きリンクに対する１セットのフレームが存在することができる。図６は、本明細書において提案する方法が適用できる無線通信システムにおける上向きリンクフレームと下向きリンクフレームとの間の関係を示す。
【０１０７】
図６に示すように、端末（Ｕｓｅｒ  Ｅｑｕｉｐｍｅｎｔ、ＵＥ）からの上向きリンクフレーム番号ｉの送信は、当該端末における該当下向きリンクフレームの開始より
2020534742.tif 000011
以前に開始しなければならない。
【０１０８】
ヌメロロジーμに対して、スロット（ｓｌｏｔ）はサブフレーム内で
2020534742.tif 000012
の増加する順に番号が付けられて、無線フレーム内で
2020534742.tif 000013
の増加する順に番号が付けられる。１つのスロットは
2020534742.tif 000014
の連続するＯＦＤＭシンボルで構成され、
2020534742.tif 000015
は用いられるヌメロロジー及びスロットの設定（ｓｌｏｔ  ｃｏｎｆｉｇｕｒａｔｉｏｎ）によって決定される。サブフレームでスロット
2020534742.tif 000016
の開始は同じサブフレームでＯＦＤＭシンボル
2020534742.tif 000017
の開始と時間的に整列される。
【０１０９】
全ての端末が同時に送信及び受信できるものではなく、これは下向きリンクスロット（ｄｏｗｎｌｉｎｋ  ｓｌｏｔ）又は上向きリンクスロット（ｕｐｌｉｎｋ  ｓｌｏｔ）の全てのＯＦＤＭシンボルが用いられることはできないということを意味する。
【０１１０】
表４は一般（ｎｏｒｍａｌ）ＣＰにおけるスロット別ＯＦＤＭシンボルの個数
2020534742.tif 000018
、無線フレーム別スロットの個数
2020534742.tif 000019
、サブフレーム別スロットの個数
2020534742.tif 000020
を表し、表５は、拡張（ｅｘｔｅｎｄｅｄ）ＣＰにおけるスロット別ＯＦＤＭシンボルの個数、無線フレーム別スロットの個数、サブフレーム別スロットの個数を表す。
【０１１１】
【表４】
2020534742.tif 000021
【０１１２】
【表５】
2020534742.tif 000022
【０１１３】
図７は、ＮＲシステムにおけるフレーム構造の一例を示す。図７は、単に説明の都合のためのものであるだけで、本発明の範囲を制限するものではない。
表５の場合、
2020534742.tif 000023
である場合、即ち、サブキャリア間隔（ｓｕｂｃａｒｒｉｅｒ  ｓｐａｃｉｎｇ、ＳＣＳ）が６０ｋＨｚである場合の一例であって、表４を参考すると、１サブフレーム（又はフレーム）は４個のスロットを含むことができ、図３に示されている１サブフレーム＝｛１、２、４｝のスロットは一例であって、１サブフレームに含まれることができるスロットの個数は表２のように定義され得る。
【０１１４】
また、ミニ−スロット（ｍｉｎｉ−ｓｌｏｔ）は２、４又は７シンボル（ｓｙｍｂｏｌ）で構成されてもよく、より多いか又はより少ないシンボルで構成されてもよい。
【０１１５】
ＮＲシステムにおける物理資源（ｐｈｙｓｉｃａｌ  ｒｅｓｏｕｒｃｅ）と関連して、アンテナポート（ａｎｔｅｎｎａ  ｐｏｒｔ）、資源グリッド（ｒｅｓｏｕｒｃｅ  ｇｒｉｄ）、資源要素（ｒｅｓｏｕｒｃｅ  ｅｌｅｍｅｎｔ）、資源ブロック（ｒｅｓｏｕｒｃｅ  ｂｌｏｃｋ）、キャリアパート（ｃａｒｒｉｅｒ  ｐａｒｔ）などが考慮され得る。
【０１１６】
以下、ＮＲシステムで考慮できる前記物理資源について具体的に見てみる。
【０１１７】
まず、アンテナポートと関連して、アンテナポートはアンテナポート上のシンボルが運搬されるチャネルが同一なアンテナポート上の他のシンボルが運搬されるチャネルから推論できるように定義される。１本のアンテナポート上のシンボルが運搬されるチャネルの広範囲特性（ｌａｒｇｅ−ｓｃａｌｅ  ｐｒｏｐｅｒｔｙ）が他のアンテナポート上のシンボルが運搬されるチャネルから類推できる場合、２本のアンテナポートはＱＣ／ＱＣＬ（ｑｕａｓｉｃｏ−ｌｏｃａｔｅｄまたはｑｕａｓｉ  ｃｏ−ｌｏｃａｔｉｏｎ）関係にあるといえる。ここで、前記広範囲特性は遅延拡散（Ｄｅｌａｙ  ｓｐｒｅａｄ）、ドップラー拡散（Ｄｏｐｐｌｅｒ  ｓｐｒｅａｄ）、周波数シフト（Ｆｒｅｑｕｅｎｃｙ  ｓｈｉｆｔ）、平均受信パワー（Ａｖｅｒａｇｅ  ｒｅｃｅｉｖｅｄ  ｐｏｗｅｒ）、受信タイミング（Ｒｅｃｅｉｖｅｄ  Ｔｉｍｉｎｇ）のうち、１つ以上を含む。
【０１１８】
図８は、本明細書において提案する方法が適用できる無線通信システムで支援する資源グリッド（ｒｅｓｏｕｒｃｅ  ｇｒｉｄ）の一例を示す。
【０１１９】
図８を参考すると、資源グリッドが周波数領域上に
2020534742.tif 000024
サブキャリアで構成され、１つのサブフレームが１４・２μＯＦＤＭシンボルで構成されることを例示的に記述するが、これに限定されるものではない。
【０１２０】
ＮＲシステムにおいて、伝送される信号（ｔｒａｎｓｍｉｔｔｅｄ  ｓｉｇｎａｌ）は、
2020534742.tif 000025
サブキャリアで構成される１つまたはそれ以上の資源グリッド及び
2020534742.tif 000026
のＯＦＤＭシンボルによって説明される。ここで、
2020534742.tif 000027
である。前記
2020534742.tif 000028
は、最大伝送帯域幅を示し、これは、ヌメロロジーだけでなく、上向きリンクと下向きリンクの間でも変わり得る。
【０１２１】
この場合、図９のように、ヌメロロジーμ及びアンテナポートｐ別に１つの資源グリッドが設定されることができる。
【０１２２】
図９は、本明細書において提案する方法が適用できるアンテナポート及びヌメロロジー別の資源グリッドの例を示す。
【０１２３】
ヌメロロジーμ及びアンテナポートｐに対する資源グリッドの各要素は、資源要素（ｒｅｓｏｕｒｃｅ  ｅｌｅｍｅｎｔ）と称され、インデックス対
2020534742.tif 000029
によって固有的に識別される。ここで、
2020534742.tif 000030
は、周波数領域上のインデックスであり、
2020534742.tif 000031
は、サブフレーム内でシンボルの位置を称する。スロットで資源要素を称するときは、インデックス対
2020534742.tif 000032
が用いられる。ここで、
2020534742.tif 000033
である。
【０１２４】
ヌメロロジーμ及びアンテナポートｐに対する資源要素
2020534742.tif 000034
は、複素値（ｃｏｍｐｌｅｘ  ｖａｌｕｅ）
2020534742.tif 000035
に該当する。混同（ｃｏｎｆｕｓｉｏｎ）になる危険性がない場合、あるいは、特定のアンテナポートまたはヌメロロジーが特定されない場合には、インデックスｐ及びμはドロップ（ｄｒｏｐ）され得、その結果、複素値は
2020534742.tif 000036
または
2020534742.tif 000037
になり得る。
【０１２５】
また、物理資源ブロック（ｐｈｙｓｉｃａｌ  ｒｅｓｏｕｒｃｅ  ｂｌｏｃｋ）は周波数領域上の
2020534742.tif 000038
の連続的なサブキャリアで定義される。
【０１２６】
Ｐｏｉｎｔ  Ａは資源ブロックグリッドの共通参照点（ｃｏｍｍｏｎ  ｒｅｆｅｒｅｎｃｅ  ｐｏｉｎｔ）としての役割をし、次のように取得されることができる。
【０１２７】
−  ＰＣｅｌｌ下向きリンクに対するｏｆｆｓｅｔＴｏＰｏｉｎｔＡは、初期セルの選択のためにＵＥによって使用されたＳＳ／ＰＢＣＨブロックと重なる最も低い資源ブロックの最も低いサブキャリアとｐｏｉｎｔ  Ａ間の周波数オフセットを示し、ＦＲ１に対して１５ｋＨｚのサブキャリア間隔及びＦＲ２に対して６０ｋＨｚのサブキャリア間隔を仮定したリソースブロック単位（ｕｎｉｔ）で表現され；
【０１２８】
−  ａｂｓｏｌｕｔｅＦｒｅｑｕｅｎｃｙＰｏｉｎｔＡはＡＲＦＣＮ（ａｂｓｏｌｕｔｅ  ｒａｄｉｏ−ｆｒｅｑｕｅｎｃｙ  ｃｈａｎｎｅｌ  ｎｕｍｂｅｒ）でのように表現されたｐｏｉｎｔ  Ａの周波数−位置を示す。
【０１２９】
共通資源ブロック（ｃｏｍｍｏｎ  ｒｅｓｏｕｒｃｅ  ｂｌｏｃｋ）はサブキャリア間隔の設定
2020534742.tif 000039
に対する周波数領域で０から上方にナンバリング（ｎｕｍｂｅｒｉｎｇ）される。
【０１３０】
サブキャリア間隔の設定
2020534742.tif 000040
に対する共通資源ブロック０のサブキャリア０の中心は「ｐｏｉｎｔ  Ａ」と一致する。周波数領域で共通資源ブロックの番号（ｎｕｍｂｅｒ）
2020534742.tif 000041
とサブキャリア間隔の設定
2020534742.tif 000042
に対する資源要素（ｋ、ｌ）は下記数式１のように与えられ得る。
【０１３１】
【数１】
2020534742.tif 000043
【０１３２】
ここで、
2020534742.tif 000044
は
2020534742.tif 000045
がｐｏｉｎｔ  Ａを中心とするサブキャリアに該当するようにｐｏｉｎｔ  Ａに相対的に定義されることができる。物理資源ブロックは帯域幅部分（ｂａｎｄｗｉｄｔｈ  ｐａｒｔ、ＢＷＰ）内で０から
2020534742.tif 000046
まで番号がづけられ、
2020534742.tif 000047
はＢＷＰの番号である。ＢＷＰ  ｉで物理資源ブロック
2020534742.tif 000048
と共通資源ブロック
2020534742.tif 000049
間の関係は、下記数式２によって与えられ得る。
【０１３３】
【数２】
2020534742.tif 000050
【０１３４】
ここで、
2020534742.tif 000051
はＢＷＰが共通資源ブロック０に相対的に開始する共通資源ブロックであり得る。
【０１３５】
自己完結型（Ｓｅｌｆ−ｃｏｎｔａｉｎｅｄ）構造
【０１３６】
ＮＲシステムで考慮されるＴＤＤ（Ｔｉｍｅ  Ｄｉｖｉｓｉｏｎ  Ｄｕｐｌｅｘｉｎｇ）構造は、上向きリンク（Ｕｐｌｉｎｋ、ＵＬ）と下向きリンク（Ｄｏｗｎｌｉｎｋ、ＤＬ）を１つのスロット（ｓｌｏｔ）（又はサブフレーム（ｓｕｂｆｒａｍｅ））で全て処理する構造である。これは、ＴＤＤシステムでデータ伝送の遅延（ｌａｔｅｎｃｙ）を最小化するためのものであり、前記構造は自己完結型（ｓｅｌｆ−ｃｏｎｔａｉｎｅｄ）構造又は自己完結型（ｓｅｌｆ−ｃｏｎｔａｉｎｅｄ）スロットと称され得る。
【０１３７】
図１０は、本明細書において提案する方法が適用できる自己完結型（ｓｅｌｆ−ｃｏｎｔａｉｎｅｄ）構造の一例を示す。図１０は単に説明の都合のためのものであるだけで、本発明の範囲を制限するものではない。
【０１３８】
図１０を参考すると、ｌｅｇａｃｙ  ＬＴＥの場合のように、１つの送信単位（例：スロット、サブフレーム）が１４個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル（ｓｙｍｂｏｌ）で構成される場合が仮定される。
【０１３９】
図１０において、領域１００２は下向きリンク制御領域（ｄｏｗｎｌｉｎｋ  ｃｏｎｔｒｏｌ  ｒｅｇｉｏｎ）を意味し、領域１００４は上向きリンク制御領域（ｕｐｌｉｎｋ  ｃｏｎｔｒｏｌ  ｒｅｇｉｏｎ）を意味する。また、領域１００２及び領域１００４以外の領域（即ち、別途の表示がない領域）は、下向きリンクデータ（ｄｏｗｎｌｉｎｋ  ｄａｔａ）又は上向きリンクデータ（ｕｐｌｉｎｋ  ｄａｔａ）の送信のために用いられることができる。
【０１４０】
即ち、上向きリンク制御情報（ｕｐｌｉｎｋ  ｃｏｎｔｒｏｌ  ｉｎｆｏｒｍａｔｉｏｎ）及び下向きリンク制御情報（ｄｏｗｎｌｉｎｋ  ｃｏｎｔｒｏｌ  ｉｎｆｏｒｍａｔｉｏｎ）は１つの自己完結型（ｓｅｌｆ−ｃｏｎｔａｉｎｅｄ）スロットで送信されることができる。これに対し、データ（ｄａｔａ）の場合、上向きリンクデータ又は下向きリンクデータが１つの自己完結型（ｓｅｌｆ−ｃｏｎｔａｉｎｅｄ）スロットで送信されることができる。
【０１４１】
図１０に示されている構造を用いる場合、１つの自己完結型（ｓｅｌｆ−ｃｏｎｔａｉｎｅｄ）スロット内で、下向きリンク送信と上向きリンク送信が順次進められ、下向きリンクデータの送信及び上向きリンクのＡＣＫ／ＮＡＣＫの受信が行われることができる。
【０１４２】
結果、データ伝送のエラーが発生する場合、データの再伝送までかかる時間が減少し得る。これを通じて、データ伝達に関する遅延が最小化し得る。
【０１４３】
図１０のような自己完結型（ｓｅｌｆ−ｃｏｎｔａｉｎｅｄ）スロット構造で、基地局（ｅＮｏｄｅＢ、ｅＮＢ、ｇＮＢ）及び／又は端末（ｔｅｒｍｉｎａｌ、ＵＥ（Ｕｓｅｒ  Ｅｑｕｉｐｍｅｎｔ））が送信モード（ｔｒａｎｓｍｉｓｓｉｏｎ  ｍｏｄｅ）から受信モード（ｒｅｃｅｐｔｉｏｎ  ｍｏｄｅ）へ切り換える過程又は受信モードから送信モードへ切り換える過程のための時間ギャップ（ｔｉｍｅ  ｇａｐ）が要求される。前記時間ギャップに関して、前記自己完結型（ｓｅｌｆ−ｃｏｎｔａｉｎｅｄ）スロットで下向きリンク送信以降に上向きリンク送信が行われる場合、一部ＯＦＤＭシンボルが保護区間（Ｇｕａｒｄ  Ｐｅｒｉｏｄ、ＧＰ）に設定されることができる。
【０１４４】
物理上向きリンク制御チャネル（ＰＵＣＣＨ）
【０１４５】
ＰＵＣＣＨを介して送信される上向きリンク制御情報（ＵＣＩ）は、スケジューリング要求（ＳＲ：Ｓｃｈｅｄｕｌｉｎｇ  Ｒｅｑｕｅｓｔ）、ＨＡＲＱ  ＡＣＫ／ＮＡＣＫ情報及び下向きリンクチャネル測定情報を含むことができる。
【０１４６】
ＨＡＲＱ  ＡＣＫ／ＮＡＣＫ情報は、ＰＤＳＣＨ上の下向きリンクデータパケットのデコーディングの成功可否に応じて生成されることができる。既存の無線通信システムで、下向きリンクの単一コードワード（ｃｏｄｅｗｏｒｄ）の送信に対しては、ＡＣＫ／ＮＡＣＫ情報として１ビットが送信され、下向きリンクの２コードワードの送信に対しては、ＡＣＫ／ＮＡＣＫ情報として２ビットが送信される。
【０１４７】
チャネル測定情報は、多重入出力（ＭＩＭＯ：Ｍｕｌｔｉｐｌｅ  Ｉｎｐｕｔ  Ｍｕｌｔｉｐｌｅ  Ｏｕｔｐｕｔ）技法と関連したフィードバック情報を称し、チャネル品質指示子（ＣＱＩ：Ｃｈａｎｎｅｌ  Ｑｕａｌｉｔｙ  Ｉｎｄｉｃａｔｏｒ）、プリコーディングマトリックスインデックス（ＰＭＩ：Ｐｒｅｃｏｄｉｎｇ  Ｍａｔｒｉｘ  Ｉｎｄｅｘ）及びランク指示子（ＲＩ：Ｒａｎｋ  Ｉｎｄｉｃａｔｏｒ）を含むことができる。これらのチャネル測定情報を通称しＣＱＩと表現してもよい。
【０１４８】
ＣＱＩの送信のために、サブフレーム当たりの２０ビットが使用されることができる。
【０１４９】
ＰＵＣＣＨは、ＢＰＳＫ（Ｂｉｎａｒｙ  Ｐｈａｓｅ  Ｓｈｉｆｔ  Ｋｅｙｉｎｇ）とＱＰＳＫ（Ｑｕａｄｒａｔｕｒｅ  Ｐｈａｓｅ  Ｓｈｉｆｔ  Ｋｅｙｉｎｇ）技法を使用して変調されることができる。ＰＵＣＣＨを介して複数の端末の制御情報が送信されることができ、各端末の信号を区別するためにコード分割多重化（ＣＤＭ：Ｃｏｄｅ  Ｄｉｖｉｓｉｏｎ  Ｍｕｌｔｉｐｌｅｘｉｎｇ）を行う場合に長さ１２のＣＡＺＡＣ（Ｃｏｎｓｔａｎｔ  Ａｍｐｌｉｔｕｄｅ  Ｚｅｒｏ  Ａｕｔｏｃｏｒｒｅｌａｔｉｏｎ）シーケンスを主に使用する。ＣＡＺＡＣシーケンスは、時間領域（ｔｉｍｅ  ｄｏｍａｉｎ）及び周波数領域（ｆｒｅｑｕｅｎｃｙ  ｄｏｍａｉｎ）において一定のサイズ（ａｍｐｌｉｔｕｄｅ）を維持する特性を有するので、端末のＰＡＰＲ（Ｐｅａｋ-ｔｏ-Ａｖｅｒａｇｅ  Ｐｏｗｅｒ  Ｒａｔｉｏ）またはＣＭ（Ｃｕｂｉｃ  Ｍｅｔｒｉｃ）を低くしてカバレッジを増加させるのに適した性質を有する。また、ＰＵＣＣＨを介して送信される下向きリンクデータ送信に対するＡＣＫ／ＮＡＣＫ情報は、直交シーケンス（ｏｒｔｈｇｏｎａｌ  ｓｅｑｕｅｎｃｅ）または直交カバー（ＯＣ：ｏｒｔｈｏｇｏｎａｌ  ｃｏｖｅｒ）を利用してカバーリングされる。
【０１５０】
また、ＰＵＣＣＨ上に送信される制御情報は、互いに異なる循環シフト（ＣＳ：ｃｙｃｌｉｃ  ｓｈｉｆｔ）値を有する循環シフトされたシーケンス（ｃｙｃｌｉｃａｌｌｙ  ｓｈｉｆｔｅｄ  ｓｅｑｕｅｎｃｅ）を利用して区別されることができる。循環シフトされたシーケンスは、基本シーケンス（ｂａｓｅ  ｓｅｑｕｅｎｃｅ）を特定のＣＳ量（ｃｙｃｌｉｃ  ｓｈｉｆｔ  ａｍｏｕｎｔ）だけ循環シフトさせて生成できる。特定のＣＳ量は、循環シフトインデックス（ＣＳ  ｉｎｄｅｘ）により指示される。チャネルの遅延拡散（ｄｅｌａｙ  ｓｐｒｅａｄ）によって使用可能な循環シフトの数は変わり得る。様々な種類のシーケンスが基本シーケンスとして使用されることができ、前述のＣＡＺＡＣシーケンスは、その一例である。
【０１５１】
また、端末が１つのサブフレームにおいて送信できる制御情報の量は、制御情報の送信に利用可能なＳＣ−ＦＤＭＡシンボルの数（すなわち、ＰＵＣＣＨのコヒーレント（ｃｏｈｅｒｅｎｔ）検出のための参照信号（ＲＳ）の送信に用いられるＳＣ−ＦＤＭＡシンボルを除いたＳＣ−ＦＤＭＡシンボル）に応じて決定されることができる。
【０１５２】
３ＧＰＰ  ＬＴＥシステムにおけるＰＵＣＣＨは、送信される制御情報、変調技法、制御情報の量などによって計７種の異なるフォーマットで定義され、それぞれのＰＵＣＣＨフォーマットに従って送信される上向きリンク制御情報（ＵＣＩ：ｕｐｌｉｎｋ  ｃｏｎｔｒｏｌ  ｉｎｆｏｒｍａｔｉｏｎ）の属性は、以下の表６のように要約できる。
【０１５３】
【表６】
2020534742.tif 000052
【０１５４】
ＰＵＣＣＨフォーマット１は、ＳＲの単独送信に使用される。ＳＲ単独送信の場合には、変調されない波形が適用され、これについては詳細に後述する。ＰＵＣＣＨフォーマット１ａまたは１ｂは、ＨＡＲＱ  ＡＣＫ／ＮＡＣＫの送信に使用される。任意のサブフレームにおいてＨＡＲＱ  ＡＣＫ／ＮＡＣＫが単独で送信される場合には、ＰＵＣＣＨフォーマット１ａまたは１ｂを使用することができる。または、ＰＵＣＣＨフォーマット１ａまたは１ｂを使用してＨＡＲＱ  ＡＣＫ／ＮＡＣＫ及びＳＲが同一サブフレームにおいて送信されることもできる。
【０１５５】
ＰＵＣＣＨフォーマット２は、ＣＱＩの送信に使用され、ＰＵＣＣＨフォーマット２ａまたは２ｂは、ＣＱＩ及びＨＡＲＱ  ＡＣＫ／ＮＡＣＫの送信に使用される。
【０１５６】
拡張されたＣＰの場合には、ＰＵＣＣＨフォーマット２がＣＱＩ及びＨＡＲＱ  ＡＣＫ／ＮＡＣＫの送信に使用されることもできる。
【０１５７】
図１１は、本発明が適用できる無線通信システムにおけるＰＵＣＣＨフォーマットが上向きリンク物理資源ブロックのＰＵＣＣＨ領域にマッピングされる形態の一例を示す。
【０１５８】
図１１において、
2020534742.tif 000053
は、上向きリンクでの資源ブロックの個数を示し、０、１、．．．、
2020534742.tif 000054
は、物理資源ブロックの番号を意味する。基本的に、ＰＵＣＣＨは、上向きリンク周波数ブロックの両端（ｅｄｇｅ）にマッピングされる。図１１に示すように、ｍ＝０、１で表されるＰＵＣＣＨ領域にＰＵＣＣＨフォーマット２／２ａ／２ｂがマッピングされ、これは、ＰＵＣＣＨフォーマット２／２ａ／２ｂが帯域端（ｂａｎｄｅｄｇｅ）に位置した資源ブロックにマッピングされると表現できる。また、ｍ＝２で表されるＰＵＣＣＨ領域にＰＵＣＣＨフォーマット２／２ａ／２ｂ及びＰＵＣＣＨフォーマット１／１ａ／１ｂが共に（ｍｉｘｅｄ）マッピングされることができる。次に、ｍ＝３、４、５で表されるＰＵＣＣＨ領域にＰＵＣＣＨフォーマット１／１ａ／１ｂがマッピングされることができる。ＰＵＣＣＨフォーマット２／２ａ／２ｂにより使用可能なＰＵＣＣＨ  ＲＢの数
2020534742.tif 000055
は、ブロードキャスティングのシグナリングによってセル内の端末に指示されることができる。
【０１５９】
ＰＵＣＣＨフォーマット２／２ａ／２ｂについて説明する。ＰＵＣＣＨフォーマット２／２ａ／２ｂは、チャネル測定フィードバック（ＣＱＩ、ＰＭＩ、ＲＩ）を送信するための制御チャネルである。
【０１６０】
チャネル測定フィードバック（以下、通称してＣＱＩ情報と表現）の報告周期及び測定の対象になる周波数単位（または周波数解像度（ｒｅｓｏｌｕｔｉｏｎ））は、基地局によって制御されることができる。時間領域において周期的及び非周期的ＣＱＩ報告が支援できる。ＰＵＣＣＨフォーマット２は、周期的報告のみに使用され、非周期的報告のためには、ＰＵＳＣＨが使用できる。非周期的報告の場合に、基地局は、端末に上向きリンクデータ送信のためにスケジューリングされた資源に個別ＣＱＩ報告をピギーバックして送信するようと称されることができる。
【０１６１】
図１２は、本発明が適用できる無線通信システムにおける一般ＣＰの場合のＣＱＩチャネルの構造を示す。
【０１６２】
１つのスロットのＳＣ−ＦＤＭＡシンボル０〜６のうち、ＳＣ−ＦＤＭＡシンボル１及び５（２番目及び６番目のシンボル）は、復調参照信号（ＤＭＲＳ：Ｄｅｍｏｄｕｌａｔｉｏｎ  Ｒｅｆｅｒｅｎｃｅ  Ｓｉｇｎａｌ）の送信に使用され、残りのＳＣ−ＦＤＭＡシンボルでＣＱＩ情報が送信されることができる。一方、拡張されたＣＰの場合には、１つのＳＣ−ＦＤＭＡシンボル（ＳＣ−ＦＤＭＡシンボル３）がＤＭＲＳの送信に使用される。
【０１６３】
ＰＵＣＣＨフォーマット２／２ａ／２ｂでは、ＣＡＺＡＣシーケンスによる変調を支援し、ＱＰＳＫ変調されたシンボルが長さ１２のＣＡＺＡＣシーケンスで乗算される。シーケンスの循環シフト（ＣＳ）は、シンボル及びスロットの間で変更される。ＤＭＲＳに対して直交カバーリングが使用される。
【０１６４】
１つのスロットに含まれる７個のＳＣ−ＦＤＭＡシンボルのうち、３個のＳＣ−ＦＤＭＡシンボル間隔だけ離れた２個のＳＣ−ＦＤＭＡシンボルには、参照信号（ＤＭＲＳ）がピギーバックされ、残りの５個のＳＣ−ＦＤＭＡシンボルには、ＣＱＩ情報がピギーバックされる。１つのスロット内に２個のＲＳが使用されたことは、高速端末を支援するためである。また、各端末は、循環シフト（ＣＳ）シーケンスを使用して区分される。ＣＱＩ情報のシンボルは、ＳＣ−ＦＤＭＡシンボル全体に変調されて伝達され、ＳＣ−ＦＤＭＡシンボルは、１つのシーケンスから構成されている。すなわち、端末は、各シーケンスにＣＱＩを変調して送信する。
【０１６５】
１つのＴＴＩに送信できるシンボル数は１０個であり、ＣＱＩ情報の変調は、ＱＰＳＫまで決まっている。ＳＣ−ＦＤＭＡシンボルに対してＱＰＳＫマッピングを使用する場合、２ビットのＣＱＩ値がピギーバックできるので、１つのスロットに１０ビットのＣＱＩ値をピギーバックすることができる。したがって、１つのサブフレームに最大２０ビットのＣＱＩ値をピギーバックすることができる。ＣＱＩ情報を周波数領域で拡散させるために周波数領域拡散符号を使用する。
【０１６６】
周波数領域拡散符号としては、長さ−１２のＣＡＺＡＣシーケンス（例えば、ＺＣシーケンス）を使用することができる。各制御チャネルは、互いに異なる循環シフト（ｃｙｃｌｉｃ  ｓｈｉｆｔ）値を有するＣＡＺＡＣシーケンスを適用して区分できる。周波数領域拡散されたＣＱＩ情報にＩＦＦＴが行われる。
【０１６７】
１２個の同等な間隔を有する循環シフトによって１２個の異なる端末が同じＰＵＣＣＨ  ＲＢ上において直交多重化されることができる。一般ＣＰの場合に、ＳＣ−ＦＤＭＡシンボル１及び５上の（拡張されたＣＰの場合にＳＣ−ＦＤＭＡシンボル３上の）ＤＭＲＳシーケンスは、周波数領域上のＣＱＩ信号シーケンスと似ているが、ＣＱＩ情報のような変調は適用されない。
【０１６８】
端末は、ＰＵＣＣＨ資源インデックス
2020534742.tif 000056
に指示されるＰＵＣＣＨ資源上で周期的に異なるＣＱＩ、ＰＭＩ及びＲＩタイプを報告するように上位層のシグナリングによって半静的に（ｓｅｍｉ−ｓｔａｔｉｃａｌｌｙ）設定されることができる。ここで、ＰＵＣＣＨ資源インデックス
2020534742.tif 000057
は、ＰＵＣＣＨフォーマット２／２ａ／２ｂの送信に使用されるＰＵＣＣＨ領域、及び使用されるべき循環シフト（ＣＳ）値を指示する情報である。
【０１６９】
ＰＵＣＣＨチャネル構造
【０１７０】
ＰＵＣＣＨフォーマット１ａ及び１ｂについて説明する。
【０１７１】
ＰＵＣＣＨフォーマット１ａ／１ｂにおいてＢＰＳＫまたはＱＰＳＫ変調方式を利用して変調されたシンボルは、長さ１２のＣＡＺＡＣシーケンスで乗算（ｍｕｌｔｉｐｌｙ）される。例えば、変調シンボルｄ（０）に長さＮのＣＡＺＡＣシーケンスｒ（ｎ）（ｎ＝０、１、２、．．．、Ｎ−１）が乗算された結果は、ｙ（０）、ｙ（１）、ｙ（２）、．．．、ｙ（Ｎ-１）になる。ｙ（０）、．．．、ｙ（Ｎ-１）のシンボルをシンボルブロック（ｂｌｏｃｋ  ｏｆ  ｓｙｍｂｏｌ）と称することができる。変調シンボルにＣＡＺＡＣシーケンスを掛け算した後に、直交シーケンスを利用したブロック−単位（ｂｌｏｃｋ−ｗｉｓｅ）拡散が適用される。
【０１７２】
一般ＡＣＫ／ＮＡＣＫ情報に対しては、長さ４のアダマール（Ｈａｄａｍａｒｄ）シーケンスが使用され、短い（ｓｈｏｒｔｅｎｅｄ）ＡＣＫ／ＮＡＣＫ情報及び参照信号（Ｒｅｆｅｒｅｎｃｅ  ｓｉｇｎａｌ）に対しては、長さ３のＤＦＴ（Ｄｉｓｃｒｅｔｅ  Ｆｏｕｒｉｅｒ  Ｔｒａｎｓｆｏｒｍ）シーケンスが使用される。
【０１７３】
拡張されたＣＰの場合の参照信号に対しては、長さ２のアダマールシーケンスが使用される。
【０１７４】
図１３は、本発明が適用できる無線通信システムにおける一般ＣＰの場合にＡＣＫ／ＮＡＣＫチャネルの構造を示す。
【０１７５】
図１３では、ＣＱＩなしでＨＡＲＱ  ＡＣＫ／ＮＡＣＫ送信のためのＰＵＣＣＨチャネルの構造を例示的に示す。
【０１７６】
１つのスロットに含まれる７個のＳＣ−ＦＤＭＡシンボルのうち、中間部分の３個の連続するＳＣ−ＦＤＭＡシンボルには参照信号（ＲＳ）がピギーバックされ、残りの４個のＳＣ−ＦＤＭＡシンボルにはＡＣＫ／ＮＡＣＫ信号がピギーバックされる。
【０１７７】
一方、拡張されたＣＰの場合には、中間の２個の連続するシンボルにＲＳがピギーバックされることができる。ＲＳに使用されるシンボルの個数及び位置は、制御チャネルに応じて変わり得、これと関連したＡＣＫ／ＮＡＣＫ信号に使用されるシンボルの個数及び位置も、それに応じて変わり得る。
【０１７８】
１ビット及び２ビットの確認応答情報（スクランブリングされていない状態）は、各々ＢＰＳＫ及びＱＰＳＫ変調技法を使用し、１つのＨＡＲＱ  ＡＣＫ／ＮＡＣＫ変調シンボルで表されることができる。肯定確認応答（ＡＣＫ）は、「１」でエンコーディングされてもよく、否定確認応答（ＮＡＣＫ）は、「０」でエンコーディングされてもよい。
【０１７９】
割り当てられる帯域内で制御信号を送信する時、多重化容量を高めるために２次元の拡散が適用される。即ち、多重化できる端末の数又は制御チャネルの数を高めるために、周波数領域の拡散と時間領域の拡散を同時に適用する。
【０１８０】
ＡＣＫ／ＮＡＣＫ信号を周波数領域で拡散させるために、周波数領域のシーケンスを基本シーケンスとして用いる。周波数領域のシーケンスとしては、ＣＡＺＡＣシーケンスのうちの１つであるＺａｄｏｆｆ−Ｃｈｕ（ＺＣ）シーケンスを使用してもよい。例えば、基本シーケンスであるＺＣシーケンスに互いに異なる循環シフト（ＣＳ：Ｃｙｃｌｉｃ  Ｓｈｉｆｔ）が適用されることによって、互いに異なる端末又は互いに異なる制御チャネルの多重化が適用されることができる。ＨＡＲＱ  ＡＣＫ／ＮＡＣＫ送信のためのＰＵＣＣＨ  ＲＢのためのＳＣ−ＦＤＭＡシンボルで支援されるＣＳ資源の個数は、セル特定の上位層のシグナリングパラメータ
2020534742.tif 000058
によって設定される。
【０１８１】
周波数領域拡散されたＡＣＫ／ＮＡＣＫ信号は、直交拡散（ｓｐｒｅａｄｉｎｇ）コードを使用して時間領域で拡散される。直交拡散コードとしては、ウォルシュ−アダマール（Ｗａｌｓｈ−Ｈａｄａｍａｒｄ）シーケンス又はＤＦＴシーケンスが使用できる。例えば、ＡＣＫ／ＮＡＣＫ信号は、４シンボルに対して長さ４の直交シーケンス（ｗ０、ｗ１、ｗ２、ｗ３）を用いて拡散されることができる。また、ＲＳも、長さ３又は長さ２の直交シーケンスを介して拡散させる。これを直交カバーリング（ＯＣ：Ｏｒｔｈｏｇｏｎａｌ  Ｃｏｖｅｒｉｎｇ）という。
【０１８２】
前述したような周波数領域におけるＣＳ資源及び時間領域におけるＯＣ資源を用いて、複数の端末がコード分割多重化（ＣＤＭ：Ｃｏｄｅ  Ｄｉｖｉｓｉｏｎ  Ｍｕｌｔｉｐｌｅｘｉｎｇ）方式で多重化されることができる。即ち、同じＰＵＣＣＨ  ＲＢ上で多くの数の端末のＡＣＫ／ＮＡＣＫ情報及びＲＳが多重化されることができる。
【０１８３】
このような時間領域拡散ＣＤＭに対して、ＡＣＫ／ＮＡＣＫ情報に対して支援される拡散コードの個数は、ＲＳシンボルの個数によって制限される。即ち、ＲＳ送信のＳＣ−ＦＤＭＡシンボルの個数は、ＡＣＫ／ＮＡＣＫ情報送信のＳＣ−ＦＤＭＡシンボルの数よりも少ないため、ＲＳの多重化容量（ｃａｐａｃｉｔｙ）がＡＣＫ／ＮＡＣＫ情報の多重化容量に比べて少なくなる。
【０１８４】
例えば、一般ＣＰの場合に、４個のシンボルでＡＣＫ／ＮＡＣＫ情報が送信されることができるが、ＡＣＫ／ＮＡＣＫ情報のために４個ではなく３個の直交拡散コードが使用され、これは、ＲＳ送信シンボルの個数が３個に制限されて、ＲＳのために３個の直交拡散コードのみが使用されるためである。
【０１８５】
一般ＣＰのサブフレームにおいて、１つのスロットで３個のシンボルがＲＳ送信のために使用され、４個のシンボルがＡＣＫ／ＮＡＣＫ情報の送信のために使用される場合に、例えば、周波数領域で６個の循環シフト（ＣＳ）及び時間領域で３個の直交カバー（ＯＣ）資源を使用することができるならば、計１８個の異なる端末からのＨＡＲＱ確認応答が１つのＰＵＣＣＨ  ＲＢ内で多重化されることができる。もし、拡張されたＣＰのサブフレームにおいて、１つのスロットで２個のシンボルがＲＳ送信のために使用され、４個のシンボルがＡＣＫ／ＮＡＣＫ情報の送信のために使用される場合に、例えば、周波数領域で６個の循環シフト（ＣＳ）及び時間領域で２個の直交カバー（ＯＣ）資源を使用することができるならば、計１２個の異なる端末からのＨＡＲＱ確認応答が１つのＰＵＣＣＨ  ＲＢ内で多重化されることができる。
【０１８６】
次に、ＰＵＣＣＨフォーマット１について説明する。スケジューリング要求（ＳＲ）は、端末がスケジューリングされるように要求するか、又は要求しない方式で送信される。ＳＲチャネルは、ＰＵＣＣＨフォーマット１ａ／１ｂでのＡＣＫ／ＮＡＣＫチャネルの構造を再使用し、ＡＣＫ／ＮＡＣＫチャネルの設計に基づいてＯＯＫ（Ｏｎ−Ｏｆｆ  Ｋｅｙｉｎｇ）方式で構成される。ＳＲチャネルでは、参照信号が送信されない。従って、一般ＣＰの場合には、長さ７のシーケンスが用いられ、拡張されたＣＰの場合には、長さ６のシーケンスが用いられる。ＳＲ及びＡＣＫ／ＮＡＣＫに対して異なる循環シフト又は直交カバーが割り当てられ得る。即ち、肯定（ｐｏｓｉｔｉｖｅ）ＳＲ送信のために、端末はＳＲ用に割り当てられた資源を介して、ＨＡＲＱ  ＡＣＫ／ＮＡＣＫを送信する。否定（ｎｅｇａｔｉｖｅ）ＳＲ送信のためには、端末はＡＣＫ／ＮＡＣＫ用に割り当てられた資源を介して、ＨＡＲＱ  ＡＣＫ／ＮＡＣＫを送信する。
【０１８７】
次に、改善したＰＵＣＣＨ（ｅ−ＰＵＣＣＨ）フォーマットについて説明する。ｅ−ＰＵＣＣＨは、ＬＴＥ−ＡシステムのＰＵＣＣＨフォーマット３に対応し得る。ＰＵＣＣＨフォーマット３を用いたＡＣＫ／ＮＡＣＫ送信には、ブロック拡散（ｂｌｏｃｋ  ｓｐｒｅａｄｉｎｇ）技法が適用できる。
【０１８８】
ＰＵＣＣＨ  ｐｉｇｇｙｂａｃｋｉｎｇ  ｉｎ  Ｒｅｌ−８  ＬＴＥ
【０１８９】
図１４は、本発明が適用できる無線通信システムにおけるＵＬ−ＳＣＨの送信チャネルプロセッシングの一例を示す。
【０１９０】
３ＧＰＰ  ＬＴＥシステム（＝Ｅ−ＵＴＲＡ、Ｒｅｌ．８）では、ＵＬの場合、端末機のパワーアンプの効率的な活用のために、パワーアンプの性能に影響を与えるＰＡＰＲ（Ｐｅａｋ−ｔｏ−Ａｖｅｒａｇｅ  Ｐｏｗｅｒ  Ｒａｔｉｏ）特性や、ＣＭ（Ｃｕｂｉｃ  Ｍｅｔｒｉｃ）特性が良い単一キャリア送信を維持するようになっている。即ち、既存のＬＴＥシステムのＰＵＳＣＨ送信の場合、送信しようとするデータをＤＦＴ−プリコーディングを介して単一キャリア特性を維持し、ＰＵＣＣＨ送信の場合は、単一キャリア特性を有しているシーケンスに情報をピギーバックして送信することによって、単一キャリア特性を維持することができる。しかし、ＤＦＴ−プリコーディングをしたデータを周波数軸で非連続的に割り当てるか、ＰＵＳＣＨとＰＵＣＣＨが同時に送信するようになる場合には、このような単一キャリア特性がなくなる。従って、図８のように、ＰＵＣＣＨ送信と同じサブフレームにＰＵＳＣＨ送信がある場合、単一キャリア特性を維持するために、ＰＵＣＣＨに送信するＵＣＩ（ｕｐｌｉｎｋ  ｃｏｎｔｒｏｌ  ｉｎｆｏｒｍａｔｉｏｎ）情報をＰＵＳＣＨを介してデータと共に送信（Ｐｉｇｇｙｂａｃｋ）するようになっている。
【０１９１】
前記で説明したように、既存のＬＴＥ端末は、ＰＵＣＣＨとＰＵＳＣＨが同時に送信できないため、ＰＵＳＣＨが送信されるサブフレームでは、上向きリンク制御情報（ＵＣＩ）（ＣＱＩ／ＰＭＩ、ＨＡＲＱ−ＡＣＫ、ＲＩ等）をＰＵＳＣＨ領域に多重化する方法を使用する。
【０１９２】
一例として、ＰＵＳＣＨを送信するように割り当てられたサブフレームでチャネル品質指示子（ＣＱＩ）及び／又はプリコーディングマトリックス指示子（ＰＭＩ）を送信すべき場合、ＵＬ−ＳＣＨデータとＣＱＩ／ＰＭＩをＤＦＴ−拡散する前に多重化して、制御情報とデータを共に送信することができる。この場合、ＵＬ−ＳＣＨデータは、ＣＱＩ／ＰＭＩ資源を考慮し、レートマッチング（ｒａｔｅ−ｍａｔｃｈｉｎｇ）を行うことになる。また、ＨＡＲＱ  ＡＣＫ、ＲＩ等の制御情報は、ＵＬ−ＳＣＨデータをパンクチャリング（ｐｕｎｃｔｕｒｉｎｇ）し、ＰＵＳＣＨ領域に多重化される方式が使用されている。
【０１９３】
図１５は、本発明が適用できる無線通信システムにおける送信チャネル（ｔｒａｎｓｐｏｒｔ  ｃｈａｎｎｅｌ）である上向きリンク共有チャネルの信号処理過程の一例を示す。
【０１９４】
以下、上向きリンク共有チャネル（以下、「ＵＬ−ＳＣＨ」という）の信号処理過程は、１つ以上の送信チャネル又は制御情報タイプに適用されることができる。
【０１９５】
図１５を参照すると、ＵＬ−ＳＣＨは、送信時間区間（ＴＴＩ：ｔｒａｎｓｍｉｓｓｉｏｎ  ｔｉｍｅ  ｉｎｔｅｒｖａｌ）毎に一度ずつデータを送信ブロック（ＴＢ：Ｔｒａｎｓｐｏｒｔ  Ｂｌｏｃｋ）の形態で符号化ユニット（ｃｏｄｉｎｇ  ｕｎｉｔ）に伝達される。
【０１９６】
上位層から伝達された送信ブロックのビット
2020534742.tif 000059
にＣＲＣパリティビット（ｐａｒｉｔｙ  ｂｉｔ）
2020534742.tif 000060
を付着する。このとき、Ａは送信ブロックのサイズであり、Ｌはパリティビットの数である。ＣＲＣが付着された入力ビットは、
2020534742.tif 000061
の通りである。このとき、ＢはＣＲＣを含んだ送信ブロックのビット数を示す。
【０１９７】
2020534742.tif 000062
は、ＴＢのサイズに応じて、複数個のコードブロック（ＣＢ：Ｃｏｄｅ  ｂｌｏｃｋ）に分割（ｓｅｇｍｅｎｔａｔｉｏｎ）され、分割された複数個のＣＢにＣＲＣが付着される。コードブロックの分割及びＣＲＣの付着後のビットは
2020534742.tif 000063
の通りである。ここで、ｒはコードブロックの番号（ｒ＝０、…、Ｃ−１）であり、Ｋｒはコードブロックｒによるビット数である。また、Ｃはコードブロックの合計数を示す。
【０１９８】
次いで、チャネル符号化（ｃｈａｎｎｅｌ  ｃｏｄｉｎｇ）が行われる。チャネル符号化後の出力ビットは、
2020534742.tif 000064
の通りである。このとき、ｉは符号化されたストリームインデックスであり、０、１又は２の値を有し得る。Ｄｒはコードブロックｒのためのｉ番目に符号化されたストリームのビット数を示す。ｒはコードブロックの番号（ｒ＝０、…、Ｃ−１）であり、Ｃはコードブロックの合計数を示す。各コードブロックは、各々ターボコーディングによって符号化され得る。
【０１９９】
次いで、レートマッチング（Ｒａｔｅ  Ｍａｔｃｈｉｎｇ）が行われる。レートマッチングを経た後のビットは、
2020534742.tif 000065
の通りである。このとき、ｒはコードブロックの番号であり（ｒ＝０、…、Ｃ−１）、Ｃはコードブロックの合計数を示す。Ｅｒは、ｒ番目のコードブロックのレートマッチングされたビット数を示す。
【０２００】
次いで、再度コードブロック間の結合（ｃｏｎｃａｔｅｎａｔｉｏｎ）が行われる。コードブロックの結合が行われた後のビットは、
2020534742.tif 000066
の通りである。このとき、Ｇは送信のための符号化されたビットの合計数を示し、制御情報がＵＬ−ＳＣＨ送信と多重化されるとき、制御情報の送信のために使用されるビット数は含まれない。
【０２０１】
一方、ＰＵＳＣＨで制御情報が送信されるとき、制御情報であるＣＱＩ／ＰＭＩ、ＲＩ、ＡＣＫ／ＮＡＣＫは、各々独立にチャネルの符号化が行われる。各制御情報の送信のために各々互いに異なる符号化されたシンボルが割り当てられるため、各々の制御情報は互いに異なるコーディング率（ｃｏｄｉｎｇ  ｒａｔｅ）を有する。
【０２０２】
ＴＤＤ（Ｔｉｍｅ  Ｄｉｖｉｓｉｏｎ  Ｄｕｐｌｅｘ）でＡＣＫ／ＮＡＣＫフィードバック（ｆｅｅｄｂａｃｋ）モードは、上位層の設定によってＡＣＫ／ＮＡＣＫバンドリング（ｂｕｎｄｌｉｎｇ）及びＡＣＫ／ＮＡＣＫ多重化（ｍｕｌｔｉｐｌｅｘｉｎｇ）の二つのモードが支援される。ＡＣＫ／ＮＡＣＫバンドリングのために、ＡＣＫ／ＮＡＣＫ情報のビットは、１ビット又は２ビットで構成され、ＡＣＫ／ＮＡＣＫ多重化のために、ＡＣＫ／ＮＡＣＫ情報のビットは、１ビットから４ビットの間で構成される。
【０２０３】
コードブロック間の結合段階後に、ＵＬ−ＳＣＨデータの符号化されたビット
2020534742.tif 000067
とＣＱＩ／ＰＭＩの符号化されたビット
2020534742.tif 000068
の多重化が行われる。データとＣＱＩ／ＰＭＩの多重化された結果は
2020534742.tif 000069
の通りである。このとき、
2020534742.tif 000070
は、
2020534742.tif 000071
の長さを有するコラム（ｃｏｌｕｍｎ）ベクトルを示す。
2020534742.tif 000072
であり、
2020534742.tif 000073
である。
2020534742.tif 000074
は、ＵＬ−ＳＣＨ送信ブロックがマッピングされたレイヤの個数を示し、Ｈは送信ブロックがマッピングされた
2020534742.tif 000075
個の送信レイヤにＵＬ−ＳＣＨデータとＣＱＩ／ＰＭＩ情報のために割り当てられた符号化されたビットの合計数を示す。
【０２０４】
次いで、多重化されたデータとＣＱＩ／ＰＭＩ、別にチャネル符号化されたＲＩ、ＡＣＫ／ＮＡＣＫは、チャネルインターリービングされて出力信号が生成される。
【０２０５】
ＰＤＣＣＨ割り当て手続（ａｓｓｉｇｎｍｅｎｔ  ｐｒｏｃｅｄｕｒｅ）
【０２０６】
１つのサブフレーム内で複数のＰＤＣＣＨが送信されることができる。即ち、１つのサブフレームの制御領域は、インデックス
2020534742.tif 000076
を有する複数のＣＣＥで構成される。ここで、
2020534742.tif 000077
は、ｋ番目のサブフレームの制御領域内のＣＣＥの合計数を意味する。端末は、サブフレーム毎に複数のＰＤＣＣＨをモニタリングする。ここで、モニタリングとは、端末がモニタリングされるＰＤＣＣＨのフォーマットによってＰＤＣＣＨのそれぞれのデコーディングを試みることを言う。サブフレーム内で割り当てられた制御領域で、基地局は端末に該当するＰＤＣＣＨがどこにあるかに関する情報を提供しない。端末は、基地局から送信された制御チャネルを受信するために、自身のＰＤＣＣＨがどの位置でどんなＣＣＥ集合レベルやＤＣＩフォーマットに送信されるか分からないので、端末は、サブフレーム内でＰＤＣＣＨ候補（ｃａｎｄｉｄａｔｅ）の集合をモニタリングし、自身のＰＤＣＣＨを見つける。これをブラインドデコーディング（ＢＤ：Ｂｌｉｎｄ  Ｄｅｃｏｄｉｎｇ／Ｄｅｔｅｃｔｉｏｎ）という。ブラインドデコーディングは、端末がＣＲＣ部分に自身の端末識別子（ＵＥ  ＩＤ）をデマスキング（Ｄｅ−Ｍａｓｋｉｎｇ）させた後、ＣＲＣエラーを検討し、該当ＰＤＣＣＨが自身の制御チャネルであるか否かを確認する方法をいう。
【０２０７】
活性モード（ａｃｔｉｖｅ  ｍｏｄｅ）において、端末は自身に送信されるデータを受信するために、毎サブフレームのＰＤＣＣＨをモニタリングする。ＤＲＸモードにおいて、端末は毎ＤＲＸ周期のモニタリング区間で起床（ｗａｋｅ  ｕｐ）し、モニタリング区間に該当するサブフレームでＰＤＣＣＨをモニタリングする。ＰＤＣＣＨのモニタリングが行われるサブフレームを非ＤＲＸ（ｎｏｎ−ＤＲＸ）サブフレームという。 
【０２０８】
端末は、自身に送信されるＰＤＣＣＨを受信するためには、非ＤＲＸサブフレームの制御領域に存在する全てのＣＣＥに対してブラインドデコーディングを行わなければならない。端末は、いずれのＰＤＣＣＨフォーマットが送信されるか分からないので、毎非ＤＲＸサブフレーム内でＰＤＣＣＨのブラインドデコーディングに成功するまで、可能なＣＣＥ集団レベルでＰＤＣＣＨを全てデコーディングしなければならない。端末は、自身のためのＰＤＣＣＨがいくつかのＣＣＥを使用するか分からないので、ＰＤＣＣＨのブラインドデコーディングに成功するまで、可能な全てのＣＣＥ集団レベルで検出を試みなければならない。即ち、端末は、ＣＣＥ集合レベル別にブラインドデコーディングを行う。即ち、端末は、まずＣＣＥ集合レベルの単位を１としてデコーディングを試みる。デコーディングが全て失敗すると、ＣＣＥ集合レベルの単位を２としてデコーディングを試みる。その後、再度ＣＣＥ集合レベルの単位を４、ＣＣＥ集合レベルの単位を８としてデコーディングを試みる。また、端末は、Ｃ−ＲＮＴＩ、Ｐ−ＲＮＴＩ、ＳＩ−ＲＮＴＩ、ＲＡ−ＲＮＴＩの４個に対して全てブラインドデコーディグを試みることになる。また、端末は、モニタリングすべき全てのＤＣＩフォーマットに対してブラインドデコーディングを試みることになる。
【０２０９】
このように、端末が可能な全てのＲＮＴＩに対して、モニタリングすべき全てのＤＣＩフォーマットに対して、全てのＣＣＥ集合レベル別にブラインドデコーディングを試みれば、検出試み（ｄｅｔｅｃｔｉｏｎ  ａｔｔｅｍｐｔ）の回数が過度に多くなるので、ＬＴＥシステムでは端末のブラインドデコーディングのために検索空間（ＳＳ：Ｓｅａｒｃｈ  Ｓｐａｃｅ）の概念を定義する。検索空間は、モニターするためのＰＤＣＣＨの候補セットを意味し、各ＰＤＣＣＨフォーマットに応じて異なるサイズを有し得る。
【０２１０】
検索空間は、共用検索空間（ＣＳＳ：Ｃｏｍｍｏｎ  Ｓｅａｒｃｈ  Ｓｐａｃｅ）と端末特定検索空間（ＵＳＳ：ＵＥ−ｓｐｅｃｉｆｉｃ／Ｄｅｄｉｃａｔｅｄ  Ｓｅａｒｃｈ  Ｓｐａｃｅ）で構成されることができる。共用検索空間の場合、全ての端末が共用検索空間のサイズについて分かるが、端末特定検索空間は、各端末毎に個別的に設定されることができる。従って、端末はＰＤＣＣＨをデコーディングするために端末特定検索空間及び共用検索空間を全てモニタリングすべき、よって、１つのサブフレームで最大４４回のブラインドデコーディング（ＢＤ）を行うことになる。ここには、異なるＣＲＣ値（例えば、Ｃ−ＲＮＴＩ、Ｐ−ＲＮＴＩ、ＳＩ−ＲＮＴＩ、ＲＡ−ＲＮＴＩ）に応じて行うブラインドデコーディングは含まれない。
【０２１１】
小さい検索空間によって、基地局は与えられたサブフレーム内でＰＤＣＣＨを送信しようとする端末の全てにＰＤＣＣＨを送信するためのＣＣＥ資源が確保できない場合が発生し得る。何故なら、ＣＣＥの位置が割り当てられて残った資源は、特定端末の検索空間内に含まれないことがあるためである。次のサブフレームにも続くことができるこのような壁を最小化するために、端末特定ホッピング（ｈｏｐｐｉｎｇ）シーケンスが端末特定検索空間の開始地点に適用され得る。
【０２１２】
表７は、共用検索空間と端末特定検索空間のサイズを示す。
【０２１３】
【表７】
2020534742.tif 000078
【０２１４】
ブラインドデコーディングを試みる回数による端末の計算的ロード（ｌｏａｄ）を軽減するために、端末は定義された全てのＤＣＩフォーマットによる検索を同時に行わない。具体的に、端末は、端末特定検索空間で常時ＤＣＩフォーマット０と１Ａに関する検索を行うことができる。このとき、ＤＣＩフォーマット０と１Ａは同一のサイズを有するが、端末はＰＤＣＣＨに含まれたＤＣＩフォーマット０と１Ａを区分するのに使用されるフラグ（ｆｌａｇ  ｆｏｒ  ｆｏｒｍａｔ  ０／ｆｏｒｍａｔ  １Ａ  ｄｉｆｆｅｒｅｎｔｉａｔｉｏｎ）を用いて、ＤＣＩフォーマットを区分することができる。また、基地局によって設定されたＰＤＳＣＨ送信モードに応じて、端末に０と１Ａ以外に他のＤＣＩフォーマットが要求できるが、その一例として、ＤＣＩフォーマット１、１Ｂ、２がある。
【０２１５】
共用検索空間で、端末はＤＣＩフォーマット１Ａと１Ｃを検索することができる。また、端末は、ＤＣＩフォーマット３又は３Ａを検索するように設定されることができ、ＤＣＩフォーマット３と３Ａは、ＤＣＩフォーマット０と１Ａと同一のサイズを有するが、端末は端末特定の識別子ではなく、他の識別子によってスクランブル（ｓｃｒａｍｂｌｉｎｇ）されたＣＲＣを用いてＤＣＩフォーマットを区別することができる。
【０２１６】
検索空間
2020534742.tif 000079
は、集合レベル
2020534742.tif 000080
によるＰＤＣＣＨ候補セットを意味する。検索空間のＰＤＣＣＨ候補セット
2020534742.tif 000081
によるＣＣＥは、次のような数式３によって決定されることができる。
【０２１７】
【数３】
2020534742.tif 000082
【０２１８】
ここで、
2020534742.tif 000083
は検索空間でモニターするためのＣＣＥ集合レベルＬによるＰＤＣＣＨ候補の個数を表し、
2020534742.tif 000084
である。
2020534742.tif 000085
は、各ＰＤＣＣＨ候補で個別のＣＣＥを指定するインデックスであって、
2020534742.tif 000086
である。
【０２１９】
前述したように、端末はＰＤＣＣＨをデコーディングするために、端末特定検索空間及び共用検索空間を全てモニタリングする。ここで、共用検索空間（ＣＳＳ）は、｛４、８｝の集合レベルを有するＰＤＣＣＨを支援し、端末特定検索空間（ＵＳＳ）は、｛１、２、４、８｝の集合レベルを有するＰＤＣＣＨを支援する。
【０２２０】
表８は、端末によってモニタリングされるＰＤＣＣＨ候補を示す。
【０２２１】
【表８】
2020534742.tif 000087
【０２２２】
数式３を参照すると、共用検索空間の場合、２個の集合レベル、Ｌ＝４及びＬ＝８に対して、
2020534742.tif 000088
は０に設定される。それに対し、集合レベルＬに対して、端末特定検索空間の場合、
2020534742.tif 000089
は数式４のように定義される。
【０２２３】
【数４】
2020534742.tif 000090
【０２２４】
ここで、
2020534742.tif 000091
の通りであり、
2020534742.tif 000092
のために用いられるＲＮＴＩ値は端末の識別子（Ｉｄｅｎｔｉｆｉｃａｔｉｏｎ）のうちの１つで定義されることができる。また、
2020534742.tif 000093
であり、
2020534742.tif 000094
であり、
2020534742.tif 000095
の通りである。ここで、
2020534742.tif 000096
は無線フレームにおけるスロット番号（又はインデックス）を表す。
【０２２５】
一般的なＡＣＫ／ＮＡＣＫ多重化方法
【０２２６】
端末がｅＮＢから受信される複数のデータユニットに該当する複数のＡＣＫ／ＮＡＣＫを同時に送信すべき状況で、ＡＣＫ／ＮＡＣＫ信号の単一−周波数特性を維持し、ＡＣＫ／ＮＡＣＫ送信の電力を減らすために、ＰＵＣＣＨ資源の選択に基づいたＡＣＫ／ＮＡＣＫ多重化方法が考慮され得る。
【０２２７】
ＡＣＫ／ＮＡＣＫ多重化と共に、複数のデータユニットに対するＡＣＫ／ＮＡＣＫ応答の内容は、実際のＡＣＫ／ＮＡＣＫ送信に使用されるＰＵＣＣＨ資源とＱＰＳＫ変調シンボルの資源との結合によって識別される。
【０２２８】
例えば、万が一１つのＰＵＣＣＨ資源が４ビットを送信し、４個のデータユニットが最大に送信できる場合、ＡＣＫ／ＮＡＣＫの結果は、下記表９のようにｅＮＢで識別されることができる。
【０２２９】
【表９】
2020534742.tif 000097
【０２３０】
前記表９において、ＨＡＲＱ−ＡＣＫ（ｉ）は、ｉ番目のデータユニット（ｄａｔａ  ｕｎｉｔ）に対するＡＣＫ／ＮＡＣＫの結果を表す。前記表９において、ＤＴＸ（ＤＴＸ（Ｄｉｓｃｏｎｔｉｎｕｏｕｓ  Ｔｒａｎｓｍｉｓｓｉｏｎ）は、該当するＨＡＲＱ−ＡＣＫ（ｉ）のために送信されるデータユニットがないか、端末がＨＡＲＱ−ＡＣＫ（ｉ）に対応するデータユニットを検出することができないということを意味する。前記表９によると、最大４個のＰＵＣＣＨ資源
2020534742.tif 000098
があり、ｂ（０）、ｂ（１）は、選択されたＰＵＣＣＨを用いて送信される２個のビットである。
【０２３１】
例えば、端末が４個のデータユニットを全て成功的に受信すると、端末は
2020534742.tif 000099
を用いて２ビット（１、１）を送信する。
【０２３２】
端末が一番目及び三番目のデータユニットでデコーディングに失敗し、二番目及び四番目のデータユニットでデコーディングに成功すると、端末は
2020534742.tif 000100
を用いて、ビット（１、０）を送信する。
【０２３３】
ＡＣＫ／ＮＡＣＫチャネルの選択で、少なくとも１つのＡＣＫがあれば、ＮＡＣＫとＤＴＸは連結される（ｃｏｕｐｌｅ）。これは、予約された（ｒｅｓｅｒｖｅｄ）ＰＵＣＣＨ資源とＱＰＳＫシンボルの組み合わせでは、全てのＡＣＫ／ＮＡＣＫの状態を示すことができないためである。しかし、ＡＣＫがなければ、ＤＴＸはＮＡＣＫと分離される（ｄｅｃｏｕｐｌｅ）。
【０２３４】
この場合、１つの明確なＮＡＣＫに該当するデータユニットにリンクされたＰＵＣＣＨ資源は、複数のＡＣＫ／ＮＡＣＫの信号を送信するために、また予約されることができる。
【０２３５】
一般的なＡＣＫ／ＮＡＣＫ送信（ｔｒａｎｓｍｉｓｓｉｏｎ）
【０２３６】
ＬＴＥ−Ａシステムでは、複数のＤＬ  ＣＣを介して送信された複数のＰＤＳＣＨに対する複数のＡＣＫ／ＮＡＣＫ情報／信号を特定のＵＬ  ＣＣ（ｃｏｍｐｏｎｅｎｔ  ｃａｒｒｉｅｒ）を介して送信することを考慮している。このため、既存のＲｅｌ−８  ＬＴＥにおけるＰＵＣＣＨフォーマット１ａ／１ｂを用いたＡＣＫ／ＮＡＣＫ送信とは異なり、複数のＡＣＫ／ＮＡＣＫ情報をチャネルコーディング（例、Ｒｅｅｄ−Ｍｕｌｌｅｒ  ｃｏｄｅ、Ｔａｉｌ−ｂｉｔｉｎｇ  ｃｏｎｖｏｌｕｔｉｏｎａｌ  ｃｏｄｅ等）した後、ＰＵＣＣＨフォーマット２、又は下記のようなブロック拡散（Ｂｌｏｃｋ−ｓｐｒｅａｄｉｎｇ）ベースの変形された形態の新しいＰＵＣＣＨフォーマット（即ち、Ｅ−ＰＵＣＣＨフォーマット）を用いて、複数のＡＣＫ／ＮＡＣＫ情報／信号を送信することが考慮され得る。
【０２３７】
ブロック拡散技法は、既存のＰＵＣＣＨフォーマット１系列又は２系列とは異なり、制御信号の送信をＳＣ−ＦＤＭＡ方式を用いて変調する方式である。図８に示すように、シンボルシーケンスがＯＣＣ（Ｏｒｔｈｏｇｏｎａｌ  Ｃｏｖｅｒ  Ｃｏｄｅ）を用いて時間領域（ｄｏｍａｉｎ）上で拡散して送信されることができる。ＯＣＣを用いることによって、同じＲＢ上に複数個の端末の制御信号が多重化できる。前述したＰＵＣＣＨフォーマット２の場合には、１つのシンボルシーケンスが時間領域にわたって送信され、ＣＡＺＡＣシーケンスのＣＳ（ｃｙｃｌｉｃ  ｓｈｉｆｔ）を用いて複数個の端末の制御信号が多重化されるのに対し、ブロック拡散ベースのＰＵＣＣＨフォーマット（例えば、ＰＵＣＣＨフォーマット３）の場合には、１つのシンボルシーケンスが周波数領域にわたって送信され、ＯＣＣを用いた時間領域拡散を用いて複数個の端末の制御信号が多重化される。
【０２３８】
図１６は、本発明が適用できる無線通信システムにおける１つのスロットの間に５個のＳＣ−ＦＤＭＡシンボルを生成して送信する一例を示す。
【０２３９】
図１６では、１スロットの間に１つのシンボルシーケンスに長さ＝５（又はＳＦ＝５）のＯＣＣを用いて、５個のＳＣ−ＦＤＭＡシンボル（すなわち、データ部分）を生成して送信する例を示す。この場合、１スロットの間に２個のＲＳシンボルが使用できる。
【０２４０】
図１６の例示において、ＲＳシンボルは、特定の循環シフト値が適用されたＣＡＺＡＣシーケンスから生成でき、複数個のＲＳシンボルにわたって所定のＯＣＣが適用された（又は掛けられた）形態で送信できる。また、図16の例示において、それぞれのＯＦＤＭシンボル（又はＳＣ−ＦＤＭＡシンボル）別に１２個の変調シンボルが使用され、それぞれの変調シンボルはＱＰＳＫによって生成されると仮定すれば、１つのスロットで送信可能な最大のビット数は１２×２＝２４ビットとなる。よって、２個のスロットで送信可能なビット数は計４８ビットとなる。このようにブロック拡散方式のＰＵＣＣＨチャネルの構造を使用する場合、既存のＰＵＣＣＨフォーマット１系列及び２系列に比べて拡張されたサイズの制御情報の送信が可能になる。
【０２４１】
説明の都合のために、ＰＵＣＣＨフォーマット２又はＥ−ＰＵＣＣＨフォーマットを使用する、このようなチャネルコーディングベースの複数のＡＣＫ／ＮＡＣＫ送信方式をマルチビットＡＣＫ／ＮＡＣＫ符号化（ｍｕｌｔｉ−ｂｉｔ  ＡＣＫ／ＮＡＣＫ  ｃｏｄｉｎｇ）送信方法と称する。この方法は、複数のＤＬ  ＣＣのＰＤＳＣＨに対するＡＣＫ／ＮＡＣＫ又はＤＴＸ（ｄｉｓｃｏｎｔｉｎｕｏｕｓ  ｔｒａｎｓｍｉｓｓｉｏｎ）情報（ＰＤＣＣＨを受信／検出できないということを意味）をチャネルコーディングして生成されたＡＣＫ／ＮＡＣＫコードされたブロックを送信する方法を示す。例えば、端末があるＤＬ  ＣＣでＳＵ−ＭＩＭＯモード（ｍｏｄｅ）で動作し、２個のコードワード（ＣＷ）を受信すれば、そのＣＣに対してＣＷ別にＡＣＫ／ＡＣＫ、ＡＣＫ／ＮＡＣＫ、ＮＡＣＫ／ＡＣＫ、ＮＡＣＫ／ＮＡＣＫの計４個のフィードバック状態（ｆｅｅｄｂａｃｋ  ｓｔａｔｅ）を送信するか、ＤＴＸまで含めて最大５個のフィードバック状態を有することができる。また、もし端末が単一（ｓｉｎｇｌｅ）ＣＷ受信をすれば、ＡＣＫ、ＮＡＣＫ、ＤＴＸの最大３個の状態（ｓｔａｔｅ）を有することができる（もし、ＮＡＣＫをＤＴＸと同様に処理すれば、ＡＣＫ、ＮＡＣＫ／ＤＴＸの計２個の状態を有することができる）。従って、もし端末が最大５個のＤＬ  ＣＣを併合（ａｇｇｒｅｇａｔｉｏｎ）し、全てのＣＣでＳＵ−ＭＩＭＯモードで動作すれば、最大５５個の送信可能なフィードバック状態を有することができ、これを表現するためのＡＣＫ／ＮＡＣＫのペイロード（ｐａｙｌｏａｄ）のサイズは計１２ビット（ｂｉｔｓ）になる（もし、ＤＴＸをＮＡＣＫと同様に処理すれば、フィードバック状態の数は４５個となり、これを表現するためのＡＣＫ／ＮＡＣＫのペイロードのサイズは計１０ビットになる）。
【０２４２】
既存のＲｅｌ−８  ＴＤＤシステムに適用される前記ＡＣＫ／ＮＡＣＫ多重化（ｍｕｌｔｉｐｌｅｘｉｎｇ）（即ち、ＡＣＫ／ＮＡＣＫ選択）方法では、基本的に各ＵＥのＰＵＣＣＨ資源確保のために該当ＵＥの各ＰＤＳＣＨをスケジューリングするＰＤＣＣＨに対応する（即ち、最下位（ｌｏｗｅｓｔ）のＣＣＥインデックスとリンクされている）暗示的（ｉｍｐｌｉｃｉｔ）ＰＵＣＣＨ資源を使用する暗示的ＡＣＫ／ＮＡＣＫ選択（ｓｅｌｅｃｔｉｏｎ）方式を考慮している。一方、ＬＴＥ−Ａ  ＦＤＤシステムでは、基本的にＵＥ−特定的（ｓｐｅｃｉｆｉｃ）に設定される１つの特定ＵＬ  ＣＣを介して複数のＤＬ  ＣＣを介して送信された複数のＰＤＳＣＨに対する複数のＡＣＫ／ＮＡＣＫ送信を考慮しており、このため、特定又は一部又は全てのＤＬ  ＣＣをスケジューリングするＰＤＣＣＨにリンクされている（即ち、最下位（ｌｏｗｅｓｔ）のＣＣＥインデックスｎ＿ＣＣＥにリンクされている、或いはｎ＿ＣＣＥとｎ＿ＣＣＥ＋１にリンクされている）暗示的ＰＵＣＣＨ資源又は該当暗示的ＰＵＣＣＨ資源とＲＲＣシグナリング（ｓｉｇｎａｌｉｎｇ）を介して各ＵＥに予め予約された明示的（ｅｘｐｌｉｃｉｔ）ＰＵＣＣＨ資源との組み合わせを使用するＡＣＫ／ＮＡＣＫ選択（ｓｅｌｅｃｔｉｏｎ）方式を考慮している。
【０２４３】
一方、ＬＴＥ−Ａ  ＴＤＤシステムでも、複数のＣＣが併合（ａｇｇｒｅｇａｔｉｏｎ）（即ち、ＣＡ）された状況が考慮でき、これによって、複数のＤＬサブフレーム（ｓｕｂｆｒａｍｅ）と複数のＣＣを介して送信された複数のＰＤＳＣＨに対する複数のＡＣＫ／ＮＡＣＫ情報／信号を、該当複数のＤＬサブフレームに対応するＵＬサブフレームで特定ＣＣ（即ち、Ａ／Ｎ  ＣＣ）を介して送信することを考慮している。ここでは、前記ＬＴＥ−Ａ  ＦＤＤとは異なり、ＵＥに割り当てられた全てのＣＣを介して送信されることができる最大ＣＷの数に対応する複数のＡＣＫ／ＮＡＣＫを、複数のＤＬサブフレーム（即ち、ＳＦ）のすべてに対して送信する方式（即ち、フル（ｆｕｌｌ）ＡＣＫ／ＮＡＣＫ）を考慮するか、又はＣＷ及び／又はＣＣ及び／又はＳＦ領域（ｄｏｍａｉｎ）に対してＡＣＫ／ＮＡＣＫバンドリング（ｂｕｎｄｌｉｎｇ）を適用し、全体送信のＡＣＫ／ＮＡＣＫの数を減らして送信する方式（即ち、バンドリングされた（ｂｕｎｄｌｅｄ）ＡＣＫ／ＮＡＣＫ）が考慮され得る（ここで、ＣＷバンドリングの場合、各ＤＬ  ＳＦに対してＣＣ別にＣＷに対するＡＣＫ／ＮＡＣＫバンドリングを適用することを意味し、ＣＣバンドリンクの場合、各ＤＬ  ＳＦに対して全ての又は一部ＣＣに対するＡＣＫ／ＮＡＣＫバンドリングを適用することを意味し、ＳＦバンドリングの場合、各ＣＣに対して全ての又は一部ＤＬ  ＳＦに対するＡＣＫ／ＮＡＣＫバンドリングを適用することを意味する。特徴的に、ＳＦバンドリング方法として、ＣＣそれぞれに対して受信された全てのＰＤＳＣＨ又はＤＬグラント（ｇｒａｎｔ）ＰＤＣＣＨに対して、ＣＣ別ＡＣＫの合計数（或いは、一部ＡＣＫの個数）を知らせるＡＣＫ−カウンター（ｃｏｕｎｔｅｒ）方式を考慮することができる）。このとき、ＵＥ別ＡＣＫ／ＮＡＣＫペイロード（ｐａｙｌｏａｄ）、即ち、各ＵＥ別に設定されたフル（ｆｕｌｌ）又はバンドルされた（ｂｕｎｄｌｅｄ）ＡＣＫ／ＮＡＣＫ送信のためのＡＣＫ／ＮＡＣＫのペイロードのサイズに応じて、マルチビットＡＣＫ／ＮＡＣＫ符号化（ｍｕｌｔｉ−ｂｉｔ  ＡＣＫ／ＮＡＣＫ  ｃｏｄｉｎｇ）或いはＡＣＫ／ＮＡＣＫ選択（ｓｅｌｅｃｔｉｏｎ）ベースのＡＣＫ／ＮＡＣＫ送信技法を構成可能（ｃｏｎｆｉｇｕｒａｂｌｅ）に適用することができる。
【０２４４】
ＡＣＫ／ＮＡＣＫ  ｔｒａｎｓｍｉｓｓｉｏｎ  ｆｏｒ  ＬＴＥ−Ａ
【０２４５】
ＬＴＥ−Ａシステムでは、複数のＤＬ  ＣＣを介して送信された複数のＰＤＳＣＨに対する複数のＡＣＫ／ＮＡＣＫ情報／信号を特定ＵＬ  ＣＣを介して送信することを支援する。このため、既存のＲｅｌ−８  ＬＴＥにおけるＰＵＣＣＨフォーマット１ａ／１ｂを用いたＡＣＫ／ＮＡＣＫ送信とは異なり、ＰＵＣＣＨフォーマット３を介して複数のＡＣＫ／ＮＡＣＫ情報を送信することができる。
【０２４６】
図１７は、一般ＣＰ（ｃｙｃｌｉｃ  ｐｒｅｆｉｘ）を有するＰＵＣＣＨフォーマット３にＡＣＫ／ＮＡＣＫチャネルの構造を示す。
【０２４７】
図１７でのように、シンボルシーケンス（ｓｅｑｕｅｎｃｅ）がＯＣＣ（Ｏｒｔｈｏｇｏｎａｌ  Ｃｏｖｅｒ  Ｃｏｄｅ）によって時間領域拡散（ｔｉｍｅ−ｄｏｍａｉｎ  ｓｐｒｅａｄｉｎｇ）されて送信される形態であり、ＯＣＣを用いて同じＲＢに種々のＵＥの制御信号を多重化させることができる。前記のＰＵＣＣＨフォーマット２では、１つのシンボルシーケンスが時間領域にわたって送信され、ＣＡＺＡＣシーケンスの循環シフトを用いて、ＵＥ多重化を行うそれに対し、ＰＵＣＣＨフォーマット３の場合、１つのシンボルシーケンスが周波数領域にわたって送信され、ＯＣＣベースの時間領域拡散（ｔｉｍｅ−ｄｏｍａｉｎ  ｓｐｒｅａｄｉｎｇ）を用いてＵＥ多重化（ＵＥ  ｍｕｌｔｉｐｌｅｘｉｎｇ）を行う。図１７では、１つのシンボルシーケンスを長さ−５（ｓｐｒｅａｄｉｎｇ  ｆａｃｔｏｒ＝５）のＯＣＣを用いて５個のＳＣ−ＦＤＭＡシンボルを生成させて送信する方法を示す。図１７の例題では、１スロットの間に計２個のＲＳシンボルを使用したが、３個のＲＳシンボルを使用し、ｓｐｒｅａｄｉｎｇ  ｆａｃｔｏｒ＝４のＯＣＣを用いる方式等様々な応用も考慮できる。ここで、ＲＳシンボルは、特定の循環シフトを有するＣＡＺＡＣシーケンスから生成でき、時間領域の複数のＲＳシンボルに特定のＯＣＣが適用された（即ち、掛けられた）形態で送信できる。図の例示で各ＳＣ−ＦＤＭＡシンボル別に１２個の変調シンボルが使用され、各変調シンボルはＱＰＳＫを使用すると仮定する場合、各スロット別に送信できる最大のビット数は、１２×２＝２４ビットとなる。従って、２個のスロットで送信できるビット数は、計４８ビットとなる。
【０２４８】
説明の都合のために、ＰＵＣＣＨフォーマット２又はＥ−ＰＵＣＣＨフォーマットを使用する、このようなチャネルコーディングベースの複数のＡＣＫ／ＮＡＣＫ送信方式を「マルチビットＡＣＫ／ＮＡＣＫコーディング」送信方法と称する。この方法は、複数のＤＬ  ＣＣのＰＤＳＣＨに対するＡＣＫ／ＮＡＣＫ又はＤＴＸ情報（ＰＤＣＣＨを受信／検出できないということを意味）をチャネルコーディングして生成されたＡＣＫ／ＮＡＣＫコードされたブロックを送信する方法を示す。例えば、端末があるＤＬ  ＣＣでＳＵ−ＭＩＭＯモードで動作し、２個のコードワード（ＣＷ）を受信すれば、そのＣＣに対してＣＷ別にＡＣＫ／ＡＣＫ、ＡＣＫ／ＮＡＣＫ、ＮＡＣＫ／ＡＣＫ、ＮＡＣＫ／ＮＡＣＫの計４個のフィードバック状態を送信するか、ＤＴＸまで含めて最大５個のフィードバック状態を有することができる。また、もし端末が単一のＣＷ受信をすれば、ＡＣＫ、ＮＡＣＫ、ＤＴＸの最大３個の状態を有することができる（もし、ＮＡＣＫをＤＴＸと同様に処理すれば、ＡＣＫ、ＮＡＣＫ／ＤＴＸの計２個の状態を有することができる）。従って、もし端末が最大５個のＤＬ  ＣＣを併合（ａｇｇｒｅｇａｔｉｏｎ）し、全てのＣＣでＳＵ−ＭＩＭＯモードで動作すれば、最大５５個の送信可能なフィードバック状態を有することができ、これを表現するためのＡＣＫ／ＮＡＣＫのペイロードのサイズは、計１２ビットとなる（もし、ＤＴＸをＮＡＣＫと同様に処理すれば、フィードバック状態の数は４５個となり、これを表現するためのＡＣＫ／ＮＡＣＫのペイロードのサイズは、計１０ビットとなる）。
【０２４９】
既存のＲｅｌ−８  ＴＤＤシステムに適用される前記のＡＣＫ／ＮＡＣＫ多重化（即ち、ＡＣＫ／ＮＡＣＫ選択）方法では、基本的に各ＵＥのＰＵＣＣＨ資源の確保のために、該当ＵＥの各ＰＤＳＣＨをスケジューリングするＰＤＣＣＨに対応する（即ち、最下位のＣＣＥインデックスとリンクされている）暗示的ＰＵＣＣＨ資源を使用する暗示的ＡＣＫ／ＮＡＣＫ選択の方式を考慮している。一方、ＬＴＥ−Ａ  ＦＤＤシステムでは、基本的にＵＥ−特定的に設定される１つの特定ＵＬ  ＣＣを介して複数のＤＬ  ＣＣを介して送信された複数のＰＤＳＣＨに対する複数のＡＣＫ／ＮＡＣＫ送信を考慮しており、このため、特定又は一部又は全てのＤＬ  ＣＣをスケジューリングするＰＤＣＣＨにリンクされている（即ち、最下位のＣＣＥインデックスｎ＿ＣＣＥにリンクされている、又はｎ＿ＣＣＥとｎ＿ＣＣＥ＋１にリンクされている）暗示的ＰＵＣＣＨ資源又は該当暗示的ＰＵＣＣＨ資源とＲＲＣシグナリングを介して各ＵＥに予め予約された明示的ＰＵＣＣＨ資源との組み合わせを使用する「ＡＣＫ／ＮＡＣＫ選択」方式を考慮している。
【０２５０】
一方、ＬＴＥ−Ａ  ＴＤＤシステムでも、複数のＣＣが併合（ａｇｇｒｅｇａｔｉｏｎ）（ＣＡ）された状況を考慮することができ、これによって複数のＤＬサブフレームと複数のＣＣを介して送信された複数のＰＤＳＣＨに対する複数のＡＣＫ／ＮＡＣＫ情報／信号を、該当複数のＤＬサブフレームに対応するＵＬサブフレームで特定ＣＣ（即ち、Ａ／Ｎ  ＣＣ）を介して送信することを考慮している。ここでは、前記のＬＴＥ−Ａ  ＦＤＤとは異なり、ＵＥに割り当てられた全てのＣＣを介して送信されることができる最大ＣＷの数に対応する複数のＡＣＫ／ＮＡＣＫを、複数のＤＬサブフレーム（即ち、ＳＦ）の全てに対して送信する方式（即ち、フルＡＣＫ／ＮＡＣＫ）を考慮するか、又はＣＷ及び／又はＣＣ及び／又はＳＦ領域に対してＡＣＫ／ＮＡＣＫバンドリングを適用して全体送信のＡＣＫ／ＮＡＣＫの数を減らして送信する方式（即ち、バンドルされたＡＣＫ／ＮＡＣＫ）を考慮することができる（ここで、ＣＷバンドリングの場合、各ＤＬ  ＳＦに対してＣＣ別にＣＷに対するＡＣＫ／ＮＡＣＫバンドリングを適用することを意味し、ＣＣバンドリングの場合、各ＤＬ  ＳＦに対して全ての又は一部ＣＣに対するＡＣＫ／ＮＡＣＫバンドリングを適用することを意味し、ＳＦバンドリングの場合、各ＣＣに対して全ての又は一部ＤＬ  ＳＦに対するＡＣＫ／ＮＡＣＫバンドリングを適用することを意味する。特徴的に、ＳＦバンドリングの方法として、ＣＣのそれぞれに対して受信された全てのＰＤＳＣＨ又はＤＬグラントＰＤＣＣＨに対して、ＣＣ別ＡＣＫの合計数（又は、一部ＡＣＫの個数）を知らせる「ＡＣＫ−カウンター」方式を考慮することができる）。このとき、ＵＥ別ＡＣＫ／ＮＡＣＫのペイロード、即ち、各ＵＥ別に設定されたフル又はバンドルされた（ｆｕｌｌ  ｏｒ  ｂｕｎｄｌｅｄ）ＡＣＫ／ＮＡＣＫ送信のためのＡＣＫ／ＮＡＣＫのペイロードのサイズに応じて、「マルチビットＡＣＫ／ＮＡＣＫコーディング」又は「ＡＣＫ／ＮＡＣＫ選択」ベースのＡＣＫ／ＮＡＣＫ送信技法を構成可能に適用することができる。
【０２５１】
次世代システムでは、様々な適用分野における要求事項を充足するために、全てのまたは特定物理チャネル（ｐｈｙｓｉｃａｌ  ｃｈａｎｎｅｌ）及び／又は物理信号（ｐｈｙｓｉｃａｌ  ｓｉｇｎａｌ）に対して送信時間間隔（ｔｒａｎｓｍｉｓｓｉｏｎ  ｔｉｍｅ  ｉｎｔｅｒｖａｌ、ＴＴＩ）を様々に設定できる状況（等）が考慮され得る。
【０２５２】
一例として、シナリオ（ｓｃｅｎａｒｉｏ）にしたがって基地局（例：ｅＮＢ、ｇＮＢ等）と端末（ｕｓｅｒ  ｅｑｕｉｐｍｅｎｔ、ＵＥ）との間に通信を行うとき、遅延（ｌａｔｅｎｃｙ）を減らすための目的としてＰＤＣＣＨ／ＰＤＳＣＨ／ＰＵＳＣＨ／ＰＵＣＣＨなどのような物理チャネルの送信に用いられるＴＴＩを１サブフレーム（すなわち、１ｍｓｅｃ）より小さく設定することもできる。以下、本明細書においては、既存に利用された送信時間単位（例：１サブフレーム）より短い送信時間単位が適用される物理チャネルは、既存のチャネルに（ｓ）を追加した形態で表現されることができる（例：ｓＰＤＣＣＨ／ｓＰＤＳＣＨ／ｓＰＵＳＣＨ／ｓＰＵＣＣＨ等）。また、単一端末または複数のＵＥに対して、単一サブフレーム（例：１ｍｓｅｃ）内で複数の物理チャネルが存在することができ、これらの各々に対してＴＴＩが異なるように設定されることもできる。
【０２５３】
以下、本明細書において提案する実施形態では、説明の都合上、既存のＬＴＥシステム（ＬＴＥ  ｓｙｓｔｅｍ）の場合を基準に提案方法及び例示が説明される。このとき、ＴＴＩは、ＬＴＥシステムにおける一般的なサブフレームサイズ（ｓｕｂｆｒａｍｅ  ｓｉｚｅ）であって、１ｍｓｅｃでありうる（以下、一般ＴＴＩ（ｎｏｒｍａｌ  ＴＴＩ））。また、短いＴＴＩ（ｓｈｏｒｔ  ＴＴＩ、ｓＴＴＩ）は、これより小さい値を指し、単一または複数のＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）シンボルまたはＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）シンボル単位でありうる。
【０２５４】
例えば、サブキャリア間隔が１５ｋＨｚであるサブフレームの場合、サブフレームは、下記の表１０によって６個のサブスロット（ｓｕｂｓｌｏｔ）に分割されることができる。ここで、サブスロット単位は、上述したｓＴＴＩ単位に該当することができる。
【０２５５】
表１０は、ｉ番目のサブフレーム（ｓｕｂｆｒａｍｅ  ｉ）の他のサブスロットにおける（ＯＦＤＭ）シンボル数の一例を表す。
【０２５６】
【表１０】
2020534742.tif 000101
【０２５７】
具体的に、ＬＴＥシステムにおけるＦＤＤの場合、各１０ｍｓｅｃ間隔内で、１０個のサブフレーム、２０個のスロット、または６０個のサブスロットまで下向きリンク送信のために用いられることができ、１０個のサブフレーム、２０個のスロット、または６０個のサブスロットまで上向きリンク送信のために用いられることができる。この場合、上向きリンク送信及び下向きリンク送信は、周波数領域（ｆｒｅｑｕｅｎｃｙ  ｄｏｍａｉｎ）上で分離されることができる。Ｈａｌｆ−ｄｕｐｌｅｘ  ＦＤＤ動作の場合、端末は、同時に送受信を行うことができないことに対し、ｆｕｌｌ−ｄｕｐｌｅｘ  ＦＤＤ動作の場合、このような制限がない。
【０２５８】
以下、本明細書において提案する実施形態では、説明の都合上、提案方法を説明するにあたってｓｈｏｒｔ  ＴＴＩ（すなわち、ＴＴＩ長さがサブフレームより小さい場合）である場合を仮定したが、ＴＴＩがサブフレームより長くなる場合または１ｍｓｅｃ以上である場合に対しても本明細書において提案する方法が拡張されて適用され得ることはもちろんである。また、特に、次世代システム（例：上述したＮＲシステム）でヌメロロジー（ｎｕｍｅｒｏｌｏｇｙ）（例：サブキャリア間隔（ｓｕｂｃａｒｒｉｅｒ  ｓｐａｃｉｎｇ）等）を増加させる形態でｓｈｏｒｔ  ＴＴＩが導入され得るし、この場合にも、本明細書において提案する方法が拡張されて適用されることもできる。
【０２５９】
すなわち、以下、説明の都合上、発明をＬＴＥシステムに基づいて説明するか、当該内容は、新しい無線接続技術（ｎｅｗ  ｒａｄｉｏ  ａｃｃｅｓｓ  ｔｅｃｈｎｏｌｏｇｙ、ｎｅｗ  ＲＡＴ、ＮＲ）など、他の波形（ｗａｖｅｆｏｒｍ）及び／又はフレーム構造（ｆｒａｍｅ  ｓｔｒｕｃｔｕｒｅ）が利用される技術にも適用されることができる。一般的に、本発明では、ｓＴＴＩ（＜１ｍｓｅｃ）、ｌｏｎｇＴＴＩ（＝１ｍｓｅｃ）、ｌｏｎｇｅｒＴＴＩ（＞１ｍｓｅｃ）である場合を仮定する。
【０２６０】
また、以下、本明細書において説明される実施形態で言及されるシンボル（ｓｙｍｂｏｌ）、サブスロット（ｓｕｂｓｌｏｔ）、スロット（ｓｌｏｔ）、サブフレーム（ｓｕｂｆｒａｍｅ）、フレーム（ｆｒａｍｅ）などは、無線通信システムで利用される一定時間単位（例：送信時間単位）の具体的な例に該当することができる。すなわち、本明細書において提案する方法を適用するにあたって、本明細書において言及される時間単位などは、さらに他の無線通信システムで適用される他の時間単位に代えられて適用されることもできる。
【０２６１】
また、以下、本明細書において説明される実施形態は、説明の都合のために区分されたものであり、ある実施形態の一部方法及び／又は一部構成などが他の実施形態の方法及び／又は構成などと置き換えられるか、相互間組み合わせられて適用され得ることはもちろんである。
【０２６２】
第１実施形態
【０２６３】
まず、ｓｕｂｓｌｏｔ単位の送信がスケジューリングされる場合、ＤＭＲＳ共有（以下、ＤＭＲＳ  ｓｈａｒｉｎｇ）を考慮して、ＰＤＳＣＨを送受信する方法について説明する。本明細書において、ＤＭＲＳ  ｓｈａｒｉｎｇは、（連続してスケジューリング、配置、または割り当てられる）ＰＤＳＣＨ間にＤＭＲＳを共有する方式を意味できる。
【０２６４】
具体的に、Ｓｕｂｓｌｏｔ−ＰＤＳＣＨ（すなわち、ｓｕｂｓｌｏｔ単位でスケジューリングされるＰＤＳＣＨ）の場合、ＤＭＲＳによるオーバーヘッドの軽減のために、ＤＭＲＳ  ｓｈａｒｉｎｇが許容され得る。このとき、チャネル推定の性能低下を防止するために、ＤＭＲＳ  ｓｈａｒｉｎｇは、２つのｓｕｂｓｌｏｔ間にのみ許容されることができる。ＤＭＲＳ  ｓｈａｒｉｎｇが適用される場合、端末の処理時間（ｐｒｏｃｅｓｓｉｎｇ  ｔｉｍｅ）を考慮して、当該ＤＭＲＳは、常に２つのｓｕｂｓｌｏｔのうち、前のｓｕｂｓｌｏｔにマッピングされるように規則が定義されている。
【０２６５】
現在規格（例：３ＧＰＰ標準）によれば、端末がｎ−１番目のｓｕｂｓｌｏｔ（以下、ｓｕｂｓｌｏｔ＃ｎ−１）でｓＤＣＩを検出できず、ｎ番目のｓｕｂｓｌｏｔ（以下、ｓｕｂｓｌｏｔ＃ｎ）から検出したｓＤＣＩでｓｕｂｓｌｏｔ＃ｎにＤＭＲＳが不在すると指示する場合、端末は、ｓｕｂｓｌｏｔ＃ｎにおけるｓｕｂｓｌｏｔ−ＰＤＳＣＨに対するデコーディング（ｄｅｃｏｄｉｎｇ）を期待しない。
【０２６６】
本明細書において、ｓｕｂｓｌｏｔ＃ｎ及び／又はｓｕｂｓｌｏｔ＃ｎ−１で送信（または、伝達）及び検出されるｓＤＣＩは、ＤＬ割当用途のｓＤＣＩ、すなわち、ＤＬ  ａｓｓｉｇｎｍｅｎｔ  ｓＤＣＩを意味できる。また、当該ｓＤＣＩは、ｓｕｂｓｌｏｔ＃ｎ及び／又はｓｕｂｓｌｏｔ＃ｎ−１で送信（または、伝達）及び検出される制御チャネル（例：ＰＤＣＣＨ、ｓｕｂｓｌｏｔ−ＰＤＣＣＨ）に対応することもできる。
【０２６７】
ただし、上述したように規則が定義された場合を仮定すれば、端末がｓｕｂｓｌｏｔ＃ｎ−１から検出したｓＤＣＩがｓｕｂｓｌｏｔ＃ｎ−１でＤＭＲＳが不在すると指示し、ｓｕｂｓｌｏｔ＃ｎから検出したｓＤＣＩがｓｕｂｓｌｏｔ＃ｎでＤＭＲＳが不在すると指示する場合、端末の動作（ｂｅｈａｖｉｏｒ）に対する曖昧性（ａｍｂｉｇｕｉｔｙ）が発生され得る。このような場合は、端末がｓｕｂｓｌｏｔ＃ｎ及び／又はｓｕｂｓｌｏｔ＃ｎ−１におけるｓＤＣＩを誤って検出（ｍｉｓ−ｄｅｔｅｃｔｉｏｎ）したか、基地局の誤ったスケジューリングにより発生されることもできる。
【０２６８】
したがって、端末は、上記の場合のようなスケジューリングを期待しないように規則が定義され得る。言い換えれば、端末は、連続したｓｕｂｓｌｏｔから検出されたｓＤＣＩで各々ＤＭＲＳが不在することを期待しないように規則が定義され得る。すなわち、端末は、ｓｕｂｓｌｏｔ＃ｎ及びｓｕｂｓｌｏｔ＃ｎ−１から検出されたそれぞれのｓＤＣＩがｓｕｂｓｌｏｔ＃ｎにおけるＤＭＲＳ不在及びｓｕｂｓｌｏｔ＃ｎ−１におけるＤＭＲＳ不在を指示することを期待しないように設定されることができる。これは、基地局がｓｕｂｓｌｏｔ＃ｎ及びｓｕｂｓｌｏｔ＃ｎ−１から検出されたｓＤＣＩが各々ｓｕｂｓｌｏｔ＃ｎにおけるＤＭＲＳ不在及びｓｕｂｓｌｏｔ＃ｎ−１におけるＤＭＲＳ不在を指示するようにスケジューリングしないということを意味することもできる。
【０２６９】
そして／または、端末が連続したｓｕｂｓｌｏｔ（すなわち、ｓｕｂｓｌｏｔ＃ｎ及びｓｕｂｓｌｏｔ＃ｎ−１）から検出されたｓＤＣＩによりそれぞれのｓｕｂｓｌｏｔにおけるＤＭＲＳが不在するということを指示または設定された場合、端末は、当該ｓｕｂｓｌｏｔ（すなわち、ｓｕｂｓｌｏｔ＃ｎ）におけるＰＤＳＣＨをデコーディングすることを期待しない（または、要求されない）ように設定されることができる。または、上記の場合、端末は、当該ｓｕｂｓｌｏｔ＃ｎにおけるＰＤＳＣＨデコーディングをスキップ（ｓｋｉｐ）するように設定されることもできる。このとき、端末は、当該ＰＤＳＣＨ（すなわち、ｓｕｂｓｌｏｔ＃ｎにおけるＰＤＳＣＨ）に対するＨＡＲＱ−ＡＣＫ情報を（基地局に）報告するように規則が定義されることもできる。一例として、前記ＨＡＲＱ−ＡＣＫ情報は、当該ＰＤＳＣＨに対するＮＡＣＫ情報でありうる。
【０２７０】
また、前述した場合のように、端末がｓｕｂｓｌｏｔ＃ｎから検出したｓＤＣＩでｓｕｂｓｌｏｔ＃ｎにＤＭＲＳが不在すると指示された場合を仮定しよう。このとき、ｓｕｂｓｌｏｔ＃ｎ−１から検出されたｓＤＣＩによる資源割当（ｒｅｓｏｕｒｃｅ  ａｌｌｏｃａｔｉｏｎ）（例：ＰＲＧ（ｐｈｙｓｉｃａｌ  ｒｅｓｏｕｒｃｅ  ｂｌｏｃｋ  ｇｒｏｕｐ）、ＰＲＢ（ｐｈｙｓｉｃａｌ  ｒｅｓｏｕｒｃｅ  ｂｌｏｃｋ）等）がｓｕｂｓｌｏｔ＃ｎから検出されたｓＤＣＩによる資源割当を含まない場合、端末は、ｓｕｂｓｌｏｔ＃ｎにおけるＰＤＳＣＨ処理（ｐｒｏｃｅｓｓｉｎｇ）と関連してＤＭＲＳ不在による問題が発生し得る。すなわち、ｓｕｂｓｌｏｔ＃ｎ−１におけるＰＤＳＣＨ資源（等）がｓｕｂｓｌｏｔ＃ｎにおけるＰＤＳＣＨ資源を含まない場合、ｓｕｂｓｌｏｔ＃ｎでＤＭＲＳが存在しないことにより、当該ｓｕｂｓｌｏｔにおけるＰＤＳＣＨ処理が問題になることができる。
【０２７１】
このような点を考慮して、端末がｓｕｂｓｌｏｔ＃ｎから検出したｓＤＣＩを介してｓｕｂｓｌｏｔ＃ｎにＤＭＲＳが不在すると指示された状況で、ｓｕｂｓｌｏｔ＃ｎにおける資源割当がｓｕｂｓｌｏｔ＃ｎ−１の資源割当に対比してサブセット（ｓｕｂｓｅｔ）関係に該当するように規則が定義され得る。一例として、サブセット関係は、ｓｕｂｓｌｏｔ＃ｎの資源割当がｓｕｂｓｌｏｔ＃ｎ−１の資源割当と同一であるか、ｓｕｂｓｌｏｔ＃ｎ−１の資源割当に含まれるように設定することを意味できる。
【０２７２】
そして／または、端末がｓｕｂｓｌｏｔ＃ｎから検出したｓＤＣＩを介してｓｕｂｓｌｏｔ＃ｎにＤＭＲＳが不在すると指示された状況で、ｓｕｂｓｌｏｔ＃ｎ−１から検出されたｓＤＣＩによる資源割当がｓｕｂｓｌｏｔ＃ｎから検出されたｓＤＣＩによる資源割当と同一でないか、これを含まない場合、端末は、当該ｓｕｂｓｌｏｔ（すなわち、ｓｕｂｓｌｏｔ＃ｎ）におけるＰＤＳＣＨをデコーディングすることを期待しない（または、要求されない）ように設定されることができる。または、上記の場合、端末は、当該ｓｕｂｓｌｏｔ＃ｎにおけるＰＤＳＣＨデコーディングをスキップ（ｓｋｉｐ）するように設定されることもできる。このとき、端末は、当該ＰＤＳＣＨ（すなわち、ｓｕｂｓｌｏｔ＃ｎにおけるＰＤＳＣＨ）に対するＨＡＲＱ−ＡＣＫ情報を（基地局に）報告するように規則が定義されることもできる。一例として、前記ＨＡＲＱ−ＡＣＫ情報は、当該ＰＤＳＣＨに対するＮＡＣＫ情報でありうる。
【０２７３】
また、端末がｓｕｂｓｌｏｔ＃ｎから検出したｓＤＣＩを介してｓｕｂｓｌｏｔ＃ｎにＤＭＲＳが不在すると指示された状況で、ｓｕｂｓｌｏｔ＃ｎ−１の資源割当とｓｕｂｓｌｏｔ＃ｎの資源割当との間に重ならない（ｎｏｎ−ｏｖｅｒｌａｐｐｅｄ）資源数（例：ＲＢ（ｒｅｓｏｕｒｃｅ  ｂｌｏｃｋ）数）を考慮して、ＰＤＳＣＨのデコーディング可否を決定する方法が考慮されることもできる。
【０２７４】
例えば、ｓｕｂｓｌｏｔ＃ｎ−１の資源割当とｓｕｂｓｌｏｔ＃ｎの資源割当との間に重なる資源の数が一定未満である場合、端末は、ｓｕｂｓｌｏｔ＃ｎのＰＤＳＣＨをデコーディングするように設定されることができる。
【０２７５】
それに対し、ｓｕｂｓｌｏｔ＃ｎ−１の資源割当とｓｕｂｓｌｏｔ＃ｎの資源割当との間に重なる資源の数が一定以上である場合、端末は、当該ｓｕｂｓｌｏｔ（すなわち、ｓｕｂｓｌｏｔ＃ｎ）におけるＰＤＳＣＨをデコーディングすることを期待しない（または、要求されない）ように設定されることができる。または、上記の場合、端末は、当該ｓｕｂｓｌｏｔ＃ｎにおけるＰＤＳＣＨデコーディングをスキップ（ｓｋｉｐ）するように設定されることもできる。このとき、端末は、当該ＰＤＳＣＨ（すなわち、ｓｕｂｓｌｏｔ＃ｎにおけるＰＤＳＣＨ）に対するＨＡＲＱ−ＡＣＫ情報（例：ＮＡＣＫ情報）を（基地局に）報告するように規則が定義されることもできる。
【０２７６】
また、ＬＴＥシステムによれば（特に、現在のＬＴＥシステムの標準によれば）、互いに異なるサブフレームに属したｓｕｂｓｌｏｔ間の（ＤＬ）ＤＭＲＳ  ｓｈａｒｉｎｇは許容されないことができる。したがって、端末がｓｕｂｓｌｏｔ＃０から検出されたｓＤＣＩを介してｓｕｂｓｌｏｔ＃０にＤＭＲＳが不在すると指示された場合、当該端末は、ｓｕｂｓｌｏｔ＃０で受信したＰＤＳＣＨを復調（ｄｅｍｏｄｕｌａｔｉｏｎ）するためのＤＭＲＳを取得できないようになる。
【０２７７】
このような点を考慮して、端末は、ｓｕｂｓｌｏｔ＃０から検出されたｓＤＣＩによりＤＭＲＳが不在するということが指示されることを期待しないように規則が定義され得る。言い換えれば、端末は、ｓｕｂｓｌｏｔ＃０から検出されたｓＤＣＩでは、ＤＭＲＳが存在すると仮定するように規則が定義され得る。すなわち、当該端末は、ｓｕｂｓｌｏｔ＃０から検出されたｓＤＣＩによっては、ｓｕｂｓｌｏｔ＃０にＤＭＲＳが存在すると指示されることを仮定するように設定されることができる。
【０２７８】
そして／または、端末がｓｕｂｓｌｏｔ＃０から検出したｓＤＣＩを介してｓｕｂｓｌｏｔ＃０にＤＭＲＳが不在すると指示された状況で、当該端末は、ｓｕｂｓｌｏｔ＃０におけるＰＤＳＣＨをデコーディングすることを期待しない（または、要求されない）ように設定されることができる。または、上記の場合、端末は、当該ｓｕｂｓｌｏｔ＃０におけるＰＤＳＣＨデコーディングをスキップ（ｓｋｉｐ）するように設定されることもできる。このとき、端末は、当該ＰＤＳＣＨ（すなわち、ｓｕｂｓｌｏｔ＃０におけるＰＤＳＣＨ）に対するＨＡＲＱ−ＡＣＫ情報を（基地局に）報告するように規則が定義されることもできる。一例として、前記ＨＡＲＱ−ＡＣＫ情報は、当該ＰＤＳＣＨに対するＮＡＣＫ情報でありうる。
【０２７９】
また、ＬＴＥシステムによれば（特に、現在のＬＴＥシステムの標準によれば）、ＤＬ  ｓｕｂｓｌｏｔパターン（ｓｕｂｓｌｏｔ  ｐａｔｔｅｒｎ）は、ＰＤＣＣＨ制御領域（ＰＤＣＣＨ  ｃｏｎｔｒｏｌ  ｒｅｇｉｏｎ）のシンボル数によって相違するように構成（または、設定）されることができる。ここで、ｓｕｂｓｌｏｔパターンは、上述した表１０のように表現されることができる。具体的な例として、ＰＤＣＣＨ制御領域のシンボル数が１または３である場合、ＤＬ  ｓｕｂｓｌｏｔパターンは、前記表１０のＤＬ  ｓｕｂｓｌｏｔパターン１にしたがい、ＰＤＣＣＨ制御領域のシンボル数が２である場合、ＤＬ  ｓｕｂｓｌｏｔパターンは、前記表１０のＤＬ  ｓｕｂｓｌｏｔパターン２にしたがうことができる。また、ＰＤＣＣＨ制御領域のシンボル数が１である場合に限ってのみ、ｓｕｂｓｌｏｔ＃０でＤＭＲＳ基盤ＰＤＳＣＨがスケジューリングされ得る。したがって、ｓｕｂｓｌｏｔ＃１のＰＤＳＣＨに対するＤＭＲＳがｓｕｂｓｌｏｔ＃０から共有されるためには、上述した条件が成立する場合にのみ可能であり、そうでない場合、端末は、ｓｕｂｓｌｏｔ＃１のＰＤＳＣＨに対する復調（ｄｅｍｏｄｕｌａｔｉｏｎ）のためのＤＭＲＳを取得できないようになる。
【０２８０】
このような点を考慮して、ＰＤＣＣＨ制御領域のシンボル数が２または３である場合、端末がｓｕｂｓｌｏｔ＃１から検出されたｓＤＣＩを介して当該ｓｕｂｓｌｏｔにおけるＤＭＲＳの不在を指示されることを期待しないように規則が定義され得る。言い換えれば、端末は、ｓｕｂｓｌｏｔ＃１から検出されたｓＤＣＩでは、ＤＭＲＳが存在すると仮定するように規則が定義され得る。すなわち、端末は、ｓｕｂｓｌｏｔ＃１から検出されたｓＤＣＩを介して、当該ｓｕｂｓｌｏｔにおけるＤＭＲＳの存在を指示されることを仮定するように設定されることができる。
【０２８１】
そして／または、ＰＤＣＣＨ制御領域のシンボル数が２または３である状況で端末がｓｕｂｓｌｏｔ＃１から検出したｓＤＣＩを介してｓｕｂｓｌｏｔ＃１にＤＭＲＳが不在すると指示された場合、当該端末は、ｓｕｂｓｌｏｔ＃１におけるＰＤＳＣＨをデコーディングすることを期待しない（または、要求されない）ように設定されることができる。または、上記の場合、端末は、当該ｓｕｂｓｌｏｔ＃１におけるＰＤＳＣＨデコーディングをスキップ（ｓｋｉｐ）するように設定されることもできる。このとき、端末は、当該ＰＤＳＣＨ（すなわち、ｓｕｂｓｌｏｔ＃１におけるＰＤＳＣＨ）に対するＨＡＲＱ−ＡＣＫ情報を（基地局に）報告するように規則が定義されることもできる。一例として、前記ＨＡＲＱ−ＡＣＫ情報は、当該ＰＤＳＣＨに対するＮＡＣＫ情報でありうる。
【０２８２】
図１８は、本明細書において提案する方法が適用され得るデータチャネルの受信可否を決定する端末の動作順序図の一例を示す。図１８は、単に説明の都合のためのものであり、本発明の範囲を制限するものではない。
【０２８３】
図１８に示すように、本実施形態において説明された方法（等）に基づいて、端末が特定ｓｕｂｓｌｏｔ（すなわち、特定ＴＴＩ）におけるＰＤＳＣＨを受信するか、受信しないように設定される場合が仮定される。また、図１８において説明される方法では、ｓｕｂｓｌｏｔ単位でＤＣＩ（ここで、ＤＣＩは、ＰＤＣＣＨに対応することができる）及び／又はＰＤＳＣＨがスケジューリングされる場合が仮定される。
【０２８４】
まず、端末は、第１のＴＴＩ（例：上述したｓｕｂｓｌｏｔ＃ｎ−１）で、第１のＰＤＳＣＨのスケジューリングのための第１のＤＣＩ（例：上述したｓＤＣＩ）を受信することができる（Ｓ１８０５）。一例として、第１のＤＣＩは、第１のＰＤＳＣＨのためのＤＭＲＳが第１のＴＴＩに存在するか否かを表す情報、第１のＰＤＳＣＨのための資源割当（例：ＰＲＢ、ＰＲＧ等）に関する情報などを含むことができる。
【０２８５】
その後、端末は、第２のＴＴＩ（例：上述したｓｕｂｓｌｏｔ＃ｎ）で、第２のＰＤＳＣＨのスケジューリングのための第２のＤＣＩ（例：上述したｓＤＣＩ）を受信することができる（Ｓ１８１０）。一例として、第２のＤＣＩは、第２のＰＤＳＣＨのためのＤＭＲＳが第２のＴＴＩに存在するか否かを表す情報、第２のＰＤＳＣＨのための資源割当（例：ＰＲＢ、ＰＲＧ等）に関する情報などを含むことができる。このとき、第２のＴＴＩは、第１のＴＴＩと時間領域（ｔｉｍｅ  ｄｏｍａｉｎ）上で連続して配置される時間単位を意味できる。
【０２８６】
このとき、端末は、第１のＤＣＩ及び第２のＤＣＩに基づいて第２のＰＤＳＣＨを受信するか（すなわち、デコーディングするか）否かを決定できる（Ｓ１８１５）。具体的に、第２のＤＣＩにより第２のＴＴＩで第２のＰＤＳＣＨのＤＭＲＳ不在（ａｂｓｅｎｃｅ）が指示または設定される場合、端末は、第１のＤＣＩに含まれた情報及び第２のＤＣＩに含まれた情報を（全て）考慮して、第２のＰＤＳＣＨの受信可否を決定するように設定されることができる。
【０２８７】
例えば、本実施形態において上述したように、端末が連続した第１のＴＴＩ（例：ｓｕｂｓｌｏｔ＃ｎ−１）及び第２のＴＴＩ（例：ｓｕｂｓｌｏｔ＃ｎ）から検出された（ｓ）ＤＣＩによりそれぞれのＴＴＩでＤＭＲＳが不在するということを指示または設定された場合、当該端末は、第２のＴＴＩ（例：ｓｕｂｓｌｏｔ＃ｎ）におけるＰＤＳＣＨ（すなわち、第２のＰＤＳＣＨ）をデコーディングすることを期待しないように設定されることができる。または、上記の場合、当該端末は、第２のＰＤＳＣＨデコーディングをスキップ（ｓｋｉｐ）するように設定されることもできる。このとき、当該端末は、第２のＰＤＳＣＨに対するＨＡＲＱ−ＡＣＫ情報（例：ＮＡＣＫ情報）を基地局に報告するように規則が定義されることもできる。
【０２８８】
他に、例えば、本実施形態において上述したように、端末が第２のＴＴＩ（例：ｓｕｂｓｌｏｔ＃ｎ）から検出した（ｓ）ＤＣＩを介して第２のＴＴＩにＤＭＲＳが不在すると指示された状況で、第１のＴＴＩ（例：ｓｕｂｓｌｏｔ＃ｎ−１）から検出された（ｓ）ＤＣＩによる資源割当が第２のＴＴＩから検出された（ｓ）ＤＣＩによる資源割当と同一でないか、これを含まない場合、端末は、第２のＴＴＩにおけるＰＤＳＣＨ（すなわち、第２のＰＤＳＣＨ）をデコーディングすることを期待しない（または、要求されない）ように設定されることができる。または、上記の場合、端末は、第２のＰＤＳＣＨデコーディングをスキップ（ｓｋｉｐ）するように設定されることもできる。このとき、端末は、第２のＰＤＳＣＨに対するＨＡＲＱ−ＡＣＫ情報（例：ＮＡＣＫ情報）を基地局に報告するように規則が定義されることもできる。
【０２８９】
第２実施形態
【０２９０】
上述したようなｓｕｂｓｌｏｔ−ＰＤＳＣＨに対する（ＤＬ）ＤＭＲＳ  ｓｈａｒｉｎｇ動作が複数の連続したサブフレームにわたる（ｓ）ＴＴＩに対して許容（及び／又は、適用、設定、指示）されるか否かが上位階層信号を介して設定されることができる。すなわち、基地局及び端末間の上位階層シグナリングを介して、ｓｕｂｓｌｏｔ−ＰＤＳＣＨに対するＤＭＲＳ  ｓｈａｒｉｎｇ動作が連続したサブフレームにわたるｓｈｏｒｔ  ＴＴＩ（すなわち、ｓｕｂｓｌｏｔｓ）（例：ｓｕｂｓｌｏｔ＃０  ｏｆ  ｓｕｂｆｒａｍｅ＃ｍ及びｓｕｂｓｌｏｔ＃５  ｏｆ  ｓｕｂｆｒａｍｅ＃ｍ−１）間にも設定されることができるか否かに関する情報が伝達され得る。
【０２９１】
また、上述した動作（すなわち、複数の連続したサブフレームにわたるＴＴＩにおけるＤＭＲＳ  ｓｈａｒｉｎｇ動作）を支援するか否かに対する端末の能力（ＵＥ  ｃａｐａｂｉｌｉｔｙ）が定義され得る。一例として、当該端末能力は、複数の連続したサブフレームにわたるＴＴＩに対してＤＭＲＳチャネル推定（ＤＭＲＳ  ｃｈａｎｎｅｌ  ｅｓｔｉｍａｔｉｏｎ）結果を（バッファ（ｂｕｆｆｅｒ）等に）格納することができるか否かに対する動作などを考慮して導かれるものでありうる。
【０２９２】
この場合、上述した基地局の設定（ｃｏｎｆｉｇｕｒａｔｉｏｎ）及び／又は端末の能力（ＵＥ  ｃａｐａｂｉｌｉｔｙ）は、（ＤＬ）ＤＭＲＳ  ｓｈａｒｉｎｇがいくつのＴＴＩに対して許容（及び／又は適用、設定、指示）されるかに関する情報を含むか、許容（及び／又は適用、設定、指示）されるＴＴＩ個数別に（すなわち、ｓｕｂｓｌｏｔ個数別に）定義されることもできる。
【０２９３】
例えば、端末が上述した動作に対する端末の能力情報を支援しないと（基地局に）報告し、及び／又は基地局が上述した動作に対して設定しなかった場合に限って、当該端末は、ｓｕｂｓｌｏｔ＃０から検出されたｓＤＣＩを介してＤＭＲＳが不在するということが指示されることを期待しないように規則が定義され得る。言い換えれば、端末は、ｓｕｂｓｌｏｔ＃０から検出されたｓＤＣＩではＤＭＲＳが存在すると仮定するように規則が定義され得る。すなわち、端末は、ｓｕｂｓｌｏｔ＃０から検出されたｓＤＣＩを介して、当該ｓｕｂｓｌｏｔにおけるＤＭＲＳの存在を指示されることを仮定するように設定されることができる。
【０２９４】
そして／または、端末がｓｕｂｓｌｏｔ＃０から検出したｓＤＣＩを介してｓｕｂｓｌｏｔ＃０にＤＭＲＳが不在すると指示された場合、当該端末は、ｓｕｂｓｌｏｔ＃０におけるＰＤＳＣＨをデコーディング（または、受信）することを期待しない（または、要求されない）ように設定されることができる。または、上記の場合、端末は、当該ｓｕｂｓｌｏｔ＃０におけるＰＤＳＣＨデコーディングをスキップ（ｓｋｉｐ）するように設定されることもできる。このとき、端末は、当該ＰＤＳＣＨ（すなわち、ｓｕｂｓｌｏｔ＃０におけるＰＤＳＣＨ）に対するＨＡＲＱ−ＡＣＫ情報を（基地局に）報告するように規則が定義されることもできる。一例として、前記ＨＡＲＱ−ＡＣＫ情報は、当該ＰＤＳＣＨに対するＮＡＣＫ情報でありうる。
【０２９５】
図１９は、本明細書において提案する方法が適用され得るデータチャネルの受信可否を決定する端末の動作順序図を示す。図１９は、単に説明の都合のためのものであり、本発明の範囲を制限するものではない。
【０２９６】
図１９に示すように、本実施形態において説明された方法（等）に基づいて、端末が特定ｓｕｂｓｌｏｔ（すなわち、特定ＴＴＩ）におけるＰＤＳＣＨを受信するか、受信しないように設定される場合が仮定される。また、図１９において説明される方法では、ｓｕｂｓｌｏｔ単位でＤＣＩ（ここで、ＤＣＩは、ＰＤＣＣＨに対応することができる）及び／又はＰＤＳＣＨがスケジューリングされる場合が仮定される。
【０２９７】
まず、端末は、ＤＭＲＳ  ｓｈａｒｉｎｇ関連端末の能力情報を（基地局に）報告することができる（Ｓ１９０５）。一例として、前記端末の能力情報は、複数の連続したサブフレームにわたるｓｕｂｓｌｏｔにおけるＤＭＲＳ  ｓｈａｒｉｎｇ動作を端末が支援するか否かに対する端末の能力情報でありうる。
【０２９８】
その後、端末は、特定ＴＴＩでＰＤＳＣＨのスケジューリングのためのＤＣＩを受信することができる（Ｓ１９１０）。一例として、上述したように、ＤＣＩは、特定ＴＴＩでＰＤＳＣＨのＤＭＲＳが存在するか否かを表す情報を含むことができる。
【０２９９】
その後、端末は、ＤＭＲＳ  ｓｈａｒｉｎｇ関連端末の能力情報及びＤＣＩに基づいて特定ＴＴＩにおけるＰＤＳＣＨ受信可否を決定できる（Ｓ１９１５）。
【０３００】
このとき、複数の連続したサブフレームにわたって前記特定ＴＴＩと連続して配置されるＴＴＩに対してＰＤＳＣＨ及び／又はそれに対するＤＭＲＳがスケジューリングされる場合、前記端末の能力情報及び前記ＤＣＩに基づいて、前記特定ＴＴＩにおけるＰＤＳＣＨ受信可否が決定され得る。
【０３０１】
例えば、本実施形態において上述したように、端末が複数のサブフレームにわたるｓｕｂｓｌｏｔに対してＤＭＲＳ  ｓｈａｒｉｎｇ動作を支援しないと（基地局に）報告した場合を仮定しよう。このとき、端末が特定ＴＴＩ（例：ｓｕｂｓｌｏｔ＃０）から検出した（すなわち、受信した）（ｓ）ＤＣＩを介して特定ＴＴＩにＤＭＲＳが不在すると指示された場合、当該端末は、特定ＴＴＩにおけるＰＤＳＣＨをデコーディング（または、受信）することを期待しない（または、要求されない）ように設定されることができる。または、上記の場合、端末は、特定ＴＴＩにおけるＰＤＳＣＨデコーディングをスキップ（ｓｋｉｐ）するように設定されることもできる。このとき、端末は、特定ＴＴＩにおけるＰＤＳＣＨに対するＨＡＲＱ−ＡＣＫ情報（例：ＮＡＣＫ情報）を基地局に報告するように規則が定義されることもできる。
【０３０２】
第３実施形態
【０３０３】
また、無線通信システム（例：ＬＴＥシステム）の標準によれば、（ＤＬ）ＤＭＲＳ  ｓｈａｒｉｎｇに対する端末の動作は、次のように定義されている。
【０３０４】
まず、端末が上位階層パラメータｓｈｏｒｔ  ＴＴＩに設定され、ＤＣＩフォーマット７−１Ｆ／７−１ＧでサービングセルのＰＤＣＣＨ／ｓＰＤＣＣＨを介してシグナリングされるｓｕｂｓｌｏｔ＃ｎにおけるＰＤＳＣＨデータ送信を行うように設定された場合を仮定しよう。このとき、ｓｕｂｓｌｏｔ＃ｎとｓｕｂｓｌｏｔ＃ｎ−１とが同じサブフレームに属する場合、ｓｕｂｓｌｏｔ−ＰＤＳＣＨと連関したＤＣＩがｓｕｂｓｌｏｔ＃ｎにおける端末−特定参照信号の不在を指示すれば、端末は、ｓｕｂｓｌｏｔ＃ｎ−１でＰＤＳＣＨがマッピングされたＰＲＧ（ｐｈｙｓｉｃａｌ  ｒｅｓｏｕｒｃｅ  ｂｌｏｃｋ  ｇｒｏｕｐ）（等）に存在する端末−特定参照信号を仮定できる。
【０３０５】
言い換えれば、端末がｓｕｂｓｌｏｔ＃ｎでＤＭＲＳ基盤のＰＤＳＣＨをスケジューリングされ、ＤＭＲＳが当該ｓｕｂｓｌｏｔ（すなわち、ｓｕｂｓｌｏｔ＃ｎ）に存在しないと指示された場合、当該端末がｓｕｂｓｌｏｔ＃ｎのＰＤＳＣＨ  ＰＲＧに対する復調のために、ｓｕｂｓｌｏｔ＃ｎ−１の当該ＰＲＧに送信されたＤＭＲＳを活用できるように規則が定義され得る。
【０３０６】
また、端末が上位階層パラメータｓｈｏｒｔ  ＴＴＩに設定され、ＤＣＩフォーマット７−１Ａ／７−１Ｂ／７−１Ｃ／７−１Ｄ／７−１Ｆ／７−１ＧでサービングセルのＰＤＣＣＨ／ｓＰＤＣＣＨを介してシグナリングされるｓｕｂｓｌｏｔ＃ｎにおけるＰＤＳＣＨデータ送信を行うように設定された場合を仮定しよう。このとき、端末がｓｕｂｓｌｏｔ＃ｎ−１で２−階層（ｌａｙｅｒ）より多い空間多重化（ｓｐａｔｉａｌ  ｍｕｌｔｉｐｌｅｘｉｎｇ）にマッピングされた送信ブロック（ｔｒａｎｓｐｏｒｔ  ｂｌｏｃｋ、ＴＢ）に対応する端末−特定参照信号（ＵＥ−ｓｐｅｃｉｆｉｃ  ｒｅｆｅｒｅｎｃｅ  ｓｉｇｎａｌ）（等）を受信すれば、当該端末は、２−ｌａｙｅｒより多い空間多重化にマッピングされたＴＢに対応する端末−特定参照信号を受信することが予想されない。
【０３０７】
言い換えれば、端末がｓｕｂｓｌｏｔ＃ｎ−１で３−ｌａｙｅｒ以上のＴＢを含むＰＤＳＣＨに対するＤＭＲＳを受信した場合、当該端末は、ｓｕｂｓｌｏｔ＃ｎで、３−ｌａｙｅｒ以上のＴＢを含むＰＤＳＣＨに対するＤＭＲＳを受信することを期待しない。これは、端末が２つのｓｕｂｓｌｏｔに連続的に３−ｌａｙｅｒ以上のＰＤＳＣＨに対するＤＭＲＳを受信してチャネル推定を行うことが端末動作側面のオーバーヘッド（ｏｖｅｒｈｅａｄ）として作用できるためである。
【０３０８】
端末が、上述したｓｕｂｓｌｏｔ−ＰＤＳＣＨに対する（ＤＬ）ＤＭＲＳ  ｓｈａｒｉｎｇ動作が複数の連続したサブフレームにわたる（ｓ）ＴＴＩ（例：ｓｕｂｓｌｏｔ＃５  ｏｆ  ｓｕｂｆｒａｍｅ＃ｍ及びｓｕｂｓｌｏｔ＃０  ｏｆ  ｓｕｂｆｒａｍｅ＃ｍ＋１）に対して許容（及び／又は、適用、設定、指示）されるか否かに対する端末能力を支援しないと報告する場合、そして／または基地局が上述した動作（すなわち、複数の連続したサブフレームにわたるＴＴＩにおけるＤＭＲＳ  ｓｈａｒｉｎｇ動作）に対して設定しなかった場合を仮定しよう。このとき、基地局がｓｕｂｆｒａｍｅ＃ｍにおけるｓｕｂｓｌｏｔ＃５（すなわち、連続する２つのサブフレームのうち、１番目のサブフレームの最後のｓｕｂｓｌｏｔ）で３−ｌａｙｅｒ以上のＰＤＳＣＨをスケジューリングした場合、当該基地局は、ｓｕｂｆｒａｍｅ＃ｍ＋１におけるｓｕｂｓｌｏｔ＃０（すなわち、連続する２つのサブフレームのうち、２番目のサブフレームの１番目のｓｕｂｓｌｏｔ）で３−ｌａｙｅｒ以上のＰＤＳＣＨをスケジューリングすることができない。これは、データレート（ｄａｔａ  ｒａｔｅ）の減少を引き起こすことができる。
【０３０９】
したがって、これを防止するために、複数の連続したサブフレームにわたる（ｓ）ＴＴＩ（例：ｓｕｂｓｌｏｔ＃５  ｏｆ  ｓｕｂｆｒａｍｅ＃ｍ及びｓｕｂｓｌｏｔ＃０  ｏｆ  ｓｕｂｆｒａｍｅ＃ｍ＋１）に限っては、３−ｌａｙｅｒ以上のＰＤＳＣＨ（等）に対するＤＭＲＳが連続的に送信される（または、スケジューリングされる）ことができるように規則が定義され得る。すなわち、端末は、複数の連続したサブフレームにわたる（ｓ）ＴＴＩ（例：ｓｕｂｓｌｏｔ＃５  ｏｆ  ｓｕｂｆｒａｍｅ＃ｍ及びｓｕｂｓｌｏｔ＃０  ｏｆ  ｓｕｂｆｒａｍｅ＃ｍ＋１）に対しては、３−ｌａｙｅｒ以上のＰＤＳＣＨ（等）に対するＤＭＲＳを期待するように設定されることができる。
【０３１０】
上述したような例外規則は、端末が、上述したｓｕｂｓｌｏｔ−ＰＤＳＣＨに対する（ＤＬ）ＤＭＲＳ  ｓｈａｒｉｎｇ動作が複数の連続したサブフレームにわたる（ｓ）ＴＴＩ（例：ｓｕｂｓｌｏｔ＃５  ｏｆ  ｓｕｂｆｒａｍｅ＃ｍ及びｓｕｂｓｌｏｔ＃０  ｏｆ  ｓｕｂｆｒａｍｅ＃ｍ＋１）に対して許容（及び／又は、適用、設定、指示）されるか否かに対する端末能力を支援しないと報告する場合、そして／または基地局が上述した動作（すなわち、複数の連続したサブフレームにわたるＴＴＩにおけるＤＭＲＳ  ｓｈａｒｉｎｇ動作）に対して設定しなかった場合に限って適用されることでありうる。または、上述したような例外規則は、上述した端末能力及び／又は上述した基地局設定と関係なく適用されることもできる。
【０３１１】
また、複数の連続したサブフレームにわたる（ｓ）ＴＴＩ（例：ｓｕｂｓｌｏｔ＃５  ｏｆ  ｓｕｂｆｒａｍｅ＃ｍ及びｓｕｂｓｌｏｔ＃０  ｏｆ  ｓｕｂｆｒａｍｅ＃ｍ＋１）に対して、３−ｌａｙｅｒ以上のＰＤＳＣＨ（等）及び／又はそれに対するＤＭＲＳを受信して処理できるか否かに対する端末能力情報を端末が報告するように規則が定義され得る。ここで、それに対するＤＭＲＳを受信して処理できるか否かは、２つの（ｓ）ＴＴＩに対する復調を行うことができるか否かを意味できる。そして／または、基地局が上述した動作の可能（ｅｎａｂｌｅ）（または、活性化）可否を設定するように規則が定義されることもできる。
【０３１２】
例えば、複数の連続したサブフレームにわたる（ｓ）ＴＴＩ（例：ｓｕｂｓｌｏｔ＃５  ｏｆ  ｓｕｂｆｒａｍｅ＃ｍ及びｓｕｂｓｌｏｔ＃０  ｏｆ  ｓｕｂｆｒａｍｅ＃ｍ＋１）に対して、３−ｌａｙｅｒ以上のＰＤＳＣＨ（等）及び／又はそれに対するＤＭＲＳを受信して処理できるか否かに対して端末が支援できると報告するか、そして／または基地局が上述した動作を設定した場合を仮定しよう。この場合、当該端末は、複数の連続したサブフレームにわたる（ｓ）ＴＴＩ（例：ｓｕｂｓｌｏｔ＃５  ｏｆ  ｓｕｂｆｒａｍｅ＃ｍ及びｓｕｂｓｌｏｔ＃０  ｏｆ  ｓｕｂｆｒａｍｅ＃ｍ＋１）に対しては、３−ｌａｙｅｒ以上のＰＤＳＣＨ（等）及び／又はそれに対するＤＭＲＳを期待することができる。すなわち、上記の場合、複数の連続したサブフレームにわたる（ｓ）ＴＴＩ（例：ｓｕｂｓｌｏｔ＃５  ｏｆ  ｓｕｂｆｒａｍｅ＃ｍ及びｓｕｂｓｌｏｔ＃０  ｏｆ  ｓｕｂｆｒａｍｅ＃ｍ＋１）に対しては、３−ｌａｙｅｒ以上のＰＤＳＣＨ（等）及び／又はそれに対するＤＭＲＳが設定、指示、割当、及び／又は送信されることができる。
【０３１３】
それに対し、他に、例えば、複数の連続したサブフレームにわたる（ｓ）ＴＴＩ（例：ｓｕｂｓｌｏｔ＃５  ｏｆ  ｓｕｂｆｒａｍｅ＃ｍ及びｓｕｂｓｌｏｔ＃０  ｏｆ  ｓｕｂｆｒａｍｅ＃ｍ＋１）に対して、３−ｌａｙｅｒ以上のＰＤＳＣＨ（等）及び／又はそれに対するＤＭＲＳを受信して処理できるか否かに対して端末が支援できないと報告するか、そして／または基地局が上述した動作を設定しなかった場合を仮定しよう。この場合、当該端末は、複数の連続したサブフレームにわたる（ｓ）ＴＴＩ（例：ｓｕｂｓｌｏｔ＃５  ｏｆ  ｓｕｂｆｒａｍｅ＃ｍ及びｓｕｂｓｌｏｔ＃０  ｏｆ  ｓｕｂｆｒａｍｅ＃ｍ＋１）に対しては、３−ｌａｙｅｒ以上のＰＤＳＣＨ（等）及び／又はそれに対するＤＭＲＳを期待しないことができる。すなわち、上記の場合、複数の連続したサブフレームにわたる（ｓ）ＴＴＩ（例：ｓｕｂｓｌｏｔ＃５  ｏｆ  ｓｕｂｆｒａｍｅ＃ｍ及びｓｕｂｓｌｏｔ＃０  ｏｆ  ｓｕｂｆｒａｍｅ＃ｍ＋１）に対しては、３−ｌａｙｅｒ以上のＰＤＳＣＨ（等）及び／又はそれに対するＤＭＲＳが設定、指示、割当、及び／又は送信されることができない。
【０３１４】
仮に、端末が複数の連続したサブフレームにわたる（ｓ）ＴＴＩ（例：ｓｕｂｓｌｏｔ＃５  ｏｆ  ｓｕｂｆｒａｍｅ＃ｍ及びｓｕｂｓｌｏｔ＃０  ｏｆ  ｓｕｂｆｒａｍｅ＃ｍ＋１）に対して、３−ｌａｙｅｒ以上のＰＤＳＣＨ（等）及び／又はそれに対するＤＭＲＳを受信した場合、当該端末は、２つのうち１つのＰＤＳＣＨ（例：２つのうち、後のｓｕｂｓｌｏｔに対するＰＤＳＣＨ）に対する受信またはデコーディングを要求されないことができる。また、端末は、受信またはデコーディングされなかったＴＢに該当するＰＤＳＣＨに対するＨＡＲＱ−ＡＣＫ情報（例：ＮＡＣＫ情報）を送信することもできる。そして／または、２つのうち、後のｓｕｂｓｌｏｔに対するＰＤＳＣＨに対しては、以前のｓｕｂｓｌｏｔに対するＰＤＳＣＨと異なる処理時間（ｐｒｏｃｅｓｓｉｎｇ  ｔｉｍｅ）が適用されることもできる。そして／または、２つのＰＤＳＣＨに対しては、既存に定義または設定された値と異なる処理時間（例：より長く設定された処理時間など）が適用されることもできる。
【０３１５】
より一般的な方式として、ｓｕｂｓｌｏｔのサブフレーム内の位置と関係なく、連続した２つのｓｕｂｓｌｏｔに対して、ｘ−ｌａｙｅｒ（ここで、ｘは、自然数）（例：ｘ＝３）以上のＰＤＳＣＨ（等）及び／又はそれに対するＤＭＲＳを受信して処理できるか否かに対する端末能力情報を端末が報告するように規則が定義され得る。ここで、それに対するＤＭＲＳを受信して処理できるか否かは、２つの（ｓ）ＴＴＩに対する復調を行うことができるか否かを意味できる。そして／または、基地局が上述した動作の可能（ｅｎａｂｌｅ）（または、活性化）可否を設定するように規則が定義されることもできる。
【０３１６】
例えば、連続した２つのｓｕｂｓｌｏｔに対して、ｘ−ｌａｙｅｒ以上のＰＤＳＣＨ（等）及び／又はそれに対するＤＭＲＳを受信して処理できるか否かに対して端末が支援できると報告するか、そして／または基地局が上述した動作を設定した場合を仮定しよう。この場合、当該端末は、連続した２つのｓｕｂｓｌｏｔに対しては、ｘ−ｌａｙｅｒ以上のＰＤＳＣＨ（等）及び／又はそれに対するＤＭＲＳを期待することができる。すなわち、上記の場合、連続した２つのｓｕｂｓｌｏｔに対しては、ｘ−ｌａｙｅｒ以上のＰＤＳＣＨ（等）及び／又はそれに対するＤＭＲＳが設定、指示、割当、及び／又は送信されることができる。
【０３１７】
それに対し、他に、例えば、連続した２つのｓｕｂｓｌｏｔに対して、ｘ−ｌａｙｅｒ以上のＰＤＳＣＨ（等）及び／又はそれに対するＤＭＲＳを受信して処理できるか否かに対して端末が支援できないと報告するか、そして／または基地局が上述した動作を設定しなかった場合を仮定しよう。この場合、連続した２つのｓｕｂｓｌｏｔに対しては、ｘ−ｌａｙｅｒ以上のＰＤＳＣＨ（等）及び／又はそれに対するＤＭＲＳを期待しないことができる。すなわち、上記の場合、連続した２つのｓｕｂｓｌｏｔに対しては、ｘ−ｌａｙｅｒ以上のＰＤＳＣＨ（等）及び／又はそれに対するＤＭＲＳが設定、指示、割当、及び／又は送信されることができない。
【０３１８】
仮に、端末が連続した２つのｓｕｂｓｌｏｔに対しては、ｘ−ｌａｙｅｒ以上のＰＤＳＣＨ（等）及び／又はそれに対するＤＭＲＳを受信した場合、当該端末は、２つのうち１つのＰＤＳＣＨ（例：２つのうち、後のｓｕｂｓｌｏｔに対するＰＤＳＣＨ）に対する受信またはデコーディングを要求されないことができる。また、端末は、受信またはデコーディングされなかったＴＢに該当するＰＤＳＣＨに対するＨＡＲＱ−ＡＣＫ情報（例：ＮＡＣＫ情報）を送信することもできる。そして／または、２つのうち、後のｓｕｂｓｌｏｔに対するＰＤＳＣＨに対しては、以前のｓｕｂｓｌｏｔに対するＰＤＳＣＨと異なる処理時間（ｐｒｏｃｅｓｓｉｎｇ  ｔｉｍｅ）が適用されることもできる。そして／または、２つのＰＤＳＣＨに対しては、既存に定義または設定された値と異なる処理時間（例：より長く設定された処理時間など）が適用されることもできる。
【０３１９】
図２０は、本明細書において提案する方法が適用され得るデータチャネルの受信可否を決定する端末の動作順序図を示す。図２０は、単に説明の都合のためのものであり、本発明の範囲を制限するものではない。
【０３２０】
図２０に示すように、本実施形態において説明された方法（等）に基づいて、端末が特定ｓｕｂｓｌｏｔ（すなわち、特定ＴＴＩ）におけるＰＤＳＣＨを受信するか、受信しないように設定される場合が仮定される。また、図２０において説明される方法では、ｓｕｂｓｌｏｔ単位でＤＣＩ（ここで、ＤＣＩは、ＰＤＣＣＨに対応することができる）及び／又はＰＤＳＣＨがスケジューリングされる場合が仮定される。
【０３２１】
まず、端末は、ＤＭＲＳ  ｓｈａｒｉｎｇ関連端末の能力情報を（基地局に）報告することができる（Ｓ２００５）。例えば、前記端末の能力情報は、複数の連続したサブフレームにわたる（ｓ）ＴＴＩ（例：ｓｕｂｓｌｏｔ＃５  ｏｆ  ｓｕｂｆｒａｍｅ＃ｍ及びｓｕｂｓｌｏｔ＃０  ｏｆ  ｓｕｂｆｒａｍｅ＃ｍ＋１）に対してｘ−ｌａｙｅｒ（例：ｘ＝３）以上のＰＤＳＣＨ（等）及び／又はそれに対するＤＭＲＳを受信して処理できるか否かに関するものでありうる。
【０３２２】
その後、端末は、特定ＴＴＩでＰＤＳＣＨのスケジューリングのためのＤＣＩを受信することができる（Ｓ２０１０）。一例として、上述したように、ＤＣＩは、特定ＴＴＩにおけるＰＤＳＣＨに対するｌａｙｅｒの数に関する情報、当該ＰＤＳＣＨに対するＤＭＲＳ関連情報などを含むことができる。
【０３２３】
その後、端末は、ＤＭＲＳ  ｓｈａｒｉｎｇ関連端末の能力情報及びＤＣＩに基づいて特定ＴＴＩにおけるＰＤＳＣＨ受信可否を決定できる（Ｓ２０１５）。
【０３２４】
このとき、複数の連続したサブフレームにわたって前記特定ＴＴＩと連続して配置されるＴＴＩに対してＰＤＳＣＨ及び／又はそれに対するＤＭＲＳがスケジューリングされる場合、前記端末の能力情報及び前記ＤＣＩに基づいて前記特定ＴＴＩにおけるＰＤＳＣＨ受信可否が決定され得る。
【０３２５】
例えば、本実施形態において上述したように、複数の連続したサブフレームにわたる（ｓ）ＴＴＩ（例：ｓｕｂｓｌｏｔ＃５  ｏｆ  ｓｕｂｆｒａｍｅ＃ｍ及びｓｕｂｓｌｏｔ＃０  ｏｆ  ｓｕｂｆｒａｍｅ＃ｍ＋１）に対して、３−ｌａｙｅｒ以上のＰＤＳＣＨ（等）及び／又はそれに対するＤＭＲＳを受信して処理できるか否かに対して端末が支援できないと報告する場合を仮定しよう。この場合、当該端末は、複数の連続したサブフレームにわたる（ｓ）ＴＴＩ（例：ｓｕｂｓｌｏｔ＃５  ｏｆ  ｓｕｂｆｒａｍｅ＃ｍ及びｓｕｂｓｌｏｔ＃０  ｏｆ  ｓｕｂｆｒａｍｅ＃ｍ＋１）に対しては、３−ｌａｙｅｒ以上のＰＤＳＣＨ（等）及び／又はそれに対するＤＭＲＳを期待しないことができる。すなわち、上記の場合、複数の連続したサブフレームにわたる（ｓ）ＴＴＩ（例：ｓｕｂｓｌｏｔ＃５  ｏｆ  ｓｕｂｆｒａｍｅ＃ｍ及びｓｕｂｓｌｏｔ＃０  ｏｆ  ｓｕｂｆｒａｍｅ＃ｍ＋１）に対しては、３−ｌａｙｅｒ以上のＰＤＳＣＨ（等）及び／又はそれに対するＤＭＲＳが設定、指示、割当、及び／又は受信されることができない。
【０３２６】
また、本明細書において説明した提案方式に対する一例等も、本発明の実現方法のうち１つとして含まれることができるので、一種の提案方式と見なされることができることは明らかな事実である。また、本明細書において説明した提案方式は、独立的に実現されることができるが、一部提案方式の組み合わせ（または、併合）形態で実現されることもできる。また、本明細書において説明した提案方式の適用可否に関する情報（及び／又は前記提案方法の規則に関する情報）は、基地局が端末に予め定義されたシグナリング（例：物理階層シグナリング及び／又は上位階層シグナリング等）を介して知らせるように規則が定義されることもできる。
【０３２７】
以下、図２１及び図２２と、これについての説明は、本明細書において提案するデータチャネル（例：ＰＤＳＣＨ）の送受信を行う端末の動作方法及び装置と基地局の動作方法及び装置についてのものである。図２１及び図２２における方法は、説明の都合のために、ＰＤＳＣＨの場合を基準に説明されるが、このような方法が無線通信システムで用いられる様々なデータチャネル及び／又は復調参照信号に対しても拡張して適用され得ることはもちろんである。
【０３２８】
図２１は、本明細書において提案する無線通信システムにおいてデータチャネル及び／又は復調参照信号の受信可否を決定する端末の動作順序図の一例を示す。図２１は、単に説明の都合のためのものであり、本発明の範囲を制限するものではない。
【０３２９】
図２１に示すように、基地局及び／又は端末が本明細書において上述した実施形態で提案する方法（等）に基づいて、データチャネル（例：ＰＤＳＣＨ）及び／又は復調参照信号（すなわち、ＤＭＲＳ）の送受信可否を決定する場合が仮定される。一例として、上述した第１実施形態の図１８及びそれについての説明、上述した第２実施形態の図１９及びそれについての説明、及び／又は上述した第３実施形態の図２０及びそれについての説明に基づいて、当該ＰＤＳＣＨの受信可否が決定され得る。
【０３３０】
まず、端末は、（基地局から）ｎ番目の送信時間単位（ｔｒａｎｓｍｉｓｓｉｏｎ  ｔｉｍｅ  ｕｎｉｔ）（例：ｓｕｂｓｌｏｔ＃ｎ）におけるＰＤＳＣＨをスケジューリングするためのＤＣＩ（例：上述したｓＤＣＩ）を受信することができる（Ｓ２１０５）。
【０３３１】
その後、端末は、前記ＤＣＩに基づいて前記ＰＤＳＣＨの受信可否を決定できる（Ｓ２１１０）。言い換えれば、当該端末は、前記ＤＣＩの情報に基づいて前記ＰＤＳＣＨの受信を期待するか、期待しないことができる。すなわち、前記ＰＤＳＣＨの送信可否が前記ＤＣＩにより決定されることができる。
【０３３２】
ここで、前記ＤＣＩは、前記ｎ番目の送信時間単位に前記ＰＤＳＣＨのためのＤＭＲＳが存在するか否かを表す情報（例：ＤＭＲＳ  ｐｏｓｉｔｉｏｎ  ｉｎｄｉｃａｔｏｒ等）を含むことができる。
【０３３３】
また、例えば、上述したように（例：上述した図１８及びそれについての説明）、前記端末は、基地局から、ｎ−１番目の送信時間単位における他の（ａｎｏｔｈｅｒ）ＰＤＳＣＨをスケジューリングするための他の（ａｎｏｔｈｅｒ）ＤＣＩを受信することができる。ここで、前記他のＤＣＩは、前記ｎ−１番目の送信時間単位に前記他のＰＤＳＣＨのためのＤＭＲＳが存在するか否かを表す情報を含むことができ、この場合、前記ＰＤＳＣＨの受信可否は、前記ＤＣＩ及び前記他のＤＣＩに基づいて決定されることができる。
【０３３４】
より具体的に、前記ｎ番目の送信時間単位で前記ＰＤＳＣＨのためのＤＭＲＳの不在（ａｂｓｅｎｃｅ）が前記ＤＣＩにより設定され、前記ｎ−１番目の送信時間単位で前記他のＰＤＳＣＨのためのＤＭＲＳの不在が前記他のＤＣＩにより設定される場合、前記ＰＤＳＣＨは、前記端末により受信されない（すなわち、受信されることが期待されない）ように設定されることができる。このとき、前記ＰＤＳＣＨが受信されなかった場合、前記端末は、予め定義された規則にしたがって前記ＰＤＳＣＨに対するＨＡＲＱ−ＡＣＫ情報を（基地局に）報告することもできる。
【０３３５】
または、前記端末は、基地局から、ｎ−１番目の送信時間単位で他の（ａｎｏｔｈｅｒ）ＰＤＳＣＨのスケジューリングのための他のＤＣＩを受信することができる。ここで、前記ＤＣＩは、前記ｎ番目の送信時間単位における前記ＰＤＳＣＨのための資源割当情報を含み、前記他のＤＣＩは、前記ｎ−１番目の送信時間単位における前記他のＰＤＳＣＨのための資源割当情報を含むことができ、この場合、前記ＰＤＳＣＨの受信可否は、前記ＤＣＩ及び前記他のＤＣＩに基づいて決定されることができる。
【０３３６】
より具体的に、前記ｎ番目の送信時間単位で前記ＰＤＳＣＨのためのＤＭＲＳの不在（ａｂｓｅｎｃｅ）が前記ＤＣＩにより設定され、前記ｎ番目の送信時間単位における前記ＰＤＳＣＨのための資源割当情報が前記ｎ−１番目の送信時間単位における前記他のＰＤＳＣＨのための資源割当情報を含まない場合、前記ＰＤＳＣＨは、前記端末により受信されないように設定されることができる。このとき、前記ＰＤＳＣＨが受信されなかった場合、前記端末は、予め定義された規則にしたがって前記ＰＤＳＣＨに対するＨＡＲＱ−ＡＣＫ情報を（基地局に）報告することもできる。
【０３３７】
また、他に、例えば、上述したように（例：上述した図１９及びそれについての説明）、前記端末は、連続したサブフレームにわたって配置された送信時間単位でスケジューリングされるＰＤＳＣＨ間のＤＭＲＳ共有（ＤＭＲＳ  ｓｈａｒｉｎｇ）を支援しないこともできる。一例として、このような端末能力は、上位階層パラメータであるｄｍｒｓ−ＳｈａｒｉｎｇＳｕｂｓｌｏｔＰＤＳＣＨを介して報告及び／又は設定されることができる。
【０３３８】
この場合、前記１番目のサブスロットで前記ＰＤＳＣＨのためのＤＭＲＳの不在（ａｂｓｅｎｃｅ）が前記ＤＣＩにより設定され、前記ｎ番目の送信時間単位は、特定サブフレーム（ｓｕｂｆｒａｍｅ）内での１番目のサブスロット（ｓｕｂｓｌｏｔ）（例：ｓｕｂｓｌｏｔ＃０）であれば、前記ＰＤＳＣＨは、前記端末により受信されないように設定されることができる。このとき、前記ＰＤＳＣＨが受信されなかった場合、前記端末は、予め定義された規則にしたがって前記ＰＤＳＣＨに対するＨＡＲＱ−ＡＣＫ情報を（基地局に）報告することもできる。
【０３３９】
また、さらに他に、例えば、上述したように（例：上述した図２０及びそれについての説明）、前記端末は、連続したサブフレームにわたって配置された送信時間単位でスケジューリングされる３−レイヤ（ｌａｙｅｒ）以上のＰＤＳＣＨに対するＤＭＲＳ受信（ＤＭＲＳ  ｒｅｃｅｐｔｉｏｎ）を支援しないこともできる。一例として、このような端末能力は、上位階層パラメータであるｄｍｒｓ−ＲｅｐｅｔｉｔｉｏｎＳｕｂｓｌｏｔＰＤＳＣＨを介して報告及び／又は設定されることができる。
【０３４０】
このとき、前記端末が前記基地局から、ｎ−１番目の送信時間単位で３−レイヤ以上の他の（ａｎｏｔｈｅｒ）ＰＤＳＣＨのための他の（ａｎｏｔｈｅｒ）ＤＭＲＳを受信する場合を仮定しよう。この場合、前記ｎ−１番目の送信時間単位は、ｍ番目のサブフレーム（ｓｕｂｆｒａｍｅ）内での最後のサブスロット（ｓｕｂｓｌｏｔ）であり、前記ｎ番目の送信時間単位は、ｍ＋１番目のサブフレーム（ｓｕｂｆｒａｍｅ）内での１番目のサブスロット（ｓｕｂｓｌｏｔ）であり、前記ＰＤＳＣＨが３−レイヤ以上のＰＤＳＣＨである場合、前記ＤＭＲＳは、前記端末により受信されないように設定されることができる。
【０３４１】
これと関連して、実現的な側面において、上述した端末の動作は、本明細書の図２３及び図２４に示された端末装置２３２０、２４２０により具体的に実現されることができる。例えば、上述した端末の動作は、プロセッサ２３２１、２４２１及び／又はＲＦ（Ｒａｄｉｏ  Ｆｒｅｑｕｅｎｃｙ）ユニット（または、モジュール）２３２３、２４２５により行われることができる。
【０３４２】
無線通信システムにおいてデータチャネル（例：ＰＤＳＣＨ）を受信する端末は、無線信号を送信するための送信部（ｔｒａｎｓｍｉｔｔｅｒ）、無線信号を受信するための受信部（ｒｅｃｅｉｖｅｒ）、及び前記送信部及び受信部と機能的に連結されるプロセッサを備えることができる。ここで、前記送信部及び前記受信部（または、送受信部）は、無線信号を送受信するためのＲＦユニット（または、モジュール）と称されることができる。
【０３４３】
具体的な例として、プロセッサは、（基地局から）ｎ番目の送信時間単位（ｔｒａｎｓｍｉｓｓｉｏｎ  ｔｉｍｅ  ｕｎｉｔ）（例：ｓｕｂｓｌｏｔ＃ｎ）におけるＰＤＳＣＨをスケジューリングするためのＤＣＩ（例：上述したｓＤＣＩ）を受信するようにＲＦユニットを制御できる。
【０３４４】
その後、プロセッサは、前記ＤＣＩに基づいて前記ＰＤＳＣＨの受信可否を決定するように制御することができる。言い換えれば、当該プロセッサは、前記ＤＣＩの情報に基づいて前記ＰＤＳＣＨの受信を期待するか、期待しないように制御することができる。すなわち、前記ＰＤＳＣＨの送信可否が前記ＤＣＩにより決定されることができる。
【０３４５】
ここで、前記ＤＣＩは、前記ｎ番目の送信時間単位に前記ＰＤＳＣＨのためのＤＭＲＳが存在するか否かを表す情報（例：ＤＭＲＳ  ｐｏｓｉｔｉｏｎ  ｉｎｄｉｃａｔｏｒ等）を含むことができる。
【０３４６】
また、例えば、上述したように（例：上述した図１８及びそれについての説明）、前記プロセッサは、基地局から、ｎ−１番目の送信時間単位における他の（ａｎｏｔｈｅｒ）ＰＤＳＣＨをスケジューリングするための他の（ａｎｏｔｈｅｒ）ＤＣＩを受信するようにＲＦユニットを制御できる。ここで、前記他のＤＣＩは、前記ｎ−１番目の送信時間単位に前記他のＰＤＳＣＨのためのＤＭＲＳが存在するか否かを表す情報を含むことができ、この場合、前記ＰＤＳＣＨの受信可否は、前記ＤＣＩ及び前記他のＤＣＩに基づいて決定されることができる。
【０３４７】
より具体的に、前記ｎ番目の送信時間単位で前記ＰＤＳＣＨのためのＤＭＲＳの不在（ａｂｓｅｎｃｅ）が前記ＤＣＩにより設定され、前記ｎ−１番目の送信時間単位で前記他のＰＤＳＣＨのためのＤＭＲＳの不在が前記他のＤＣＩにより設定される場合、前記ＰＤＳＣＨは、前記端末により受信されない（すなわち、受信されることが期待されない）ように設定されることができる。このとき、前記ＰＤＳＣＨが受信されなかった場合、前記プロセッサは、予め定義された規則にしたがって前記ＰＤＳＣＨに対するＨＡＲＱ−ＡＣＫ情報を（基地局に）報告するようにＲＦユニットを制御することもできる。
【０３４８】
または、前記プロセッサは、基地局から、ｎ−１番目の送信時間単位で他の（ａｎｏｔｈｅｒ）ＰＤＳＣＨのスケジューリングのための他のＤＣＩを受信するようにＲＦユニットを制御できる。ここで、前記ＤＣＩは、前記ｎ番目の送信時間単位における前記ＰＤＳＣＨのための資源割当情報を含み、前記他のＤＣＩは、前記ｎ−１番目の送信時間単位における前記他のＰＤＳＣＨのための資源割当情報を含むことができ、この場合、前記ＰＤＳＣＨの受信可否は、前記ＤＣＩ及び前記他のＤＣＩに基づいて決定されることができる。
【０３４９】
より具体的に、前記ｎ番目の送信時間単位で前記ＰＤＳＣＨのためのＤＭＲＳの不在（ａｂｓｅｎｃｅ）が前記ＤＣＩにより設定され、前記ｎ番目の送信時間単位における前記ＰＤＳＣＨのための資源割当情報が前記ｎ−１番目の送信時間単位における前記他のＰＤＳＣＨのための資源割当情報を含まない場合、前記ＰＤＳＣＨは、前記端末により受信されないように設定されることができる。このとき、前記ＰＤＳＣＨが受信されなかった場合、前記プロセッサは、予め定義された規則にしたがって前記ＰＤＳＣＨに対するＨＡＲＱ−ＡＣＫ情報を（基地局に）報告するようにＲＦユニットを制御することもできる。
【０３５０】
また、他に、例えば、上述したように（例：上述した図１９及びそれについての説明）、前記端末は、連続したサブフレームにわたって配置された送信時間単位でスケジューリングされるＰＤＳＣＨ間のＤＭＲＳ共有（ＤＭＲＳ  ｓｈａｒｉｎｇ）を支援しないこともできる。一例として、このような端末能力は、上位階層パラメータであるｄｍｒｓ−ＳｈａｒｉｎｇＳｕｂｓｌｏｔＰＤＳＣＨを介して報告及び／又は設定されることができる。
【０３５１】
この場合、前記１番目のサブスロットで前記ＰＤＳＣＨのためのＤＭＲＳの不在（ａｂｓｅｎｃｅ）が前記ＤＣＩにより設定され、前記ｎ番目の送信時間単位は、特定サブフレーム（ｓｕｂｆｒａｍｅ）内での１番目のサブスロット（ｓｕｂｓｌｏｔ）（例：ｓｕｂｓｌｏｔ＃０）であれば、前記ＰＤＳＣＨは、前記端末により受信されないように設定されることができる。このとき、前記ＰＤＳＣＨが受信されなかった場合、前記プロセッサは、予め定義された規則にしたがって前記ＰＤＳＣＨに対するＨＡＲＱ−ＡＣＫ情報を（基地局に）報告するようにＲＦユニットを制御することもできる。
【０３５２】
また、さらに他に、例えば、上述したように（例：上述した図２０及びそれについての説明）、前記端末は、連続したサブフレームにわたって配置された送信時間単位でスケジューリングされる３−レイヤ（ｌａｙｅｒ）以上のＰＤＳＣＨに対するＤＭＲＳ受信（ＤＭＲＳ  ｒｅｃｅｐｔｉｏｎ）を支援しないこともできる。一例として、このような端末能力は、上位階層パラメータであるｄｍｒｓ−ＲｅｐｅｔｉｔｉｏｎＳｕｂｓｌｏｔＰＤＳＣＨを介して報告及び／又は設定されることができる。
【０３５３】
このとき、前記プロセッサが前記ＲＦユニットを制御して前記基地局から、ｎ−１番目の送信時間単位で３−レイヤ以上の他の（ａｎｏｔｈｅｒ）ＰＤＳＣＨのための他の（ａｎｏｔｈｅｒ）ＤＭＲＳを受信する場合を仮定しよう。この場合、前記ｎ−１番目の送信時間単位は、ｍ番目のサブフレーム（ｓｕｂｆｒａｍｅ）内での最後のサブスロット（ｓｕｂｓｌｏｔ）であり、前記ｎ番目の送信時間単位は、ｍ＋１番目のサブフレーム（ｓｕｂｆｒａｍｅ）内での１番目のサブスロット（ｓｕｂｓｌｏｔ）であり、前記ＰＤＳＣＨが３−レイヤ以上のＰＤＳＣＨである場合、前記ＤＭＲＳは、前記端末により受信されないように設定されることができる。
【０３５４】
図２２は、本明細書において提案する無線通信システムにおいてデータチャネル及び／又は復調参照信号の送信可否を決定する基地局の動作順序図の一例を示す。図２２は、単に説明の都合のためのものであり、本発明の範囲を制限するものではない。
【０３５５】
図２２に示すように、基地局及び／又は端末が本明細書において上述した実施形態で提案する方法（等）に基づいて、データチャネル（例：ＰＤＳＣＨ）及び／又は復調参照信号（すなわち、ＤＭＲＳ）の送受信可否を決定する場合が仮定される。一例として、上述した第１実施形態の図１８及びそれについての説明、上述した第２実施形態の図１９及びそれについての説明、及び／又は上述した第３実施形態の図２０及びそれについての説明に基づいて、当該ＰＤＳＣＨの送信可否が決定され得る。
【０３５６】
まず、基地局は、（端末に）ｎ番目の送信時間単位（ｔｒａｎｓｍｉｓｓｉｏｎ  ｔｉｍｅ  ｕｎｉｔ）（例：ｓｕｂｓｌｏｔ＃ｎ）におけるＰＤＳＣＨをスケジューリングするためのＤＣＩ（例：上述したｓＤＣＩ）を送信できる（Ｓ２２０５）。
【０３５７】
その後、基地局は、前記ＤＣＩに基づいて前記ＰＤＳＣＨの送信可否を決定できる（Ｓ２２１０）。言い換えれば、当該端末は、前記ＤＣＩの情報に基づいて前記ＰＤＳＣＨの受信を期待するか、期待しないことができる。すなわち、前記ＰＤＳＣＨの受信可否が前記ＤＣＩにより決定されることができる。
【０３５８】
ここで、前記ＤＣＩは、前記ｎ番目の送信時間単位に前記ＰＤＳＣＨのためのＤＭＲＳが存在するか否かを表す情報（例：ＤＭＲＳ  ｐｏｓｉｔｉｏｎ  ｉｎｄｉｃａｔｏｒ等）を含むことができる。
【０３５９】
また、例えば、上述したように（例：上述した図１８及びそれについての説明）、前記基地局は、端末に、ｎ−１番目の送信時間単位における他の（ａｎｏｔｈｅｒ）ＰＤＳＣＨをスケジューリングするための他の（ａｎｏｔｈｅｒ）ＤＣＩを送信できる。ここで、前記他のＤＣＩは、前記ｎ−１番目の送信時間単位に前記他のＰＤＳＣＨのためのＤＭＲＳが存在するか否かを表す情報を含むことができ、この場合、前記ＰＤＳＣＨの送信可否は、前記ＤＣＩ及び前記他のＤＣＩに基づいて決定されることができる。
【０３６０】
より具体的に、前記ｎ番目の送信時間単位で前記ＰＤＳＣＨのためのＤＭＲＳの不在（ａｂｓｅｎｃｅ）が前記ＤＣＩにより設定され、前記ｎ−１番目の送信時間単位で前記他のＰＤＳＣＨのためのＤＭＲＳの不在が前記他のＤＣＩにより設定される場合、前記ＰＤＳＣＨは、前記端末により受信されない（すなわち、受信されることが期待されない）ように設定されることができる。すなわち、この場合、前記ＰＤＳＣＨは、前記基地局により送信されないように設定されることができる。このとき、前記基地局は、予め定義された規則にしたがって前記ＰＤＳＣＨに対するＨＡＲＱ−ＡＣＫ情報を（端末から）報告されることもできる。
【０３６１】
または、前記基地局は、端末に、ｎ−１番目の送信時間単位で他の（ａｎｏｔｈｅｒ）ＰＤＳＣＨのスケジューリングのための他のＤＣＩを送信できる。ここで、前記ＤＣＩは、前記ｎ番目の送信時間単位における前記ＰＤＳＣＨのための資源割当情報を含み、前記他のＤＣＩは、前記ｎ−１番目の送信時間単位における前記他のＰＤＳＣＨのための資源割当情報を含むことができ、この場合、前記ＰＤＳＣＨの送信可否は、前記ＤＣＩ及び前記他のＤＣＩに基づいて決定されることができる。
【０３６２】
より具体的に、前記ｎ番目の送信時間単位で前記ＰＤＳＣＨのためのＤＭＲＳの不在（ａｂｓｅｎｃｅ）が前記ＤＣＩにより設定され、前記ｎ番目の送信時間単位における前記ＰＤＳＣＨのための資源割当情報が前記ｎ−１番目の送信時間単位における前記他のＰＤＳＣＨのための資源割当情報を含まない場合、前記ＰＤＳＣＨは、前記端末により受信されないように設定されることができる。すなわち、この場合、前記ＰＤＳＣＨは、前記基地局により送信されないように設定されることができる。このとき、前記基地局は、予め定義された規則にしたがって前記ＰＤＳＣＨに対するＨＡＲＱ−ＡＣＫ情報を（端末から）報告されることもできる。
【０３６３】
また、他に、例えば、上述したように（例：上述した図１９及びそれについての説明）、前記端末は、連続したサブフレームにわたって配置された送信時間単位でスケジューリングされるＰＤＳＣＨ間のＤＭＲＳ共有（ＤＭＲＳ  ｓｈａｒｉｎｇ）を支援しないこともできる。一例として、このような端末能力は、上位階層パラメータであるｄｍｒｓ−ＳｈａｒｉｎｇＳｕｂｓｌｏｔＰＤＳＣＨを介して報告及び／又は設定されることができる。
【０３６４】
この場合、前記１番目のサブスロットで前記ＰＤＳＣＨのためのＤＭＲＳの不在（ａｂｓｅｎｃｅ）が前記ＤＣＩにより設定され、前記ｎ番目の送信時間単位は、特定サブフレーム（ｓｕｂｆｒａｍｅ）内での１番目のサブスロット（ｓｕｂｓｌｏｔ）（例：ｓｕｂｓｌｏｔ＃０）であれば、前記ＰＤＳＣＨは、前記端末により受信されないように設定されることができる。すなわち、この場合、前記ＰＤＳＣＨは、前記基地局により送信されないように設定されることができる。このとき、前記基地局は、予め定義された規則にしたがって前記ＰＤＳＣＨに対するＨＡＲＱ−ＡＣＫ情報を（端末から）報告されることもできる。
【０３６５】
また、さらに他に、例えば、上述したように（例：上述した図２０及びそれについての説明）、前記端末は、連続したサブフレームにわたって配置された送信時間単位でスケジューリングされる３−レイヤ（ｌａｙｅｒ）以上のＰＤＳＣＨに対するＤＭＲＳ受信（ＤＭＲＳ  ｒｅｃｅｐｔｉｏｎ）を支援しないこともできる。一例として、このような端末能力は、上位階層パラメータであるｄｍｒｓ−ＲｅｐｅｔｉｔｉｏｎＳｕｂｓｌｏｔＰＤＳＣＨを介して報告及び／又は設定されることができる。
【０３６６】
このとき、前記基地局が前記端末に、ｎ−１番目の送信時間単位で３−レイヤ以上の他の（ａｎｏｔｈｅｒ）ＰＤＳＣＨのための他の（ａｎｏｔｈｅｒ）ＤＭＲＳを送信する場合を仮定しよう。この場合、前記ｎ−１番目の送信時間単位は、ｍ番目のサブフレーム（ｓｕｂｆｒａｍｅ）内での最後のサブスロット（ｓｕｂｓｌｏｔ）であり、前記ｎ番目の送信時間単位は、ｍ＋１番目のサブフレーム（ｓｕｂｆｒａｍｅ）内での１番目のサブスロット（ｓｕｂｓｌｏｔ）であり、前記ＰＤＳＣＨが３−レイヤ以上のＰＤＳＣＨである場合、前記ＤＭＲＳは、前記端末により受信されないように設定されることができる。すなわち、この場合、前記ＤＭＲＳは、前記基地局により送信されないように設定されることができる。
【０３６７】
これと関連して、実現的な側面において、上述した基地局の動作は、本明細書の図２３及び図２４に示された基地局装置２３１０、２４１０により具体的に実現されることができる。例えば、上述した基地局の動作は、プロセッサ２３１１、２４１１及び／又はＲＦ（Ｒａｄｉｏ  Ｆｒｅｑｕｅｎｃｙ）ユニット（または、モジュール）２３１３、２４１５により行われることができる。
【０３６８】
無線通信システムにおいてデータチャネル（例：ＰＤＳＣＨ）を送信する基地局は、無線信号を送信するための送信部（ｔｒａｎｓｍｉｔｔｅｒ）、無線信号を受信するための受信部（ｒｅｃｅｉｖｅｒ）、及び前記送信部及び受信部と機能的に連結されるプロセッサを備えることができる。ここで、前記送信部及び前記受信部（または、送受信部）は、無線信号を送受信するためのＲＦユニット（または、モジュール）と称されることができる。
【０３６９】
具体的な例として、プロセッサは、（端末に）ｎ番目の送信時間単位（ｔｒａｎｓｍｉｓｓｉｏｎ  ｔｉｍｅ  ｕｎｉｔ）（例：ｓｕｂｓｌｏｔ＃ｎ）におけるＰＤＳＣＨをスケジューリングするためのＤＣＩ（例：上述したｓＤＣＩ）を送信するようにＲＦユニットを制御できる。
【０３７０】
その後、プロセッサは、前記ＤＣＩに基づいて前記ＰＤＳＣＨの送信可否を決定するように制御することができる。言い換えれば、当該端末は、前記ＤＣＩの情報に基づいて前記ＰＤＳＣＨの受信を期待するか、期待しないことができる。すなわち、前記ＰＤＳＣＨの受信可否が前記ＤＣＩにより決定されることができる。
【０３７１】
ここで、前記ＤＣＩは、前記ｎ番目の送信時間単位に前記ＰＤＳＣＨのためのＤＭＲＳが存在するか否かを表す情報（例：ＤＭＲＳ  ｐｏｓｉｔｉｏｎ  ｉｎｄｉｃａｔｏｒ等）を含むことができる。
【０３７２】
また、例えば、上述したように（例：上述した図１８及びそれについての説明）、前記プロセッサは、端末に、ｎ−１番目の送信時間単位における他の（ａｎｏｔｈｅｒ）ＰＤＳＣＨをスケジューリングするための他の（ａｎｏｔｈｅｒ）ＤＣＩを送信するようにＲＦユニットを制御できる。ここで、前記他のＤＣＩは、前記ｎ−１番目の送信時間単位に前記他のＰＤＳＣＨのためのＤＭＲＳが存在するか否かを表す情報を含むことができ、この場合、前記ＰＤＳＣＨの送信可否は、前記ＤＣＩ及び前記他のＤＣＩに基づいて決定されることができる。
【０３７３】
より具体的に、前記ｎ番目の送信時間単位で前記ＰＤＳＣＨのためのＤＭＲＳの不在（ａｂｓｅｎｃｅ）が前記ＤＣＩにより設定され、前記ｎ−１番目の送信時間単位で前記他のＰＤＳＣＨのためのＤＭＲＳの不在が前記他のＤＣＩにより設定される場合、前記ＰＤＳＣＨは、前記端末により受信されない（すなわち、受信されることが期待されない）ように設定されることができる。すなわち、この場合、前記ＰＤＳＣＨは、前記プロセッサ及びＲＦユニットにより送信されないように設定されることができる。このとき、前記プロセッサは、予め定義された規則にしたがって前記ＰＤＳＣＨに対するＨＡＲＱ−ＡＣＫ情報を（端末から）報告されるようにＲＦユニットを制御することもできる。
【０３７４】
または、前記プロセッサは、端末に、ｎ−１番目の送信時間単位で他の（ａｎｏｔｈｅｒ）ＰＤＳＣＨのスケジューリングのための他のＤＣＩを送信するようにＲＦユニットを制御できる。ここで、前記ＤＣＩは、前記ｎ番目の送信時間単位における前記ＰＤＳＣＨのための資源割当情報を含み、前記他のＤＣＩは、前記ｎ−１番目の送信時間単位における前記他のＰＤＳＣＨのための資源割当情報を含むことができ、この場合、前記ＰＤＳＣＨの送信可否は、前記ＤＣＩ及び前記他のＤＣＩに基づいて決定されることができる。
【０３７５】
より具体的に、前記ｎ番目の送信時間単位で前記ＰＤＳＣＨのためのＤＭＲＳの不在（ａｂｓｅｎｃｅ）が前記ＤＣＩにより設定され、前記ｎ番目の送信時間単位における前記ＰＤＳＣＨのための資源割当情報が前記ｎ−１番目の送信時間単位における前記他のＰＤＳＣＨのための資源割当情報を含まない場合、前記ＰＤＳＣＨは、前記端末により受信されないように設定されることができる。すなわち、この場合、前記ＰＤＳＣＨは、前記プロセッサ及びＲＦユニットにより送信されないように設定されることができる。このとき、前記プロセッサは、予め定義された規則にしたがって前記ＰＤＳＣＨに対するＨＡＲＱ−ＡＣＫ情報を（端末から）報告されるようにＲＦユニットを制御することもできる。
【０３７６】
また、他に、例えば、上述したように（例：上述した図１９及びそれについての説明）、前記端末は、連続したサブフレームにわたって配置された送信時間単位でスケジューリングされるＰＤＳＣＨ間のＤＭＲＳ共有（ＤＭＲＳ  ｓｈａｒｉｎｇ）を支援しないこともできる。一例として、このような端末能力は、上位階層パラメータであるｄｍｒｓ−ＳｈａｒｉｎｇＳｕｂｓｌｏｔＰＤＳＣＨを介して報告及び／又は設定されることができる。
【０３７７】
この場合、前記１番目のサブスロットで前記ＰＤＳＣＨのためのＤＭＲＳの不在（ａｂｓｅｎｃｅ）が前記ＤＣＩにより設定され、前記ｎ番目の送信時間単位は、特定サブフレーム（ｓｕｂｆｒａｍｅ）内での１番目のサブスロット（ｓｕｂｓｌｏｔ）（例：ｓｕｂｓｌｏｔ＃０）であれば、前記ＰＤＳＣＨは、前記端末により受信されないように設定されることができる。すなわち、この場合、前記ＰＤＳＣＨは、前記プロセッサ及びＲＦユニットにより送信されないように設定されることができる。このとき、前記プロセッサは、予め定義された規則にしたがって前記ＰＤＳＣＨに対するＨＡＲＱ−ＡＣＫ情報を（端末から）報告されるようにＲＦユニットを制御することもできる。
【０３７８】
また、他に、例えば、上述したように（例：上述した図２０及びそれについての説明）、前記端末は、連続したサブフレームにわたって配置された送信時間単位でスケジューリングされる３−レイヤ（ｌａｙｅｒ）以上のＰＤＳＣＨに対するＤＭＲＳ受信（ＤＭＲＳ  ｒｅｃｅｐｔｉｏｎ）を支援しないこともできる。一例として、このような端末能力は、上位階層パラメータであるｄｍｒｓ−ＲｅｐｅｔｉｔｉｏｎＳｕｂｓｌｏｔＰＤＳＣＨを介して報告及び／又は設定されることができる。
【０３７９】
このとき、前記プロセッサが前記ＲＦユニットを制御して前記端末に、ｎ−１番目の送信時間単位で３−レイヤ以上の他の（ａｎｏｔｈｅｒ）ＰＤＳＣＨのための他の（ａｎｏｔｈｅｒ）ＤＭＲＳを送信する場合を仮定しよう。この場合、前記ｎ−１番目の送信時間単位は、ｍ番目のサブフレーム（ｓｕｂｆｒａｍｅ）内での最後のサブスロット（ｓｕｂｓｌｏｔ）であり、前記ｎ番目の送信時間単位は、ｍ＋１番目のサブフレーム（ｓｕｂｆｒａｍｅ）内での１番目のサブスロット（ｓｕｂｓｌｏｔ）であり、前記ＰＤＳＣＨが３−レイヤ以上のＰＤＳＣＨである場合、前記ＤＭＲＳは、前記端末により受信されないように設定されることができる。すなわち、この場合、前記ＤＭＲＳは、前記プロセッサ及びＲＦユニットにより送信されないように設定されることができる。
【０３８０】
本発明が適用され得る装置一般
【０３８１】
図２３は、本明細書において提案する方法が適用され得る無線通信装置のブロック構成図を例示する。
【０３８２】
図２３に示すように、無線通信システムは、基地局２３１０と基地局領域内に位置した複数の端末２３２０とを備える。
【０３８３】
前記基地局と端末とは、各々無線装置で表現されることもできる。
【０３８４】
基地局は、プロセッサ（ｐｒｏｃｅｓｓｏｒ、２３１１）、メモリ（ｍｅｍｏｒｙ、２３１２）、及びＲＦモジュール（Ｒａｄｉｏ  Ｆｒｅｑｕｅｎｃｙｍｏｄｕｌｅ、２３１３）を備える。プロセッサ２３１１は、先に図１〜図２２において提案された機能、過程、及び／又は方法を実現する。無線インターフェースプロトコルの階層は、プロセッサにより実現されることができる。メモリは、プロセッサと連結されて、プロセッサを駆動するための様々な情報を格納する。ＲＦモジュールは、プロセッサと連結されて、無線信号を送信及び／又は受信する。
【０３８５】
端末は、プロセッサ２３２１、メモリ２３２２、及びＲＦモジュール２３２３を備える。
【０３８６】
プロセッサは、先に図１〜図２２において提案された機能、過程、及び／又は方法を実現する。無線インターフェースプロトコルの階層は、プロセッサにより実現されることができる。メモリは、プロセッサと連結されて、プロセッサを駆動するための様々な情報を格納する。ＲＦモジュールは、プロセッサと連結されて、無線信号を送信及び／又は受信する。
【０３８７】
メモリ２３１２、２３２２は、プロセッサ２３１１、２３２１の内部または外部にあることができ、よく知られた様々な手段でプロセッサと連結されることができる。
【０３８８】
また、基地局及び／又は端末は、１個のアンテナ（ｓｉｎｇｌｅ  ａｎｔｅｎｎａ）または多重アンテナ（ｍｕｌｔｉｐｌｅ  ａｎｔｅｎｎａ）を有することができる。
【０３８９】
アンテナ２３１４、２３２４は、無線信号を送信及び受信する機能をする。
【０３９０】
図２４は、本明細書において提案する方法が適用され得る無線通信装置のブロック構成図のさらに他の例示である。
【０３９１】
図２４に示すように、無線通信システムは、基地局２４１０と基地局領域内に位置した複数の端末２４２０とを備える。基地局は、送信装置で、端末は、受信装置で表現されることができ、その逆も可能である。基地局と端末とは、プロセッサ（ｐｒｏｃｅｓｓｏｒ、２４１１、２４２１）、メモリ（ｍｅｍｏｒｙ、２４１４、２４２４）、１つ以上のＴｘ／Ｒｘ  ＲＦモジュール（Ｒａｄｉｏ  Ｆｒｅｑｕｅｎｃｙ  ｍｏｄｕｌｅ、２４１５、２４２５）、Ｔｘプロセッサ２４１２、２４２２、Ｒｘプロセッサ２４１３、２４２３、アンテナ２４１６、２４２６を備える。プロセッサは、先に説明した機能、過程、及び／又は方法を実現する。より具体的に、ＤＬ（基地局から端末への通信）において、コアネットワークからの上位階層パケットは、プロセッサ２４１１に提供される。プロセッサは、Ｌ２階層の機能を実現する。ＤＬにおいて、プロセッサは、論理チャネルと送信チャネルとの間の多重化（ｍｕｌｔｉｐｌｅｘｉｎｇ）、無線資源割当を端末２４２０に提供し、端末へのシグナリングを担当する。送信（ＴＸ）プロセッサ２４１２は、Ｌ１階層（すなわち、物理階層）に対する様々な信号処理機能を実現する。信号処理機能は、端末でＦＥＣ（ｆｏｒｗａｒｄ  ｅｒｒｏｒ  ｃｏｒｒｅｃｔｉｏｎ）を容易なようにし、コーディング及びインターリービング（ｃｏｄｉｎｇ  ａｎｄ  ｉｎｔｅｒｌｅａｖｉｎｇ）を含む。符号化及び変調されたシンボルは、並列ストリームに分割され、それぞれのストリームは、ＯＦＤＭ副搬送波にマッピングされ、時間及び／又は周波数領域で基準信号（Ｒｅｆｅｒｅｎｃｅ  Ｓｉｇｎａｌ、ＲＳ）とマルチプレキシングされ、ＩＦＦＴ（Ｉｎｖｅｒｓｅ  Ｆａｓｔ  Ｆｏｕｒｉｅｒ  Ｔｒａｎｓｆｏｒｍ）を使用して共に結合されて時間領域ＯＦＤＭＡシンボルストリームを運搬する物理的チャネルを生成する。ＯＦＤＭストリームは、多重空間ストリームを生成するために空間的にプリコーディングされる。それぞれの空間ストリームは、個別Ｔｘ／Ｒｘモジュール（または、送受信機、２４１５）を介して相違したアンテナ２４１６に提供されることができる。それぞれのＴｘ／Ｒｘモジュールは、送信のために、それぞれの空間ストリームでＲＦ搬送波を変調することができる。端末において、それぞれのＴｘ／Ｒｘモジュール（または、送受信機、２４２５）は、各Ｔｘ／Ｒｘモジュールの各アンテナ２４２６を介して信号を受信する。それぞれのＴｘ／Ｒｘモジュールは、ＲＦキャリアで変調された情報を復元して、受信（ＲＸ）プロセッサ２４２３に提供する。ＲＸプロセッサは、ｌａｙｅｒ１の様々な信号プロセッシング機能を実現する。ＲＸプロセッサは、端末へ向かう任意の空間ストリームを復旧するために、情報に空間プロセッシングを行うことができる。仮に、複数の空間ストリームが端末へ向かう場合、複数のＲＸプロセッサにより単一ＯＦＤＭＡシンボルストリームで結合されることができる。ＲＸプロセッサは、高速フーリエ変換（ＦＦＴ）を使用してＯＦＤＭＡシンボルストリームを時間領域から周波数領域に変換する。周波数領域信号は、ＯＦＤＭ信号のそれぞれのサブキャリアに対する個別的なＯＦＤＭＡシンボルストリームを含む。それぞれの��ブキャリア上のシンボル及び基準信号は、基地局により送信された最も可能性のある信号配置ポイントを決定することによって復元され、復調される。このような軟判定（ｓｏｆｔ  ｄｅｃｉｓｉｏｎ）は、チャネル推定値に基づくことができる。軟判定は、物理チャネル上で基地局により元々送信されたデータ及び制御信号を復元するために、デコーディング及びデインターリービングされる。当該データ及び制御信号は、プロセッサ２４２１に提供される。
【０３９２】
ＵＬ（端末から基地局への通信）は、端末２４２０において受信機機能と関連して記述されたことと類似した方式にて基地局２４１０で処理される。それぞれのＴｘ／Ｒｘモジュール２４２５は、それぞれのアンテナ２４２６を介して信号を受信する。それぞれのＴｘ／Ｒｘモジュールは、ＲＦ搬送波及び情報をＲＸプロセッサ２４２３に提供する。プロセッサ２４２１は、プログラムコード及びデータを格納するメモリ２４２４と関連することができる。メモリは、コンピュータ読み取り可能媒体として称されることができる。
【０３９３】
以上で説明された実施形態は、本発明の構成要素と特徴が所定の形態で結合されたものである。各構成要素または特徴は、別途の明示的な言及がない限り、選択的なものとして考慮されなければならない。各構成要素または特徴は、他の構成要素や特徴と結合されない形態で実施できる。また、一部の構成要素及び／又は特徴を結合して本発明の実施形態を構成することも可能である。本発明の実施形態で説明される動作の順序は変更され得る。ある実施形態の一部の構成や特徴は、他の実施形態に含まれることができ、または他の実施形態の対応する構成または特徴と取り替えることができる。特許請求範囲で明示的な引用関係がない請求項を結合して実施形態を構成するか、または出願後の補正により新たな請求項に含めることができることは自明である。
【０３９４】
本発明に係る実施形態は、多様な手段、例えば、ハードウェア、ファームウェア（ｆｉｒｍｗａｒｅ）、ソフトウェア、またはそれらの結合などにより具現できる。ハードウェアによる具現の場合、本発明の一実施形態は１つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラー、マイクロコントローラー、マイクロプロセッサなどにより具現できる。
【０３９５】
ファームウェアやソフトウェアによる具現の場合、本発明の一実施形態は以上で説明された機能または動作を行うモジュール、手続、関数などの形態で具現できる。ソフトウェアコードはメモリに格納されてプロセッサにより駆動できる。前記メモリは前記プロセッサの内部または外部に位置し、既に公知となっている多様な手段により前記プロセッサとデータをやり取りすることができる。
【０３９６】
本発明は、本発明の必須的な特徴を逸脱しない範囲で他の特定の形態で具体化できることは当業者にとって自明である。したがって、前述した詳細な説明は、全ての面で制限的に解釈されてはならず、例示的なものと考慮されなければならない。本発明の範囲は、添付した請求項の合理的な解釈により決定されなければならず、本発明の等価的な範囲内での全ての変更は、本発明の範囲に含まれる。
【産業上の利用可能性】
【０３９７】
本明細書の無線通信システムにおけるデータを送受信するための案は、３ＧＰＰ  ＬＴＥ／ＬＴＥ−Ａシステムに適用される例を中心として説明したが、３ＧＰＰ  ＬＴＥ／ＬＴＥ−Ａシステム以外にも、５Ｇシステム等の多様な無線通信システムに適用することが可能である。
【図１】
2020534742.tif 000102
【図２】
2020534742.tif 000103
【図３】
2020534742.tif 000104
【図４】
2020534742.tif 000105
【図５】
2020534742.tif 000106
【図６】
2020534742.tif 000107
【図７】
2020534742.tif 000108
【図８】
2020534742.tif 000109
【図９】
2020534742.tif 000110
【図１０】
2020534742.tif 000111
【図１１】
2020534742.tif 000112
【図１２】
2020534742.tif 000113
【図１３】
2020534742.tif 000114
【図１４】
2020534742.tif 000115
【図１５】
2020534742.tif 000116
【図１６】
2020534742.tif 000117
【図１７】
2020534742.tif 000118
【図１８】
2020534742.tif 000119
【図１９】
2020534742.tif 000120
【図２０】
2020534742.tif 000121
【図２１】
2020534742.tif 000122
【図２２】
2020534742.tif 000123
【図２３】
2020534742.tif 000124
【図２４】
2020534742.tif 000125
【手続補正書】
【提出日】令和2年3月16日(2020.3.16)
【手続補正１】
【補正対象書類名】特許請求の範囲
【補正対象項目名】全文
【補正方法】変更
【補正の内容】
【特許請求の範囲】
【請求項１】
無線通信システムにおいて端末がＰＤＳＣＨを受信する方法において、
基地局に、前記端末が前記ＰＤＳＣＨに対する複数のサブフレーム上での復調参照信号（ＤＭＲＳ）共有を支援するか否かを表す能力情報を送信するステップと、
基地局から、前記ＰＤＳＣＨをスケジューリングするための下向きリンク制御情報（ＤＣＩ）を受信するステップであって、前記ＤＣＩは、前記ＰＤＳＣＨのためのＤＭＲＳが１番目のサブスロットに配置されるか否かを表す、ステップと、
（ｉ）前記端末が前記ＰＤＳＣＨに対する前記複数のサブフレーム上でのＤＭＲＳ共有を支援しないことを表す前記能力情報、及び（ｉｉ）前記１番目のサブスロットにおける前記ＰＤＳＣＨのための前記ＤＭＲＳの不在を表す前記ＤＣＩに基づいて、前記ＰＤＳＣＨが前記１番目のサブスロットにおいて受信されないことを決定するステップと、
を含む、方法。
【請求項２】
（ｉ）前記端末が前記ＰＤＳＣＨに対する前記複数のサブフレーム上でのＤＭＲＳ共有を支援することを表す前記能力情報、及び（ｉｉ）前記１番目のサブスロットにおける前記ＰＤＳＣＨのための前記ＤＭＲＳの存在を表す前記ＤＣＩに基づいて、前記ＰＤＳＣＨが前記１番目のサブスロットにおいて受信されることを決定するステップを更に含む、請求項１に記載の方法。
【請求項３】
前記１番目のサブスロットは、３つのＯＦＤＭシンボルで構成される、請求項１に記載の方法。
【請求項４】
無線通信システムにおいてＰＤＳＣＨを受信するための端末において、
送受信部と、
少なくとも１つのプロセッサと、
前記少なくとも１つのプロセッサと動作可能に接続される少なくとも１つのメモリと、を備え、
前記少なくとも１つのメモリは、前記少なくとも１つのプロセッサにより実行されることに基づいて、
基地局に、前記端末が前記ＰＤＳＣＨに対する複数のサブフレーム上での復調参照信号（ＤＭＲＳ）共有を支援するか否かを表す能力情報を送信し、
基地局から、前記ＰＤＳＣＨをスケジューリングするための下向きリンク制御情報（ＤＣＩ）を受信し、前記ＤＣＩは、前記ＰＤＳＣＨのためのＤＭＲＳが１番目のサブスロットに配置されるか否かを表し、
（ｉ）前記端末が前記ＰＤＳＣＨに対する前記複数のサブフレーム上でのＤＭＲＳ共有を支援しないことを表す前記能力情報、及び（ｉｉ）前記１番目のサブスロットにおける前記ＰＤＳＣＨのための前記ＤＭＲＳの不在を表す前記ＤＣＩに基づいて、前記ＰＤＳＣＨが前記１番目のサブスロットにおいて受信されないことを決定することを含む動作を実行する命令を格納する、端末。
【請求項５】
前記ＰＤＳＣＨに対する前記ＤＭＲＳ共有は、前記複数のサブフレーム上で２以上のサブスロットにおいてＤＭＲＳを共有するための動作を含む、請求項１に記載の方法。
【請求項６】
前記ＰＤＳＣＨは、時間領域においてサブスロット単位に基づいてスケジューリングされる、請求項１に記載の方法。
【請求項７】
前記動作は、（ｉ）前記端末が前記ＰＤＳＣＨに対する前記複数のサブフレーム上でのＤＭＲＳ共有を支援することを表す前記能力情報、及び（ｉｉ）前記１番目のサブスロットにおける前記ＰＤＳＣＨのための前記ＤＭＲＳの存在を表す前記ＤＣＩに基づいて、前記ＰＤＳＣＨが前記１番目のサブスロットにおいて受信されることを決定することを更に含む、請求項４に記載の端末。
【請求項８】
前記ＰＤＳＣＨに対する前記ＤＭＲＳ共有は、前記複数のサブフレーム上で２以上のサブスロットにおいてＤＭＲＳを共有するための動作を含む、請求項４に記載の端末。
【請求項９】
前記ＰＤＳＣＨは、時間領域においてサブスロット単位に基づいてスケジューリングされる、請求項４に記載の端末。
【請求項１０】
前記１番目のサブスロットは、３つのＯＦＤＭシンボルで構成される、請求項４に記載の端末。
【請求項１１】
無線通信システムにおいてＰＤＳＣＨを受信するための装置において、
少なくとも１つのプロセッサと、
前記少なくとも１つのプロセッサと動作可能に接続される少なくとも１つのメモリと、を備え、
前記少なくとも１つのプロセッサは、
基地局に、端末が前記ＰＤＳＣＨに対する複数のサブフレーム上での復調参照信号（ＤＭＲＳ）共有を支援するか否かを表す能力情報を送信し、
基地局から、前記ＰＤＳＣＨをスケジューリングするための下向きリンク制御情報（ＤＣＩ）を受信し、前記ＤＣＩは、前記ＰＤＳＣＨのためのＤＭＲＳが１番目のサブスロットに配置されるか否かを表し、
（ｉ）前記端末が前記ＰＤＳＣＨに対する前記複数のサブフレーム上でのＤＭＲＳ共有を支援しないことを表す前記能力情報、及び（ｉｉ）前記１番目のサブスロットにおける前記ＰＤＳＣＨのための前記ＤＭＲＳの不在を表す前記ＤＣＩに基づいて、前記ＰＤＳＣＨが前記１番目のサブスロットにおいて受信されないことを決定するよう構成される、装置。
【請求項１２】
前記少なくとも１つのプロセッサは、（ｉ）前記端末が前記ＰＤＳＣＨに対する前記複数のサブフレーム上でのＤＭＲＳ共有を支援することを表す前記能力情報、及び（ｉｉ）前記１番目のサブスロットにおける前記ＰＤＳＣＨのための前記ＤＭＲＳの存在を表す前記ＤＣＩに基づいて、前記ＰＤＳＣＨが前記１番目のサブスロットにおいて受信されることを決定するよう構成される、請求項１１に記載の装置。
【請求項１３】
前記ＰＤＳＣＨに対する前記ＤＭＲＳ共有は、前記複数のサブフレーム上で２以上のサブスロットにおいてＤＭＲＳを共有するための動作を含む、請求項１１に記載の装置。
【請求項１４】
前記ＰＤＳＣＨは、時間領域においてサブスロット単位に基づいてスケジューリングされる、請求項１１に記載の装置。
【請求項１５】
前記１番目のサブスロットは、３つのＯＦＤＭシンボルで構成される、請求項１１に記載の装置。
【国際調査報告】
2020534742.tif 000126
2020534742.tif 000127
2020534742.tif 000128
2020534742.tif 000129